(57)【要約】【課題】簡便に、大量の酵素を産生し、および／または分解酵素の産生に適合する宿主細胞を提供できる、生物学的に活性な酵素を産生する方法を提供すること。【解決手段】本発明は、原形質状態についての遺伝子改変された光合成生物のハイスループットスクリーニングのための方法および組成物を提供する。本発明は、植物におけるバイオマス分解酵素を含む、１つ以上のタンパク質を産生する方法を提供する。また、藻細胞、特に葉緑体におけるバイオマス分解酵素の経路を産生する方法も提供する。単一の酵素または複数の酵素は、開示される方法によって産生され得る。本明細書に開示される方法は、エタノールを含む、バイオ燃料の生産を可能にする。【選択図】なし【特許請求の範囲】
【請求項１】
形質転換した非維管束光合成生物をスクリーニングする方法であって、
ａ．前記生物の葉緑体から第１の核酸配列を増幅させる工程、
ｂ．前記生物の前記葉緑体から第２の核酸配列を増幅させる工程、ならびに
ｃ．前記第１の配列および前記第２の配列の増幅からの結果に基づいて前記生物の原形質状態を決定する工程、
を含む方法。
【請求項２】
前記第１の工程および前記第２の工程は、同時に実施される、請求項１に記載の方法。
【請求項３】
前記第１の核酸配列は、内因性葉緑体ゲノム配列である、請求項１に記載の方法。
【請求項４】
前記第２の核酸配列は、少なくとも部分的に外因性核酸由来である、請求項３に記載の方法。
【請求項５】
コントロールとして前記葉緑体由来の第３の核酸配列を増幅させる工程をさらに含む、請求項１に記載の方法。
【請求項６】
前記第３の核酸配列は、外因性核酸の組み込み後にインタクトなままである野生型配列である、請求項５に記載の方法。
【請求項７】
前記第３の核酸を増幅させる工程は、前記第１の増幅工程または前記第２の増幅工程と同時に実施される、請求項５に記載の方法。
【請求項８】
前記増幅させる工程の全ては、同時に実施される、請求項５に記載の方法。
【請求項９】
少なくとも１つのプライマーは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、または配列番号１５である、請求項１に記載の方法。
【請求項１０】
前記第１の増幅工程または前記第２の増幅工程は、３０サイクルより多いＰＣＲを含む、請求項１に記載の方法。
【請求項１１】
前記第１の増幅工程および前記第２の増幅工程は、３０サイクルより多いＰＣＲを含む、請求項１に記載の方法。
【請求項１２】
前記原形質状態はホモプラスミーである、請求項１に記載の方法。
【請求項１３】
前記生物は微細藻類である、請求項１に記載の方法。
【請求項１４】
前記微細藻類は、Ｃ．レインハーディ（Ｃ．ｒｅｉｎｈａｒｄｔｉｉ）、Ｄ．サリナ（Ｄ．ｓａｌｉｎａ）またはＨ．プルビアリス（Ｈ．ｐｌｕｖａｌｉｓ）である、請求項１３に記載の方法。
【請求項１５】
前記決定する工程は、前記増幅させる工程由来の産物の視覚分析を含む、請求項１に記載の方法。
【請求項１６】
前記生物は、目的の遺伝子および選択可能なマーカーのうちの少なくとも１つを含む外因性核酸を含む、請求項１に記載の方法。
【請求項１７】
前記目的の遺伝子は、バイオマス分解酵素をコードする、請求項１６に記載の方法。
【請求項１８】
前記バイオマス分解酵素は、セルロース分解性、ヘミセルロース分解性またはリグニン分解性である、請求項１７に記載の方法。
【請求項１９】
前記バイオマス分解酵素は、エキソ−β−グルカナーゼ、エンド−β−グルカナーゼ、β−グルコシダーゼ、エンドキシラナーゼまたはリグナーゼである、請求項１７に記載の方法。
【請求項２０】
前記外因性核酸は、配列番号１９、配列番号２０、配列番号２１、配列番号２２、配列番号２３、配列番号２４、配列番号２５、配列番号２６、配列番号２７、配列番号２８、配列番号２９、配列番号３０または配列番号３１である、請求項１６に記載の方法。
【請求項２１】
前記増幅させる工程のうちの少なくとも１つは、リアルタイムＰＣＲを含む、請求項１に記載の方法。
【請求項２２】
前記増幅させる工程のうちの少なくとも１つは、定量的ＰＣＲを含む、請求項１に記載の方法。
【請求項２３】
同質細胞質の葉緑体集団を含む非維管束光合成生物であって、前記葉緑体集団は外因性核酸を含み、ホモプラスミーは少なくとも２つの異なるＰＣＲ反応によって決定される、生物。
【請求項２４】
前記葉緑体集団は、１つより多い葉緑体である、請求項２３に記載の生物。
【請求項２５】
前記生物は微細藻類である、請求項２３に記載の生物。
【請求項２６】
前記微細藻類は、Ｃ．レインハーディ（Ｃ．ｒｅｉｎｈａｒｄｔｉｉ）、Ｄ．サリナ（Ｄ．ｓａｌｉｎａ）またはＨ．プルビアリス（Ｈ．ｐｌｕｖａｌｉｓ）である、請求項２５に記載の生物。
【請求項２７】
前記少なくとも２つの異なるＰＣＲ反応は同時に実施される、請求項２３に記載の生物。
【請求項２８】
前記少なくとも２つの異なるＰＣＲ反応に使用される少なくとも１つのプライマーは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４または配列番号１５である、請求項２３に記載の生物。
【請求項２９】
少なくとも１つのＰＣＲ反応は、３０より多いサイクルを含む、請求項２３に記載の生物。
【請求項３０】
前記生物は、目的の遺伝子および選択可能なマーカーのうちの少なくとも１つを含む外因性核酸を含む、請求項２３に記載の生物。
【請求項３１】
前記目的の遺伝子はバイオマス分解酵素をコードする、請求項３０に記載の生物。
【請求項３２】
前記バイオマス分解酵素は、セルロース分解性、ヘミセルロース分解性またはリグニン分解性である、請求項３１に記載の生物。
【請求項３３】
前記バイオマス分解酵素は、エキソ−β−グルカナーゼ、エンド−β−グルカナーゼ、β−グルコシダーゼ、エンドキシラナーゼまたはリグナーゼである、請求項３１に記載の生物。
【請求項３４】
前記外因性核酸は、配列番号１９、配列番号２０、配列番号２１、配列番号２２、配列番号２３、配列番号２４、配列番号２５、配列番号２６、配列番号２７、配列番号２８、配列番号２９、配列番号３０または配列番号３１である、請求項３０に記載の生物。
【請求項３５】
遺伝子改変された同質細胞質の非維管束光合成生物を産生する方法であって、
ａ．前記生物の少なくとも１つの葉緑体を外因性核酸で形質転換する工程、
ｂ．第１の核酸配列および第２の核酸配列を増幅させる工程、ならびに
ｃ．前記増幅させる工程からの結果に基づいて前記生物の原形質状態を決定する工程、
を含む方法。
【請求項３６】
前記第１の核酸配列および前記第２の核酸配列は、前記葉緑体のゲノム内である、請求項３５に記載の方法。
【請求項３７】
前記第１の核酸配列は内因性葉緑体配列である、請求項３５に記載の方法。
【請求項３８】
前記第２の核酸配列は、少なくとも部分的に前記外因性核酸由来である、請求項３７に記載の方法。
【請求項３９】
コントロールとして前記葉緑体由来の第３の核酸配列を増幅させる工程をさらに含む、請求項３５に記載の方法。
【請求項４０】
前記第３の核酸は、前記外因性核酸の組み込み後にインタクトなままである野生型配列である、請求項３９に記載の方法。
【請求項４１】
前記増幅させる工程の少なくとも１つは定量的ＰＣＲを含む、請求項３９に記載の方法。
【請求項４２】
前記増幅させる工程のための少なくとも１つのプライマーは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４または配列番号１５である、請求項３５に記載の方法。
【請求項４３】
前記第１の核酸配列および前記第２の核酸配列の増幅は、３０サイクルより多いＰＣＲを含む、請求項３５に記載の方法。
【請求項４４】
前記原形質状態はホモプラスミーである、請求項３５に記載の方法。
【請求項４５】
前記生物は微細藻類である、請求項３５に記載の方法。
【請求項４６】
前記微細藻類は、Ｃ．レインハーディ（Ｃ．ｒｅｉｎｈａｒｄｔｉｉ）、Ｄ．サリナ（Ｄ．ｓａｌｉｎａ）またはＨ．プルビアリス（Ｈ．ｐｌｕｖａｌｉｓ）である、請求項４５に記載の方法。
【請求項４７】
前記決定する工程は、前記増幅させる工程由来の産物の視覚分析を含む、請求項３５に記載の方法。
【請求項４８】
前記外因性核酸は、目的の遺伝子および選択可能なマーカーのうちの少なくとも１つを含む、請求項３５に記載の方法。
【請求項４９】
前記目的の遺伝子は、バイオマス分解酵素をコードする、請求項４８に記載の方法。
【請求項５０】
前記バイオマス分解酵素は、セルロース分解性、ヘミセルロース分解性またはリグニン分解性である、請求項４９に記載の方法。
【請求項５１】
前記バイオマス分解酵素は、エキソ−β−グルカナーゼ、エンド−β−グルカナーゼ、β−グルコシダーゼ、エンドキシラナーゼまたはリグナーゼである、請求項４９に記載の方法。
【請求項５２】
前記外因性核酸は、配列番号１９、配列番号２０、配列番号２１、配列番号２２、配列番号２３、配列番号２４、配列番号２５、配列番号２６、配列番号２７、配列番号２８、配列番号２９、配列番号３０または配列番号３１である、請求項３５に記載の方法。
【請求項５３】
遺伝子改変された非維管束光合成生物の原形質状態を決定するためのキットであって、
ａ．内因性配列に対応する葉緑体ゲノムの第１の核酸配列を増幅させるための増幅プライマー、および
ｂ．導入されるか、または非天然に存在する配列である葉緑体ゲノムの第２の核酸配列を増幅させるための増幅プライマー、
を含むキット。
【請求項５４】
ＰＣＲバッファーをさらに含む、請求項５３にキット。
【請求項５５】
コントロール核酸配列を増幅させるための増幅プライマーをさらに含む、請求項５３にキット。
【請求項５６】
少なくとも１つのプライマーは、配列番号１、配列番号２、配列番号３、配列番号４、配列番号５、配列番号６、配列番号７、配列番号８、配列番号９、配列番号１０、配列番号１１、配列番号１２、配列番号１３、配列番号１４または配列番号１５である、請求項５３に記載のキット。
【請求項５７】
第１の核酸配列を増幅させるための前記プライマーの少なくとも１つは、ｐｓｂＡ  ５’ＵＴＲ、ｐｓｂＡコード配列、ｐｓｂＣ  ５’ＵＴＲ、ｐｓｂＤ  ５’ＵＴＲ、ａｔｐＡ  ５’ＵＴＲ、または３ＨＢ遺伝子座のうちの少なくとも一部に結合する、請求項５３に記載のキット。
【請求項５８】
第２の核酸配列を増幅させるための前記プライマーの少なくとも１つは、バイオマス分解酵素をコードする配列の少なくとも一部に結合する、請求項５３に記載のキット。
【請求項５９】
前記バイオマス分解酵素は、セルロース分解性、ヘミセルロース分解性またはリグニン分解性である、請求項５６に記載のキット。
【請求項６０】
前記バイオマス分解酵素は、エキソ−β−グルカナーゼ、エンド−β−グルカナーゼ、β−グルコシダーゼ、エンドキシラナーゼまたはリグナーゼである、請求項５６に記載のキット。
【請求項６１】
前記第２の核酸配列は、配列番号１９、配列番号２０、配列番号２１、配列番号２２、配列番号２３、配列番号２４、配列番号２５、配列番号２６、配列番号２７、配列番号２８、配列番号２９、配列番号３０または配列番号３１のうちの一部である、請求項５３に記載のキット。
【請求項６２】
使用するための指示書をさらに含む、請求項５３に記載のキット。
【発明の詳細な説明】
【技術分野】
【０００１】
（相互参照）
本出願は以下の米国仮出願の優先権および利益を主張する：Ｍａｙｆｉｅｌｄらによる「ＵＳＥ  ＯＦ  ＰＨＯＴＯＳＹＮＴＨＥＴＩＣ  ＯＲＧＡＮＩＳＭＳ  ＴＯ  ＧＥＮＥＲＡＴＥ  ＢＩＯＦＵＥＬＳ」という発明の名称の２００７年６月１日に出願されたＵＳＳＮ６０／９４１，４５２号；Ｍａｙｆｉｅｌｄらによる「ＵＳＥ  ＯＦ  ＧＥＮＥＴＩＣＡＬＬＹ  ＭＯＤＩＦＩＥＤ  ＯＲＧＡＮＩＳＭＳ  ＴＯ  ＧＥＮＥＲＡＴＥ  ＢＩＯＭＡＳＳ  ＤＥＧＲＡＤＩＮＧ  ＥＮＺＹＭＥＳ」という発明の名称の２００８年３月２０日に出願されたＵＳＳＮ６１／０７０，３８４号；およびＭａｙｆｉｅｌｄらによる「ＨＩＧＨ  ＴＨＲＯＵＧＨＰＵＴ  ＳＣＲＥＥＮＩＮＧ  ＯＦ  ＧＥＮＥＴＩＣＡＬＬＹ  ＭＯＤＩＦＩＥＤ  ＰＨＯＴＯＳＹＮＴＨＥＴＩＣ  ＯＲＧＡＮＩＳＭＳ」という発明の名称の２００８年３月２０日に出願されたＵＳＳＮ６１／０７０，４３７号。これらの先行出願の各々は、参照により本明細書に援用される。
【０００２】
（参照による援用）
本明細書に述べられる全ての刊行物および特許出願は、各々の個々の刊行物または特許出願が具体的および個々に参照により援用されることを示されるのと同じ程度まで、本明細書に参照により援用される。
【背景技術】
【０００３】
燃料は次第により高価になっている。また、燃料精製所は、汚染物質の発生および地球温暖化に関係している。産業界において、より安く、安全で、かつより環境的に無害な燃料を発生させる方法を見つけるための必要性が増加している。生物学的物質由来の燃料を生産するための手段の開発は、将来のエネルギー展望の不可欠な要素である。生物学的物質由来の燃料の生産における最も重要な要素の１つは、セルロースなどの特定の分子構造を、発酵などの燃料発生プロセスのための基質として認識可能な分子種に消化または還元する能力である。
【０００４】
分子生物学および遺伝子工学は、このような燃料を生産するために使用され得る大量の生物学的に活性な分子の産生を期待できる。例えば、有機物質を燃料に分解できる酵素の産生は、代替燃料についての増加する必要性に対処することに期待できる。このような酵素を産生するために遺伝子操作技術を用いる主な利点は、その方法が大量の所望のタンパク質の産生を可能にすることである。多くの場合において、遺伝子操作されていない分泌物源由来の十分な量の生物学的物質を得るための唯一の他の方法は、その因子を産生する生物の細胞から天然に存在する生物学的物質を精製することによる。従って、遺伝子操作の出現より前に、有機物質を分解できる酵素は、大量にその生物、典型的には細菌または真菌種を増殖させ、タンパク質を抽出することによって単離され得るのみであった。このような手順はしばしば複雑であり、燃料生産に使用するには経済的に高額である。
【０００５】
遺伝子操作は、大量の生物学的物質、特にタンパク質および核酸を産生するための手段を提供するが、現在利用可能な方法に限定されている。細菌はこのような酵素の産生に適切な環境を提供するが、しかしながら、一部の細菌により産生される副産物は燃料源を汚染する。従って、細菌が生物学的物質を産生するために使用され得る場合でも、精製または精油などのさらなる工程が、生物学的に活性な物質および／またはバイオ燃料を得るために必要とされ得る。さらに、非光合成系の使用は、組み換え生物に栄養源を与えるために高価な糖または他の有機炭素源の添加を必要とする。さらに、典型的に、発酵槽を建設するのに莫大な投資がかかる。
【０００６】
組み換えタンパク質はまた、例えば、発現タンパク質を生物学的に活性な因子に処理するために必要な環境を提供し得る、菌類、昆虫細胞および哺乳動物細胞を含む、真核細胞において産生され得る。しかしながら、これらの系は、典型的に、同様の高額な費用（糖／有機炭素源および発酵槽）に悩まされる。
【発明の概要】
【０００７】
従って、簡便に、大量の酵素を産生し、および／または分解酵素の産生に適合する宿主細胞を提供できる、生物学的に活性な酵素を産生する方法についての必要性が存在する。
【０００８】
本明細書に提示されるのは、バイオマス分解酵素およびバイオ燃料を産生するための組成物および方法である。本明細書に開示される発明は、典型的には、藻類およびシアノバクテリアなどの遺伝子改変された光合成生物において、バイオマス分解酵素を産生するための新規な方法を提供する。また、本明細書に提示されるのは、光合成生物を形質転換するための組成物および方法、ならびに形質転換体をスクリーニングする方法である。
【０００９】
従って、本発明の一態様は、非維管束光合成生物において、バイオマス分解酵素をコードする核酸およびその核酸を発現するために構成されるプロモーターを含むベクターを提供する。本発明のベクターは、１つより多いバイオマス分解酵素をコードする核酸を含んでもよく、他の例において、バイオマス分解酵素に共有結合するポリペプチドをコードする核酸を含んでもよい。バイオマス分解酵素は、セルロース分解酵素、ヘミセルロース分解酵素およびリグニン分解酵素を含んでもよい。より具体的には、バイオマス分解酵素は、エキソ−β−グルカナーゼ、エンド−β−グルカナーゼ、β−グルコシダーゼ、エンドキシラナーゼまたはリグナーゼであってもよい。バイオマス分解酵素をコードする核酸は、真菌または細菌源由来、例えば、Ｔｒｉｃｈｏｄｅｒｍａ  ｖｉｒｉｄｅにおいてエキソ−β−グルカナーゼ、Ｔｒｉｃｈｏｄｅｒｍａ  ｒｅｅｓｅｉにおいてエキソ−β−グルカナーゼ、Ａｓｐｅｒｇｉｌｌｕｓ  ａｃｕｌｅａｔｕｓにおいてエキソ−β−グルカナーゼ、Ｔｒｉｃｈｏｄｅｒｍａ  ｒｅｅｓｅｉにおいてエンド−β−グルカナーゼ、Ａｓｐｅｒｇｉｌｌｕｓ  ｎｉｇｅｒにおいてエンド−β−グルカナーゼ、Ｔｒｉｃｈｏｄｅｒｍａ  ｒｅｅｓｅｉにおいてβ−グルコシダーゼ、Ａｓｐｅｒｇｉｌｌｕｓ  ｎｉｇｅｒにおいてβ−グルコシダーゼ、Ｔｒｉｃｈｏｄｅｒｍａ  ｒｅｅｓｅｉにおいてエンドキシラナーゼ、およびＡｓｐｅｒｇｉｌｌｕｓ  ｎｉｇｅｒにおいてエンドキシラナーゼをコードするものであってもよい。バイオマス分解酵素をコードする他の核酸は、これらの生物由来の遺伝子と相同的であり得る。
【００１０】
本発明のベクターはまた、形質転換された生物の直接的なスクリーニングを可能にする選択可能なマーカーを含んでもよい。本発明のベクターは、限定されないが、光合成細菌（シアノバクテリアを含む）、藍藻門（ｃｙａｎｏｐｈｙｔａ）、原核緑色植物（ｐｒｏｃｈｌｏｒｏｐｈｙｔａ）、紅色植物門（ｒｈｏｄｏｐｈｙｔａ）、緑色植物（ｃｈｌｏｒｏｐｈｙｔａ）、不等毛植物門（ｈｅｔｅｒｏｋｏｎｔｏｐｈｙｔａ）、黄緑藻植物（ｔｒｉｂｏｐｈｙｔａ）、灰色植物（ｇｌａｕｃｏｐｈｙｔａ）、クロララクニオン植物（ｃｈｌｏｒａｒａｃｈｎｉｏｐｈｙｔｅｓ）、ユーグレナ植物門（ｅｕｇｌｅｎｏｐｈｙｔａ）、ユーグレナ類（ｅｕｇｌｅｎｏｉｄｓ）、ハプト植物門（ｈａｐｔｏｐｈｙｔａ）、黄金色植物門（ｃｈｒｙｓｏｐｈｙｔａ）、クリプト植物門（ｃｒｙｐｔｏｐｈｙｔａ）、クリプト藻網（ｃｒｙｐｔｏｍｏｎａｄｓ）、渦鞭毛植物門（ｄｉｎｏｐｈｙｔａ）、渦鞭毛藻類（ｄｉｎｏｆｌａｇｅｌｌａｔａ）、プリネシウム藻類（ｐｙｒｍｎｅｓｉｏｐｈｙｔａ）、珪藻類（ｂａｃｉｌｌａｒｉｏｐｈｙｔａ）、黄緑色植物門（ｘａｎｔｈｏｐｈｙｔａ）、ユーステグマト植物門（ｅｕｓｔｉｇｍａｔｏｐｈｙｔａ）、ラフィド藻門（ｒａｐｈｉｄｏｐｈｙｔａ）、褐藻網（ｐｈａｅｏｐｈｙｔａ）、および植物プランクトン（ｐｈｙｔｏｐｌａｎｋｔｏｎ）を含む、複数の光合成生物の安定な形質転換であり得る。本発明の他のベクターは、Ｃ．ｒｅｉｎｈａｒｄｔｉｉ、Ｄ．ｓａｌｉｎａまたはＨ．ｐｌｕｖａｌｉｓの安定な形質転換であり得る。さらに他のベクターは、生物（例えば、Ｃ．ｒｅｉｎｈａｒｄｔｉｉ）のコドン選択に偏っている核酸を含む。本発明の特定のベクターは、本明細書に提供される配列（配列番号１９、配列番号２０、配列番号２１、配列番号２２、配列番号２３、配列番号２４、配列番号２５、配列番号２６または配列番号２７）を含む。
【００１１】
本発明のベクターを含む宿主細胞もまた、提供される。いくつかの例において、宿主細胞は、非維管束光合成生物、例えば、光合成細菌（シアノバクテリアを含む）、藍藻門（ｃｙａｎｏｐｈｙｔａ）、原核緑色植物（ｐｒｏｃｈｌｏｒｏｐｈｙｔａ）、紅色植物門（ｒｈｏｄｏｐｈｙｔａ）、緑色植物（ｃｈｌｏｒｏｐｈｙｔａ）、不等毛植物門（ｈｅｔｅｒｏｋｏｎｔｏｐｈｙｔａ）、黄緑藻植物（ｔｒｉｂｏｐｈｙｔａ）、灰色植物（ｇｌａｕｃｏｐｈｙｔａ）、クロララクニオン植物（ｃｈｌｏｒａｒａｃｈｎｉｏｐｈｙｔｅｓ）、ユーグレナ植物門（ｅｕｇｌｅｎｏｐｈｙｔａ）、ユーグレナ類（ｅｕｇｌｅｎｏｉｄｓ）、ハプト植物門（ｈａｐｔｏｐｈｙｔａ）、黄金色植物門（ｃｈｒｙｓｏｐｈｙｔａ）、クリプト植物門（ｃｒｙｐｔｏｐｈｙｔａ）、クリプト藻網（ｃｒｙｐｔｏｍｏｎａｄｓ）、渦鞭毛植物門（ｄｉｎｏｐｈｙｔａ）、渦鞭毛藻類（ｄｉｎｏｆｌａｇｅｌｌａｔａ）、プリネシウム藻類（ｐｙｒｍｎｅｓｉｏｐｈｙｔａ）、珪藻類（ｂａｃｉｌｌａｒｉｏｐｈｙｔａ）、黄緑色植物門（ｘａｎｔｈｏｐｈｙｔａ）、ユーステグマト植物門（ｅｕｓｔｉｇｍａｔｏｐｈｙｔａ）、ラフィド藻門（ｒａｐｈｉｄｏｐｈｙｔａ）、褐藻網（ｐｈａｅｏｐｈｙｔａ）、および植物プランクトン（ｐｈｙｔｏｐｌａｎｋｔｏｎ）と分類される生物である。本発明の宿主細胞はまた、限定されないが、Ｃ．ｒｅｉｎｈａｒｄｔｉｉ、Ｄ．ｓａｌｉｎａまたはＨ．ｐｌｕｖａｌｉｓを含む、微細藻類種であってもよい。他の例において、宿主細胞は、多細胞光合成生物の１つ以上の細胞であってもよい。一部の実施形態に関して、宿主細胞は、光の非存在下および／または有機炭素源の存在下で増殖してもよい。
【００１２】
本発明はまた、１つ以上の非維管束光合成生物由来の１つ以上の外因性バイオマス分解酵素を含む組成物を提供する。一部の例において、それらの組成物はまた、非維管束光合成生物の要素を含んでもよい。酵素対その生物の要素の比（ｗ／ｗ）は、少なくとも１：１０であってもよいか、またはその要素は、微量のみで見出されてもよい。組成物のうちの一部は、以下の酵素のうちの少なくとも１つを含む：エキソ−β−グルカナーゼ、エンド−β−グルカナーゼ、β−グルコシダーゼ、エンドキシラナーゼおよび／またはリグナーゼ；ここで、これらの酵素は、以下の生物のうちの１つ以上から単離される：Ｃ．ｒｅｉｎｈａｒｄｔｉｉ、Ｄ．ｓａｌｉｎａ、Ｈ．ｐｌｕｖａｌｉｓ、光合成細菌（シアノバクテリアを含む）、藍藻門（ｃｙａｎｏｐｈｙｔａ）、原核緑色植物（ｐｒｏｃｈｌｏｒｏｐｈｙｔａ）、紅色植物門（ｒｈｏｄｏｐｈｙｔａ）、緑色植物（ｃｈｌｏｒｏｐｈｙｔａ）、不等毛植物門（ｈｅｔｅｒｏｋｏｎｔｏｐｈｙｔａ）、黄緑藻植物（ｔｒｉｂｏｐｈｙｔａ）、灰色植物（ｇｌａｕｃｏｐｈｙｔａ）、クロララクニオン植物（ｃｈｌｏｒａｒａｃｈｎｉｏｐｈｙｔｅｓ）、ユーグレナ植物門（ｅｕｇｌｅｎｏｐｈｙｔａ）、ユーグレナ類（ｅｕｇｌｅｎｏｉｄｓ）、ハプト植物門（ｈａｐｔｏｐｈｙｔａ）、黄金色植物門（ｃｈｒｙｓｏｐｈｙｔａ）、クリプト植物門（ｃｒｙｐｔｏｐｈｙｔａ）、クリプト藻網（ｃｒｙｐｔｏｍｏｎａｄｓ）、渦鞭毛植物門（ｄｉｎｏｐｈｙｔａ）、渦鞭毛藻類（ｄｉｎｏｆｌａｇｅｌｌａｔａ）、プリネシウム藻類（ｐｙｒｍｎｅｓｉｏｐｈｙｔａ）、珪藻類（ｂａｃｉｌｌａｒｉｏｐｈｙｔａ）、黄緑色植物門（ｘａｎｔｈｏｐｈｙｔａ）、ユーステグマト植物門（ｅｕｓｔｉｇｍａｔｏｐｈｙｔａ）、ラフィド藻門（ｒａｐｈｉｄｏｐｈｙｔａ）、褐藻網（ｐｈａｅｏｐｈｙｔａ）、および植物プランクトン（ｐｈｙｔｏｐｌａｎｋｔｏｎ）。一部の実施形態に関して、生物は、光の非存在下および／または有機炭素源の存在下で増殖してもよい。
【００１３】
本発明はまた、複数のベクターを含む組成物を提供し、その複数のベクターの各々は、葉緑体において異なるバイオマス分解酵素および前記バイオマス分解酵素を発現するためのプロモーターをコードする。このような組成物は、特定の酵素をコードする特定のベクターの複数のコピーを含んでもよい。一部の例において、ベクターは、セルロース分解酵素、ヘミセルロース分解酵素および／またはリグニン分解酵素をコードする核酸を含む。より具体的には、複数のベクターは、エキソ−β−グルカナーゼ、エンド−β−グルカナーゼ、β−グルコシダーゼ、エンドキシラナーゼおよび／またはリグナーゼを発現できるベクターを含んでもよい。この実施形態のベクターの一部は、葉緑体ゲノムに挿入でき、このような挿入により、形質転換した葉緑体の光合成能力の破壊を引き起こし得る。葉緑体ゲノムへの他のベクターの挿入は、形質転換した葉緑体の光合成能力を破壊しない。一部のベクターは、形質転換した葉緑体において隔離されたバイオマス分解酵素の発現を提供する。さらに他のベクターは、本明細書に提供される特定の配列（配列番号１９、配列番号２０、配列番号２１、配列番号２２または配列番号２３、配列番号２４、配列番号２５、配列番号２６または配列番号２７）を含んでもよい。本発明はまた、上記のベクター組成物を含む藻細胞を提供し、具体的には、ベクター組成物を含む、Ｃ．ｒｅｉｎｈａｒｄｔｉｉ、Ｄ．ｓａｌｉｎａまたはＨ．ｐｌｕｖａｌｉｓ細胞を提供する。一部の実施形態に関して、細胞は、光の非存在下および／または有機炭素源の存在下で増殖してもよい。
【００１４】
本発明の別のベクターは、非維管束光合成生物において、複数の別個のバイオマス分解酵素およびバイオマス分解酵素を発現するためのプロモーターをコードする。バイオマス分解酵素は、１つ以上のセルロース分解酵素、ヘミセルロース分解酵素またはリグニン分解酵素であってもよい。一部のベクターにおいて、複数の別個のバイオマス分解酵素は、２つ以上のエキソ−β−グルカナーゼ、エンド−β−グルカナーゼ、β−グルコシダーゼ、リグナーゼおよびエンドキシラナーゼである。一部の実施形態において、複数の酵素は、作動可能に連結される。他の実施形態において、複数の酵素は、機能タンパク質複合体として発現される。宿主細胞ゲノムへの一部のベクターの挿入は、生物の光合成しない。複数の別個の酵素をコードするベクターは、形質転換した生物の葉緑体において隔離された酵素の産生を引き起こし得る。本発明はまた、複数の別個の酵素をコードするベクターで形質転換された藻細胞またはシアノバクテリア細胞を提供する。一部の例において、藻細胞は、Ｃ．ｒｅｉｎｈａｒｄｔｉｉ、Ｄ．ｓａｌｉｎａまたはＨ．ｐｌｕｖａｌｉｓである。他の例において、シアノバクテリア細胞は、Ｓｙｎｅｃｈｏｃｙｓｔｉｓ属またはＳｙｎｅｃｈｏｃｏｃｃｕｓ属またはＡｔｈｒｏｓｐｉｒａ属の種である。一部の実施形態に関して、生物は、光の非存在下および／または有機炭素源の存在下で増殖してもよい。
【００１５】
本発明のさらに別の態様は、１つ以上のバイオマス分解酵素を産生する遺伝子改変された葉緑体を提供する。このような酵素は、セルロース分解酵素、ヘミセルロース分解酵素またはリグニン分解酵素であってもよく、より具体的には、エキソ−β−グルカナーゼ、エンド−β−グルカナーゼ、β−グルコシダーゼ、エンドキシラナーゼ、リグナーゼおよび／またはそれらの組み合わせであってもよい。一部の実施形態において、１つ以上の酵素は、葉緑体において隔離される。本発明はまた、本発明の遺伝子改変された葉緑体を含む光合成生物を提供する。
【００１６】
さらに別の態様は、バイオマス分解酵素を調製するための方法を提供する。この方法は、（１）前記バイオマス分解酵素を産生、またはその産生を増加させるために、光合成、非維管束生物を形質転換する工程、ならびに（２）前記形質転換した生物からバイオマス分解酵素を回収する工程を含む。形質転換は、異なるバイオマス分解酵素をコードする複数の異なるベクターを含む組成物で行われてもよい。形質転換はまた、複数の別個のバイオマス分解酵素をコードするベクターで行われてもよい。酵素のいずれかまたは全ては互いに作動可能に連結され得る。一部の例において、葉緑体は形質転換される。本発明のこの方法は、（ａ）：形質転換した生物を収集する工程；（ｂ）形質転換した生物を乾燥させる工程；（ｃ）細胞培地から酵素を収集する工程；（ｄ）形質転換した生物を機械的に破壊する工程；または（ｅ）形質転換した生物を化学的に破壊する工程を含む、１つ以上のさらなる工程を有してもよい。この方法はまた、液体クロマトグラフィーの実施による酵素のさらなる精製を含んでもよい。一部の例において、形質転換した生物は、藻または光合成細菌、例えば、シアノバクテリアである。一部の実施形態に関して、生物は、光の非存在下および／または有機炭素源の存在下で増殖してもよい。
【００１７】
本発明のさらに別の方法は、バイオ燃料を調製することを可能にする。この方法の１つの工程は、バイオマスの少なくとも一部を分解するのに十分な時間、光合成、非維管束生物由来の１つ以上のバイオマス分解酵素で前記バイオマスを処理する工程を含む。生産されたバイオ燃料は、エタノールであってもよい。この方法の酵素は、少なくとも微量の前記光合成、非維管束生物由来の酵素を含んでもよい。さらに、この方法の一部の実施形態に有用な酵素は、セルロース分解酵素、ヘミセルロース分解酵素およびリグニン分解酵素を含む。この方法の一部の態様に有用な特定の酵素は、エキソ−β−グルカナーゼ、エンド−β−グルカナーゼ、β−グルコシダーゼ、エンドキシラナーゼ、および／またはリグナーゼを含む。この方法の生物は、光合成細菌（シアノバクテリアを含む）、藍藻門（ｃｙａｎｏｐｈｙｔａ）、原核緑色植物（ｐｒｏｃｈｌｏｒｏｐｈｙｔａ）、紅色植物門（ｒｈｏｄｏｐｈｙｔａ）、緑色植物（ｃｈｌｏｒｏｐｈｙｔａ）、不等毛植物門（ｈｅｔｅｒｏｋｏｎｔｏｐｈｙｔａ）、黄緑藻植物（ｔｒｉｂｏｐｈｙｔａ）、灰色植物（ｇｌａｕｃｏｐｈｙｔａ）、クロララクニオン植物（ｃｈｌｏｒａｒａｃｈｎｉｏｐｈｙｔｅｓ）、ユーグレナ植物門（ｅｕｇｌｅｎｏｐｈｙｔａ）、ユーグレナ類（ｅｕｇｌｅｎｏｉｄｓ）、ハプト植物門（ｈａｐｔｏｐｈｙｔａ）、黄金色植物門（ｃｈｒｙｓｏｐｈｙｔａ）、クリプト植物門（ｃｒｙｐｔｏｐｈｙｔａ）、クリプト藻網（ｃｒｙｐｔｏｍｏｎａｄｓ）、渦鞭毛植物門（ｄｉｎｏｐｈｙｔａ）、渦鞭毛藻類（ｄｉｎｏｆｌａｇｅｌｌａｔａ）、プリネシウム藻類（ｐｙｒｍｎｅｓｉｏｐｈｙｔａ）、珪藻類（ｂａｃｉｌｌａｒｉｏｐｈｙｔａ）、黄緑色植物門（ｘａｎｔｈｏｐｈｙｔａ）、ユーステグマト植物門（ｅｕｓｔｉｇｍａｔｏｐｈｙｔａ）、ラフィド藻門（ｒａｐｈｉｄｏｐｈｙｔａ）、褐藻網（ｐｈａｅｏｐｈｙｔａ）、および植物プランクトン（ｐｈｙｔｏｐｌａｎｋｔｏｎ）を含んでもよい。この方法に使用される他の生物は、限定されないが、Ｃ．ｒｅｉｎｈａｒｄｔｉｉ、Ｄ．ｓａｌｉｎａおよびＨ．ｐｌｕｖａｌｉｓを含む、微細藻類である。一部の実施形態に関して、生物は、光の非存在下および／または有機炭素源の存在下で増殖してもよい。農業廃棄物、製紙工場廃棄物、トウモロコシ茎葉、コムギ茎葉、ダイズ茎葉、スイッチグラス、ウキクサ、ポプラの木、木くず、おがくず、湿った蒸留穀物（ｗｅｔ  ｄｉｓｔｉｌｌｅｒ  ｇｒａｉｎ）、乾燥した蒸留穀物（ｄｒａｙ  ｄｉｓｔｉｌｌｅｒ  ｇｒａｉｎ）、ヒトの排泄物、新聞、リサイクルした紙製品、またはヒトのゴミを含む複数の種類のバイオマスが、本発明のこの方法で処理されてもよい。バイオマスはまた、スイッチグラスまたはウキクサなどの高セルロース含有生物由来であってもよい。この方法に使用される酵素は生物から遊離されてもよく、この遊離は、その生物の細胞の化学的または機械的破壊に関与してもよい。代替の実施形態において、酵素は生物から分泌され、次いで細胞培地から回収される。バイオマスの処理は、酵素を産生する生物以外の微生物を利用し得る発酵プロセスを含んでもよい。一部の例において、非維管束光合成生物は、糖化タ���クに加えられてもよい。本発明のこの方法はまた、バイオ燃料を回収する工程を含んでもよい。回収は蒸留によって実施されてもよい。一部の例において、バイオ燃料は別の燃料と混合される。
【００１８】
本発明のさらなる方法は、バイオマス分解酵素を製造するために葉緑体を形質転換することによって少なくとも１つのバイオマス分解酵素を製造することを提供する。バイオマス分解酵素は、セルロース分解酵素、ヘミセルロース分解酵素またはリグニン分解酵素であってもよく、具体的には、エキソ−β−グルカナーゼ、エンド−β−グルカナーゼ、β−グルコシダーゼ、エンドキシラナーゼ、またはリグナーゼであってもよい。一部の例において、バイオマス分解酵素は、形質転換した葉緑体において隔離される。この方法はさらに、バイオマス分解酵素を放出するために、形質転換した葉緑体を化学的または機械的手段により破壊することを含んでもよい。一部の例において、複数の酵素は、形質転換した葉緑体によって産生される。バイオマス分解酵素は、真菌または細菌由来、例えば、エキソ−β−グルカナーゼ、エンド−β−グルカナーゼ、β−グルコシダーゼ、エンドキシラナーゼ、リグナーゼまたはそれらの組み合わせであってもよい。
【００１９】
本発明のさらに別の方法は、非維管束光合成生物の葉緑体由来の第１の核酸配列を増幅させる工程、および前記生物の前記葉緑体由来の第２の核酸配列を増幅させる工程によって、形質転換した前記生物をスクリーニングする工程、ならびに前記第１の配列および第２の配列の増幅からの結果に基づいて前記生物の原形質状態を決定する工程を提供する。一部の例において、第１および第２の増幅させる工程は、同時に実施される。第１の核酸配列は、内因性葉緑体ゲノム配列であってもよく、第２の核酸配列は、少なくとも部分的に外因性核酸由来であってもよい。一部の例において、葉緑体由来の第３の核酸配列が、コントロールとして増幅されてもよい。この第３の核酸配列は、外因性核酸の組み込み後、インタクトなままの野生型配列であってもよい。この第３の核酸が増幅される場合、このような増幅は、第１または第２の増幅工程と同時に実施されてもよいか、あるいは３つの増幅の全てが同時に実施されてもよい。この方法の増幅に関して、本明細書に提供される特異的プライマー−配列番号１、配列番号２、配列番号３、配列番号４、配列番号５、配列番号６、配列番号７、配列番号８、配列番号９、配列番号１０、配列番号１１、配列番号１２、配列番号１３、配列番号１４、または配列番号１５が使用されてもよい。第１および／または第２の核酸の増幅は、３０サイクルより多いＰＣＲを利用してもよい。一部の例において、原形質状態を決定することは、増幅工程からの産物の視覚分析によって実施される。１つ以上の増幅は、リアルタイムまたは定量的ＰＣＲを用いて実施されてもよい。
【００２０】
この方法によって決定される原形質状態はホモプラスミーであってもよく、試験される生物は微細藻類、具体的には、微細藻類種Ｃ．ｒｅｉｎｈａｒｄｔｉｉ、Ｄ．ｓａｌｉｎａまたはＨ．ｐｌｕｖａｌｉｓのうちの１つであってもよい。この方法において、生物は、目的の遺伝子および選択可能なマーカーを含む外因性核酸を含んでもよい。目的の遺伝子は、バイオマス分解酵素、例えば、セルロース分解酵素、ヘミセルロース分解酵素またはリグニン分解酵素をコードしてもよい。具体的には、バイオマス分解酵素は、エキソ−β−グルカナーゼ、エンド−β−グルカナーゼ、β−グルコシダーゼ、エンドキシラナーゼまたはリグナーゼであってもよい。さらに、外因性核酸は、本明細書に具体的に提供される核酸−配列番号１９、配列番号２０、配列番号２１、配列番号２２、配列番号２３、配列番号２４、配列番号２５、配列番号２６、配列番号２７、配列番号２８、配列番号２９、配列番号３０または配列番号３１のうちの１つであってもよい。
【００２１】
本発明はまた、同質細胞質の葉緑体集団を含む非維管束光合成生物を提供し、ここで、葉緑体集団は外因性核酸を含み、葉緑体集団の同質細胞質状態は、少なくとも２つの異なるＰＣＲ反応により決定される。一部の例において、葉緑体集団は１つより多い葉緑体である。非維管束光合成生物は、微細藻類、具体的には、Ｃ．ｒｅｉｎｈａｒｄｔｉｉ、Ｄ．ｓａｌｉｎａまたはＨ．ｐｌｕｖａｌｉｓのうちの１つであってもよい。生物は、同時に実施される少なくとも２つの異なるＰＣＲ反応を用いてスクリーニングされてもよい。これらのＰＣＲ反応は、本明細書に開示される特異的プライマー−配列番号１、配列番号２、配列番号３、配列番号４、配列番号５、配列番号６、配列番号７、配列番号８、配列番号９、配列番号１０、配列番号１１、配列番号１２、配列番号１３、配列番号１４、または配列番号１５のうちの１つを利用してもよい。ＰＣＲ反応は３０より多いサイクルを利用してもよい。
【００２２】
生物は、少なくとも１つの目的の遺伝子および選択可能なマーカーを含む外因性核酸を含んでもよい。この遺伝子は、バイオマス分解酵素、具体的には、セルロース分解酵素、ヘミセルロース分解酵素またはリグニン分解酵素をコードしてもよい。さらにより具体的には、バイオマス分解酵素は、エキソ−β−グルカナーゼ、エンド−β−グルカナーゼ、β−グルコシダーゼ、エンドキシラナーゼまたはリグナーゼであってもよい。本発明のこの生物に存在する外因性核酸は、本明細書に具体的に記載される核酸−配列番号１９、配列番号２０、配列番号２１、配列番号２２、配列番号２３、配列番号２４、配列番号２５、配列番号２６、配列番号２７、配列番号２８、配列番号２９、配列番号３０、または配列番号３１であってもよい。
【００２３】
遺伝子改変された同質細胞質の非維管束光合成生物を産生するための別の方法が本明細書に提供される。この方法は、生物の少なくとも１つの葉緑体を外因性核酸で形質転換する工程、第１の核酸配列および第２の核酸配列を増幅させる工程、ならびに増幅させる工程からの結果に基づいて生物の原形質状態を決定する工程を含む。第１の核酸配列および第２の核酸配列は、葉緑体ゲノム内であってもよい。さらに、第１の核酸配列は内因性葉緑体配列であってもよい。第２の核酸配列は、少なくとも部分的に外因性核酸由来であってもよい。この方法はまた、コントロールとして葉緑体由来の第３の核酸配列を増幅させる工程を含んでもよい。一部の例において、第３の核酸は、外因性核酸の組み込み後、インタクトなままである野生型配列である。この方法は、本明細書に具体的に開示されるプライマー−配列番号１、配列番号２、配列番号３、配列番号４、配列番号５、配列番号６、配列番号７、配列番号８、配列番号９、配列番号１０、配列番号１１、配列番号１２、配列番号１３、配列番号１４、または配列番号１５のうちの１つを用いるＰＣＲを含んでもよい。第１の核酸配列および第２の核酸配列の増幅は、３０より多いサイクルのＰＣＲを利用してもよい。この方法を用いる原形質状態の決定は、増幅させる工程の産物の視覚的分析を含んでもよい。
【００２４】
この方法によって決定される原形質状態は、ホモプラスミーであってもよく、生物は、微細藻類、具体的には、Ｃ．ｒｅｉｎｈａｒｄｔｉｉ、Ｄ．ｓａｌｉｎａまたはＨ．ｐｌｕｖａｌｉｓ種のうちの１つであってもよい。外因性核酸は、少なくとも１つの目的の遺伝子および選択可能なマーカーを含んでもよい。一部の例において、目的の遺伝子は、バイオマス分解酵素、具体的には、セルロース分解酵素、ヘミセルロース分解酵素またはリグニン分解酵素をコードする。さらにより具体的には、バイオマス分解酵素は、エキソ−β−グルカナーゼ、エンド−β−グルカナーゼ、β−グルコシダーゼ、エンドキシラナーゼまたはリグナーゼであってもよい。さらに、外因性核酸は、本明細書に具体的に開示される核酸−配列番号１９、配列番号２０、配列番号２１、配列番号２２、配列番号２３、配列番号２４、配列番号２５、配列番号２６、配列番号２７、配列番号２８、配列番号２９、配列番号３０、または配列番号３１であってもよい。
【００２５】
本発明の別の実施形態は、遺伝子改変された非維管束光合成生物の原形質状態を決定するためのキットである。このようなキットは、内因性配列に対応する葉緑体ゲノムの第１の核酸配列を増幅させるための増幅プライマー、および導入されるか、または非天然に存在する配列である葉緑体ゲノムの第２の核酸配列を増幅させるための増幅プライマーを含んでもよい。キットはまた、ＰＣＲバッファーおよび／またはコントロール核酸配列を増幅させるための増幅プライマーを含んでもよい。キットは、本明細書に具体的に開示されるＰＣＲプライマー−配列番号１、配列番号２、配列番号３、配列番号４、配列番号５、配列番号６、配列番号７、配列番号８、配列番号９、配列番号１０、配列番号１１、配列番号１２、配列番号１３、配列番号１４、または配列番号１５のうちの１つ以上を含んでもよい。本発明のキットにおける第１の核酸配列を増幅させるためのプライマーは、ｐｓｂＡ  ５’ＵＴＲ、ｐｓｂＡコード配列、ｐｓｂＣ  ５’ＵＴＲ、ｐｓｂＤ  ５’ＵＴＲ、ａｔｐＡ  ５’ＵＴＲ、または３ＨＢ遺伝子座のうちの少なくとも一部に結合してもよい。一部の例において、第２の核酸配列を増幅させるためのプライマーのうちの少なくとも１つは、バイオマス分解酵素、例えば、セルロース分解酵素、ヘミセルロース分解酵素またはリグニン分解酵素をコードする配列のうちの少なくとも一部に結合する。第２の核酸によってコードされる特定のバイオマス分解酵素は、エキソ−β−グルカナーゼ、エンド−β−グルカナーゼ、β−グルコシダーゼ、エンドキシラナーゼまたはリグナーゼであってもよい。プライマーは、本明細書に具体的に開示される配列−配列番号１９、配列番号２０、配列番号２１、配列番号２２、配列番号２３、配列番号２４、配列番号２５、配列番号２６、配列番号２７、配列番号２８、配列番号２９、配列番号３０、または配列番号３１の１つ以上のうちの少なくとも一部を増幅させてもよい。さらに、キットは使用のための指示書を含んでもよい。
【００２６】
本発明の新規な特徴は、添付の特許請求の範囲における詳細とともに記載される。本発明の特徴および利点のより良い理解は、例示的な実施形態を記載する以下の詳細な説明に対する参照により得られ、ここで、本発明の原理および添付の図面が利用される。
【図面の簡単な説明】
【００２７】
【図１】図１は、藻細胞の形質転換、選択、確認、および酵素産生のスケーリングを示す。
【図２】図２は、葉緑体ゲノムへの遺伝子の挿入についての２つの構築物を示す。
【図３Ａ】図３Ａは、形質転換体のＰＣＲスクリーニングのためのプライマー対、ならびに野生型、異質細胞質および同質細胞質株のための予想されるバンドプロファイルを示す。
【図３Ｂ】図３Ｂは、形質転換体のＰＣＲスクリーニングのためのプライマー対、ならびに野生型、異質細胞質および同質細胞質株のための予想されるバンドプロファイルを示す。
【図３Ｃ】図３Ｃは、形質転換体のＰＣＲスクリーニングのためのプライマー対、ならびに野生型、異質細胞質および同質細胞質株のための予想されるバンドプロファイルを示す。
【図４Ａ】図４Ａは、エンド−β−グルカナーゼ形質転換したＣ．ｒｅｉｎｈａｒｄｔｉｉクローンのＰＣＲスクリーニングおよびウェスタンブロット解析からの結果を示す。
【図４Ｂ】図４Ｂは、エンド−β−グルカナーゼ形質転換したＣ．ｒｅｉｎｈａｒｄｔｉｉクローンのＰＣＲスクリーニングおよびウェスタンブロット解析からの結果を示す。
【図４Ｃ】図４Ｃは、エンド−β−グルカナーゼ形質転換したＣ．ｒｅｉｎｈａｒｄｔｉｉクローンのＰＣＲスクリーニングおよびウェスタンブロット解析からの結果を示す。
【図４Ｄ】図４Ｄは、エンド−β−グルカナーゼ形質転換したＣ．ｒｅｉｎｈａｒｄｔｉｉクローンのＰＣＲスクリーニングおよびウェスタンブロット解析からの結果を示す。
【図５Ａ】図５Ａは、エキソ−β−グルカナーゼ形質転換したＣ．ｒｅｉｎｈａｒｄｔｉｉクローンのＰＣＲスクリーニングおよびウェスタンブロット解析からの結果を示す。
【図５Ｂ】図５Ｂは、エキソ−β−グルカナーゼ形質転換したＣ．ｒｅｉｎｈａｒｄｔｉｉクローンのＰＣＲスクリーニングおよびウェスタンブロット解析からの結果を示す。
【図５Ｃ】図５Ｃは、エキソ−β−グルカナーゼ形質転換したＣ．ｒｅｉｎｈａｒｄｔｉｉクローンのＰＣＲスクリーニングおよびウェスタンブロット解析からの結果を示す。
【図５Ｄ】図５Ｄは、エキソ−β−グルカナーゼ形質転換したＣ．ｒｅｉｎｈａｒｄｔｉｉクローンのＰＣＲスクリーニングおよびウェスタンブロット解析からの結果を示す。
【図６Ａ】図６Ａは、β−グルコシダーゼ形質転換したＣ．ｒｅｉｎｈａｒｄｔｉｉクローンのＰＣＲスクリーニングおよびウェスタンブロット解析からの結果を示す。
【図６Ｂ】図６Ｂは、β−グルコシダーゼ形質転換したＣ．ｒｅｉｎｈａｒｄｔｉｉクローンのＰＣＲスクリーニングおよびウェスタンブロット解析からの結果を示す。
【図６Ｃ】図６Ｃは、β−グルコシダーゼ形質転換したＣ．ｒｅｉｎｈａｒｄｔｉｉクローンのＰＣＲスクリーニングおよびウェスタンブロット解析からの結果を示す。
【図６Ｄ】図６Ｄは、β−グルコシダーゼ形質転換したＣ．ｒｅｉｎｈａｒｄｔｉｉクローンのＰＣＲスクリーニングおよびウェスタンブロット解析からの結果を示す。
【図７Ａ】図７Ａは、エンドキシラナーゼ形質転換したＣ．ｒｅｉｎｈａｒｄｔｉｉクローンのＰＣＲスクリーニングおよびウェスタンブロット解析からの結果を示す。
【図７Ｂ】図７Ｂは、エンドキシラナーゼ形質転換したＣ．ｒｅｉｎｈａｒｄｔｉｉクローンのＰＣＲスクリーニングおよびウェスタンブロット解析からの結果を示す。
【図７Ｃ】図７Ｃは、エンドキシラナーゼ形質転換したＣ．ｒｅｉｎｈａｒｄｔｉｉクローンのＰＣＲスクリーニングおよびウェスタンブロット解析からの結果を示す。
【図７Ｄ】図７Ｄは、エンドキシラナーゼ形質転換したＣ．ｒｅｉｎｈａｒｄｔｉｉクローンのＰＣＲスクリーニングおよびウェスタンブロット解析からの結果を示す。
【図８】図８は、形質転換したＣ．ｒｅｉｎｈａｒｄｔｉｉクローンによって産生されたエンド−β−グルカナーゼタンパク質のレベルの決定を示す。
【図９】図９は、葉緑体ゲノムへの複数の遺伝子の挿入についての全体的な構築物を示す、本発明の実施形態の図的表現を示す。
【図１０Ａ】図１０Ａは、エンド−β−グルカナーゼ形質転換したＣ．ｒｅｉｎｈａｒｄｔｉｉクローンのＰＣＲスクリーニングおよびウェスタンブロット解析からの結果を示す。
【図１０Ｂ】図１０Ｂは、エンド−β−グルカナーゼ形質転換したＣ．ｒｅｉｎｈａｒｄｔｉｉクローンのＰＣＲスクリーニングおよびウェスタンブロット解析からの結果を示す。
【図１０Ｃ】図１０Ｃは、エンド−β−グルカナーゼ形質転換したＣ．ｒｅｉｎｈａｒｄｔｉｉクローンのＰＣＲスクリーニングおよびウェスタンブロット解析からの結果を示す。
【図１１Ａ】図１１Ａは、β−グルコシダーゼ形質転換したＣ．ｒｅｉｎｈａｒｄｔｉｉクローンのＰＣＲスクリーニングおよびウェスタンブロット解析からの結果を示す。
【図１１Ｂ】図１１Ｂは、β−グルコシダーゼ形質転換したＣ．ｒｅｉｎｈａｒｄｔｉｉクローンのＰＣＲスクリーニングおよびウェスタンブロット解析からの結果を示す。
【図１１Ｃ】図１１Ｃは、β−グルコシダーゼ形質転換したＣ．ｒｅｉｎｈａｒｄｔｉｉクローンのＰＣＲスクリーニングおよびウェスタンブロット解析からの結果を示す。
【図１２Ａ】図１２Ａは、葉緑体ゲノムへの挿入についての２つの外因性ＤＮＡ構築物の図的表現を示す。
【図１２Ｂ】図１２Ｂは、葉緑体ゲノムへの挿入についての２つの外因性ＤＮＡ構築物の図的表現を示す。
【図１３Ａ】図１３Ａは、シアノバクテリアゲノムへの挿入についての２つの外因性ＤＮＡ構築物の図的表現を示す。
【図１３Ｂ】図１３Ｂは、シアノバクテリアゲノムへの挿入についての２つの外因性ＤＮＡ構築物の図的表現を示す。
【図１４Ａ】図１４Ａは、エンド−β−グルカナーゼ形質転換したＣ．ｒｅｉｎｈａｒｄｔｉｉクローンのＰＣＲスクリーニングおよびウェスタンブロット解析からの結果を示す。
【図１４Ｂ】図１４Ｂは、エンド−β−グルカナーゼ形質転換したＣ．ｒｅｉｎｈａｒｄｔｉｉクローンのＰＣＲスクリーニングおよびウェスタンブロット解析からの結果を示す。
【図１４Ｃ】図１４Ｃは、エンド−β−グルカナーゼ形質転換したＣ．ｒｅｉｎｈａｒｄｔｉｉクローンのＰＣＲスクリーニングおよびウェスタンブロット解析からの結果を示す。
【図１５Ａ】図１５Ａは、エンドキシラナーゼ形質転換したＣ．ｒｅｉｎｈａｒｄｔｉｉクローンのＰＣＲスクリーニングおよびウェスタンブロット解析からの結果を示す。
【図１５Ｂ】図１５Ｂは、エンドキシラナーゼ形質転換したＣ．ｒｅｉｎｈａｒｄｔｉｉクローンのＰＣＲスクリーニングおよびウェスタンブロット解析からの結果を示す。
【図１５Ｃ】図１５Ｃは、エンドキシラナーゼ形質転換したＣ．ｒｅｉｎｈａｒｄｔｉｉクローンのＰＣＲスクリーニングおよびウェスタンブロット解析からの結果を示す。
【図１６Ａ】図１６Ａは、エキソ−β−グルカナーゼ形質転換したＣ．ｒｅｉｎｈａｒｄｔｉｉクローンのＰＣＲスクリーニングおよびウェスタンブロット解析からの結果を示す。
【図１６Ｂ】図１６Ｂは、エキソ−β−グルカナーゼ形質転換したＣ．ｒｅｉｎｈａｒｄｔｉｉクローンのＰＣＲスクリーニングおよびウェスタンブロット解析からの結果を示す。
【図１６Ｃ】図１６Ｃは、エキソ−β−グルカナーゼ形質転換したＣ．ｒｅｉｎｈａｒｄｔｉｉクローンのＰＣＲスクリーニングおよびウェスタンブロット解析からの結果を示す。
【図１７】図１７は、細菌によって産生されたバイオマス分解酵素の活性を示す。
【発明を実施するための形態】
【００２８】
本明細書に使用される技術および科学用語は、他に定義されない限り、本発明に関係する当業者によって、一般的に理解される意味を有する。当業者に公知の種々の物質および方法論に対して参照がなされる。組み換えＤＮＡ技術の一般的原理を記載している標準的な参考文献としては、Ｓａｍｂｒｏｏｋら，“Ｍｏｌｅｃｕｌａｒ  Ｃｌｏｎｉｎｇ：Ａ  Ｌａｂｏｒａｔｏｒｙ  Ｍａｎｕａｌ”，第２版，Ｃｏｌｄ  Ｓｐｒｉｎｇ  Ｈａｒｂｏｒ  Ｌａｂｏｒａｔｏｒｙ  Ｐｒｅｓｓ，Ｐｌａｉｎｖｉｅｗ，Ｎ．Ｙ．，１９８９；Ｋａｕｆｍａｎら，ｅｄｓ．，“Ｈａｎｄｂｏｏｋ  ｏｆ  Ｍｏｌｅｃｕｌａｒ  ａｎｄ  Ｃｅｌｌｕｌａｒ  Ｍｅｔｈｏｄｓ  ｉｎ  Ｂｉｏｌｏｇｙ  ａｎｄ  Ｍｅｄｉｃｉｎｅ”，ＣＲＣ  Ｐｒｅｓｓ，Ｂｏｃａ  Ｒａｔｏｎ，１９９５；およびＭｃＰｈｅｒｓｏｎ，ｅｄ．，“Ｄｉｒｅｃｔｅｄ  Ｍｕｔａｇｅｎｅｓｉｓ：Ａ  Ｐｒａｃｔｉｃａｌ  Ａｐｐｒｏａｃｈ”，ＩＲＬ  Ｐｒｅｓｓ，Ｏｘｆｏｒｄ，１９９１が挙げられる。本発明の選択される態様に有用な酵母遺伝学の一般的方法論および原理を教示している標準的な参考文献としては、Ｓｈｅｒｍａｎら“Ｌａｂｏｒａｔｏｒｙ  Ｃｏｕｒｓｅ  Ｍａｎｕａｌ  Ｍｅｔｈｏｄｓ  ｉｎ  Ｙｅａｓｔ  Ｇｅｎｅｔｉｃｓ”，Ｃｏｌｄ  Ｓｐｒｉｎｇ  Ｈａｒｂｏｒ  Ｌａｂｏｒａｔｏｒｙ，Ｃｏｌｄ  Ｓｐｒｉｎｇ  Ｈａｒｂｏｒ，Ｎ．Ｙ．，１９８６およびＧｕｔｈｒｉｅら，“Ｇｕｉｄｅ  ｔｏ  Ｙｅａｓｔ  Ｇｅｎｅｔｉｃｓ  ａｎｄ  Ｍｏｌｅｃｕｌａｒ  Ｂｉｏｌｏｇｙ”，Ａｃａｄｅｍｉｃ，Ｎｅｗ  Ｙｏｒｋ，１９９１が挙げられる。
【００２９】
ある値域が提供される場合、文脈が明確に他に特記しない限り、下限値の単位の１０分の１まで、その範囲の上限値と下限値の間にある各媒介値もまた具体的に開示されることが理解される。規定範囲内の任意の規定値または媒介値とその規定範囲内の任意の他の規定値または媒介値との間のより小さな各範囲も、包含される。これらのより小さな範囲の上限値および下限値は、独立的にその範囲内に含まれても範囲から除外されてもよく、より小さな範囲内にいずれかの限界値が含まれる、いずれの限界値も含まれない、または両限界値が含まれる各範囲もまた、具体的に除外される任意の限界値が規定範囲内にある限り包含される。規定範囲が限界値の一方または両方を含む場合、それら含まれた限界値のいずれか一方または両方を除外する範囲もまた含まれる。
【００３０】
本発明は、遺伝子改変された生物による、酵素、例えば、バイオマス分解酵素の産生に関する。本発明の別の態様は、限定されないが、藻類などの光合成微生物によって産生されたバイオマス分解酵素を用いて、エタノールなどの生産物を作製するために生物学的物質を使用するための組成物および方法に関する。典型的に、光合成生物は、バイオマスを分解するために必要な酵素の全てを有さなくてもよい。本発明は、藻細胞、および特に、それらの細胞の葉緑体に外因性核酸を導入する能力を利用する。酵素発現および／または酵素の経路を発現する藻株を作製するために分子生物学および遺伝子工学を用いることの１つの利点は、大量の活性酵素の産生を可能にすることである。
【００３１】
藻類の遺伝子操作された株の構築に対する１つのアプローチは、図１にフローチャートとして図示されている。見られ得るように、藻細胞（例えば、Ｃｈｌａｍｙｄｏｍｏｎａｓ  ｒｅｉｎｈａｒｄｔｉ、Ｄｕｎａｌｉｅｌｌａ  ｓａｌｉｎａ、Ｈｅｍａｔｏｃｏｃｃｕｓ  ｐｌｕｖａｌｉｓ）は、目的の遺伝子、典型的にはバイオマス分解酵素をコードする核酸で形質転換される。一部の実施形態において、形質転換は、核酸を宿主藻細胞（例えば、葉緑体）の任意のプラスチドに導入してもよい。形質転換した細胞は典型的に、外因性核酸の導入後に選択培地にプレートされる。この方法はまた、スクリーニングのための数回の工程を含んでもよい。最初に、一次形質転換体のスクリーニングは、典型的に、クローンが外因性核酸の適切な挿入を有することを決定するために行われる。適切な組み込みを示すクローンは、遺伝的安定性を確実にするためにパッチおよび再スクリーニングされてもよい。このような方法論は、形質転換体が目的の遺伝子を含むことを確実にする。多くの例において、このようなスクリーニングは、ポリメラーゼ連鎖反応（ＰＣＲ）により実施されるが、しかしながら、当該分野において公知の任意の他の適切な技術が利用されてもよい。ＰＣＲの多くの異なる方法は当該分野において公知である（例えば、ネステッド（ｎｅｓｔｅｄ）ＰＣＲ、リアルタイムＰＣＲ）。任意の所定のスクリーニングに関して、当業者は、最適なスクリーニング結果を達成するために、ＰＣＲ成分を変更してもよいことを理解するだろう。例えば、ＰＣＲが破壊された藻細胞で実施される場合、多くのこのような生物がマグネシウムキレート剤を有するため、マグネシウム濃度を高く調整することを必要としてもよい。このような例において、マグネシウム濃度は、（市販のＰＣＲキットにおける標準的な濃度と比較して）０．１、０．２、０．３、０．４、０．５、０．６、０．７、０．８、０．９、１．０、１．１、１．２、１．３、１．４、１．５、１．６、１．７、１．８、１．９、または２．０ｍＭだけ高くまたは低く調整することを必要としてもよい。従って、調整後、ＰＣＲ反応における最終マグネシウム濃度は、例えば、０．７、０．８、０．９、１．０、１．１、１．２、１．３、１．４、１．５、１．６、１．７、１．８、１．９、２．０、２．１、２．２、２．３、２．４、２．５、２．６、２．７、２．８、２．９、３．０、３．１、３．２、３．３、３．４、３．５ｍＭまたはそれ以上であってもよい。特定の例は本明細書に記載される実施例に利用されるが、しかしながら、当業者は、他のＰＣＲ技術が記載される特定のプロトコルと置き換えられてもよいことを理解するだろう。外因性核酸の適切な組み込みを有するクローンについてのスクリーニング後、典型的に、クローンはコードされたタンパク質の存在についてスクリーニングされる。タンパク質発現のスクリーニングは、典型的に、ウェスタンブロット解析および／または酵素活性アッセイにより実施される。
【００３２】
核酸組み込みおよび／またはタンパク質発現の確認後、選択されたクローンは、まず、１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０、６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、１００リットルまたはそれ以上の、より少ない容量でバイオマス分解によるバイオ燃料の生産のためにスケールアップされてもよい。最初のスケールアップ後、バイオマスのより大きなスケールの分解は、より大きな量で実施されてもよい。部分的に閉じたバイオリアクターシステムの１つの例は、図１、工程６に示される。しかしながら、バイオマス分解および／またはバイオ燃料生産のための形質転換した株の増殖はまた、池、導水管、貯水池および／または埋立地などの人工の構造においてなされてもよい。あるいは、株はまた、天然の水域、例えば、海洋、海岸、湖、または川において直接増殖されてもよい。一部の例において、形質転換した株は、エタノール生産プラントまたは他の施設の近辺で増殖される。あるいは、バイオマス分解細胞は、ＣＯ2発生領域（例えば、発電プラント、コンクリートプラント、石油精製所、他の工業施設、都市、道路など）の近辺で増殖されてもよい。このように、本明細書に開示される方法はさらに、エタノール生産プラント近辺で本明細書に記載される１つ以上の改変された生物を増殖させることによって、燃料の生産を行うか、または触媒しながら、エタノールプラントもしくは他の施設またはＣＯ2を発生する領域に対して、炭素クレジットを販売するためのビジネス方法を企図する。
【００３３】
本発明は、１つ以上の異なるバイオマス分解酵素（例えば、セルロース分解酵素、ヘミセルロース分解酵素、キシラナーゼ、リグナーゼおよびセルラーゼ）をコードする核酸で、宿主細胞（例えば、Ｃ．ｒｅｉｎｈａｒｄｔｉｉ、Ｄ．ｓａｌｉｎａ、Ｈ．ｐｌｕｖａｌｉｓおよびシアノバクテリア細胞などの藻細胞）および／または宿主細胞を含む生物を形質転換することにより、バイオマス分解酵素を製造することを企図する。一部の実施形態において、単一の酵素が産生されてもよい。例えば、前処理されたセルロース断片を２つのグルコース分子（セロビオース）に分解するセルラーゼまたはセロビオースをグルコースに分割するセルラーゼが産生されてもよい。
【００３４】
一部の宿主細胞は、１つ以上の酵素をコードする複数の遺伝子で形質転換されてもよい。例えば、単一の形質転換した細胞は、全生分解経路をコードする外因性核酸を含んでもよい。経路の１つの例としては、エキソ−β−グルカナーゼ（セルロース末端鎖で作用する）、エンド−β−グルカナーゼ（セルロース鎖の内部で作用する）、β−グルカナーゼ（セロビオースを分解することにより反応抑制因子を回避する）、およびエンドキシラナーゼ（ヘミセルロース架橋結合で作用する）をコードする遺伝子が挙げられ得る。このような全経路で形質転換した細胞および／またはそれらから抽出した酵素は、バイオマスの特定の成分を分解できる。構築物は、同じ遺伝子の複数のコピー、および／または異なる生物由来の同じ酵素をコードする複数の遺伝子、および／またはコード配列の１つ以上の部分に変異を有する複数の遺伝子を含んでもよい。
【００３５】
あるいは、バイオマス分解経路は、経路の個々の酵素で宿主細胞を形質転換し、次いで個々の酵素を産生する細胞を組み合わせることにより作製されてもよい。このアプローチは、複数の形質転換した株の相対比率を変化させることによって、目的のバイオマスとより特に適合する酵素の組み合わせを可能にする。例えば、反応経路の第１の工程が限定された工程である場合、経路の第１の酵素を発現する細胞の２倍が、混合するために加えられてもよい。
【００３６】
酵素をコードする構築物で形質転換した後、宿主細胞および／または生物を増殖させる。バイオマス分解酵素を生物／細胞から回収してもよい。回収は、限定されないが、細胞を濃縮すること、細胞の機械的または化学的破壊、ならびに細胞培地および／または細胞溶解物からの酵素の精製を含む、当該分野において公知の任意の手段であってもよい。細胞および／または生物を増殖させ、次いで任意の手段によって酵素を回収してもよい。酵素を抽出する１つの方法は、宿主細胞または宿主細胞群を収集し、次いで宿主細胞を乾燥させることによる。乾燥させた宿主細胞からの酵素は、次いで酵素を曝露するために、細胞を粉砕することにより収集される。粉砕した細胞の全産物は、次いでバイオマスを分解するために使用される。インタクトな細胞からタンパク質を抽出する多くの方法は、当該分野において周知であり、また本明細書にも企図される（例えば、酵素をコードする配列が、分泌シグナルをコードする配列に作動可能に連結される外因性核酸構築物を導入すること−抽出した酵素を増殖培地から単離すること）。細胞／生物および／または周囲媒質からタンパク質の抽出後、酵素が合計で１、２、３、４、５、６、７、８、９、１０、１１、１２、１３、１４、１５、１６、１７、１８、１９、２０、３０、４０、５０、６０、７０、８０、９０、９５、９９％またはそれ以上のタンパク質を含み得るように、タンパク質を粗抽出物から精製してもよい。精製工程としては、限定されないが、ＨＰＬＣ、親和性カラム、および抗体ベースの精製方法を用いることが挙げられる。
【００３７】
バイオマス分解酵素を抽出および利用することはまた、宿主細胞におけるバイオマス産生−調節分子をコードする核酸を含むベクターを発現することによって達成されてもよい。この実施形態において、宿主細胞はバイオマスを産生し、そしてまた、バイオマス分解酵素も産生する。次いで、バイオマス分解酵素は、宿主細胞によって産生されたバイオマスを分解できる。一部の例において、バイオマス分解酵素の精製に使用されるベクターは、連続して活性化しなくてもよい。このようなベクターは、１つ以上の活性化可能なプロモーターおよび１つ以上のバイオマス分解酵素を含んでもよい。このようなプロモーターは、例えば、バイオマスが十分な濃度まで増殖し、一定の成熟度に達した後に、バイオマス分解酵素の産生を活性化させる。
【００３８】
本発明の方法は、組み換え核酸分子を葉緑体に導入することによって実施され得、ここで、組み換え核酸分子は、少なくとも１つのポリペプチド（すなわち、１、２、３、４またはそれ以上）でコードする第１のポリヌクレオチドを含む。一部の実施形態において、ポリペプチドは、第２、第３、第４、第５、第６、第７、第８、第９、第１０および／またはその後のポリペプチドに作動可能に連結される。例えば、生分解経路におけるいくつかの酵素は、直接または間接のいずれかで連結され、その結果、その経路における１つの酵素によって産生される産物は、一旦産生されると、その経路における次の酵素に近接する。
【００３９】
葉緑体の形質転換に関して、本発明の１つの主な利点は、選択可能なマーカーおよび１つ以上の目的の遺伝子の両方を含む組み換え核酸構築物の利用である。典型的には、葉緑体の形質転換は、２つの構築物：選択可能なマーカーを含む第１の構築物および目的の遺伝子を含む第２の構築物での葉緑体の同時形質転換によって実施される。このような形質転換のスクリーニングは、多くの理由により困難で、時間がかかる。第１に、いくらかの形質転換した生物を増殖させるのに必要とされる時間が非常に長い。第２に、形質転換は、選択可能なマーカーの存在下および目的の遺伝子の存在下の両方でスクリーニングされなければならない。典型的に、目的の遺伝子のための二次スクリーニングは、サザンブロットにより実施される（例えば、ＰＣＴ／ＵＳ２００７／０７２４６５を参照のこと）。
【００４０】
本発明の構築物（図２、図９および図１２）は、形質転換体が、挿入および野生型配列に特異的なプライマーの組み合わせ（図３、レーン：Ｇ−遺伝子特異的反応；Ｃ−コントロール反応；ＷＴ−野生型反応；Ｍ−多発性）を用いてスクリーニングされ得るＰＣＲベースのスクリーニング方法を可能にする。この方法論は、迅速なスクリーニングプロセスおよび従来の技術に対する利点を提供する。例えば、連結していないマーカーを受容している形質転換体の選択は、本質的に、より低い割合のトランス遺伝子を有するクローンを生じる。このため、一次形質転換から同質細胞質系統を得る可能性は低い。目的のマーカーおよび遺伝子を連結することにより、トランス遺伝子、特に、同質細胞質クローンを有するトランスジェニッククローンを得る可能性は、第１の経路で向上する。形質転換体をスクリーニングするための特異的なＰＣＲプロトコルは、以下の実施例に詳述されるが、しかし、当業者は、これらのプロトコルを形質転換体の定量的解析を得るように変更させてもよいことを理解するだろう。例えば、特定の反応に対して異なる比率のプライマーを、挿入コピー数とコントロール反応とを比較するために利用してもよい。このような変更は、多発性反応（図３、列Ｍ）が同時または別に進行する場合に実施され得る。
【００４１】
挿入コピー数の決定は、目的の外因性遺伝子の発現の最適レベルが、部分的に遺伝子コピー数によって決定される一部の実施形態において重要であり得る。例えば、細胞における葉緑体ゲノムのコピーの半分未満の外因性核酸の組み込みを生じる藻宿主細胞（例えば、Ｃ．ｒｅｉｎｈａｒｄｔｉｉ、Ｄ．ｓａｌｉｎａ、Ｈ．ｐｌｕｖａｌｉｓ）の形質転換は、目的の遺伝子の検出可能な発現をほとんど、または全く生じ得ない。あるいは、細胞における葉緑体ゲノムの全てのコピーにおける外因性核酸の組み込みは、ゲノムの少数の最初のコピーである目的の遺伝子の検出可能な発現をほとんど、または全く生じ得ない（例えば、定量的ＰＣＲ分析は、少ない挿入コピー数を有する同質細胞質のクローンの排除を可能にし、それによって、目的の遺伝子および／またはポリペプチドの十分に高い産生を有さなくてもよい）。他の実施形態において、外因性核酸の組み込みの最適なレベルが存在してもよい。一部の例において、外因性ＤＮＡは、特定の範囲のコピー数で存在する場合、転写、翻訳、または他の制御機構であろうとなかろうと、最適に産生されるタンパク質をコードし得る。従って、例えば、定量的ＰＣＲによるこのような外因性ＤＮＡのコピー数の決定は、有効なレベルで目的のタンパク質を産生する形質転換した生物の選択および／または産生を可能にし得る。
【００４２】
さらに、本発明の組み換え核酸分子は、第２および／またはその後のヌクレオチド配列に作動可能に連結され得る。例えば、生分解経路の酵素をコードするヌクレオチド配列は、それらの配列の発現が、誘導刺激因子で制御され得るか、または単一の転写活性因子によって制御され得るように作動可能に連結され得る。このようなシステムは、細菌のオペロン（例えば、Ｅｓｃｈｅｒｉｓｃｈｉａ  ｃｏｌｉ  Ｌａｃオペロン）に類似している。しかしながら、本発明における作動可能に連結されたヌクレオチド配列のこれらの配合は、植物プラスチドにおいて機能するように合成および設計され、好ましくは葉緑体ゲノムに挿入される。
【００４３】
本明細書に使用される場合、用語「作動可能に連結された」とは、２つ以上の分子が、単一の単位として作動し、一方または両方の分子あるいはその組み合わせに起因する機能に作用するように互いに対して位置することを意味する。例えば、ポリペプチドをコードするポリヌクレオチドは、転写または翻訳調節エレメントに作動可能に連結されてもよく、この場合において、そのエレメントは、調節エレメントが、細胞において通常会合するポリヌクレオチド配列に作用するのと同様の方法でポリヌクレオチドにその調節作用を与える。配列をコードする第１のポリヌクレオチドはまた、第２（またはそれ以上）のコード配列に作動可能に連結されてもよく、それによって、キメラポリペプチドは、作動可能に連結されたコード配列から発現され得る。このような構築物から産生されるキメラポリペプチドは、融合タンパク質であってもよく、ここで、２つ（またはそれ以上）のコードされたペプチドは、単一のポリペプチドに翻訳される。すなわち、ペプチド結合を介して、直接または短いスペーサー領域とともに、いずれかで共有結合される。
【００４４】
葉緑体において、遺伝子発現の調節は、通常、転写後、しばしば翻訳開始の間に起こる。この調節は、葉緑体翻訳装置、および核によってコードされた調節因子に依存する（ＢａｒｋａｎおよびＧｏｌｄｓｃｈｍｉｄｔ−Ｃｌｅｒｍｏｎｔ，Ｂｉｏｃｈｅｍｉｅ  ８２：５５９−５７２，２０００；Ｚｅｒｇｅｓ，Ｂｉｏｃｈｅｍｉｅ  ８２：５８３−６０１，２０００を参照のこと）。葉緑体翻訳装置は、通常、細菌において、葉緑体は７０Ｓリボソームを含み；５’キャップを欠くｍＲＮＡを有し、通常、３’ポリ−アデニル化テイルを含まず（Ｈａｒｒｉｓら、Ｍｉｃｒｏｂｉｏｌ．Ｒｅｖ．５８：７００−７５４，１９９４）；そして、翻訳が、クロラムフェニコールなどの選択的因子によって葉緑体および細菌において阻害される。
【００４５】
本発明の一部の方法は、コード配列に対するリボソーム結合配列（ＲＢＳ）の位置決めを利用する。このようなＲＢＳの配置が、植物の葉緑体において強固な翻訳を生じることは以前に示されており（本明細書に参照により援用される米国特許出願第２００４／００１４１７４号を参照のこと）、ポリペプチドが、典型的に、核遺伝子から発現されたポリペプチドによって横切られる細胞区画を介して進行されないという葉緑体においてポリペプチドを発現する利点があり、従って、グリコシル化などの特定の翻訳後修飾に供されない。このように、本発明の一部の方法によって産生されるポリペプチドおよびタンパク質複合体は、このような翻訳後修飾をせずに産生され得ることが予期され得る。
【００４６】
以下の議論は、バックグランドのみの方法により提供され、出願人は、開示される本発明が、葉緑体遺伝子調節の機構の開示に対する範囲または理論のいずれかに限定されることを意図しない。葉緑体において、リボソーム結合および適切な翻訳開始部位の選択は、少なくとも部分的に、シス−作動性ＲＮＡエレメントによって媒介されると考えられる。潜在的な調節因子の１つの例は、葉緑体ｍＲＮＡの５’ＵＴＲ内で同定されている（Ａｌｅｘａｎｄｅｒら，Ｎｕｃｌ．Ａｃｉｄｓ  Ｒｅｓ．２６：２２６５−２２７２，１９９８；ＨｉｒｏｓｅおよびＳｕｇｉｕｒａ，ＥＭＢＯ  Ｊ．１５：１６８７−１６９５，１９９６；Ｍａｙｆｉｅｌｄら，Ｊ．Ｃｅｌｌ  Ｂｉｏｌ．１２７：１５３７−１５４５，１９９４；Ｓａｋａｍｏｔｏら，Ｐｌａｎｔ  Ｊ．６：５０３−５１２，１９９４，これらの各々は本明細書に参照として援用される）。これらのエレメントは、核によってコードされた因子と相互作用し得る。
【００４７】
多くの葉緑体ｍＲＮＡは、原核生物のＲＢＳエレメントに似ているエレメントを含む（Ｂｏｎｈａｍ−ＳｍｉｔｈおよびＢｏｕｒｑｕｅ，Ｎｕｃｌ．Ａｃｉｄｓ  Ｒｅｓ．１７：２０５７−２０８０，１９８９；ＲｕｆおよびＫｏｓｓｅｌ，ＦＥＢＳ  Ｌｅｔｔ．２４０：４１−４４，１９８８，これらの各々は本明細書に参照として援用される）。しかしながら、葉緑体の翻訳におけるこれらのＲＢＳ配列の機能的有用性は、いくつかの研究が翻訳においてこれらのエレメントの異なる効果を示しているため、不明確である（ＢｅｔｔｓおよびＳｐｒｅｍｕｌｌｉ，Ｊ．Ｂｉｏｌ．Ｃｈｅｍ．２６９：２６４５６−２６４６５，１９９４；Ｈｉｒｏｓｅら，ＦＥＢＳ  Ｌｅｔｔ．４３０：２５７−２６０，１９９８；Ｆａｒｇｏら，Ｍｏｌ．Ｇｅｎ．Ｇｅｎｅｔ．２５７：２７１−２８２，１９９８；ＫｏｏおよびＳｐｒｅｍｕｌｌｉ，Ｊ．Ｂｉｏｌ．Ｃｈｅｍ．２６９：７４９４−７５００，１９９４；Ｒｏｃｈａｉｘ，Ｐｌａｎｔ  Ｍｏｌ．Ｂｉｏｌ．３２：３２７−３４１，１９９６）。これらの結果の解釈は、葉緑体のＲＢＳエレメントについてのコンセンサスの欠如により困難になっている。なぜなら、これらの推定ＲＢＳ配列を研究するために生成される変異は、５’ＵＴＲ内の他の重要な配列の状況を変化させ得るからである。
【００４８】
本発明の一部の局面（例えば、ベクター）は、ＲＢＳを含んでもよい。そのようなＲＢＳは化学合成され得るか、または天然の核酸分子から単離され得る（例えば、葉緑体遺伝子から単離）。ＲＢＳに加えて、５’ＵＴＲを用いる実施形態は、プロモーターなどの転写調節エレメントを含み得る。本発明で利用されるＲＢＳと同様に、５’ＵＴＲは化学合成され得るか、または天然の核酸分子から単離され得る。本発明に使用され得る５’ＵＴＲの非限定的な例としては、ａｔｐＡ  ５’ＵＴＲ；ｐｓｂＣ  ５’ＵＴＲ、ｐｓｂＤ  ５’ＵＴＲ、ｐｓｂＡ  ５’ＵＴＲ、ｒｂｃＬ  ５’ＵＴＲおよび／または１６Ｓ  ｒＲＮＡ  ５’ＵＴＲが挙げられるが、これらに限定されない。リボヌクレオチド配列はさらに、ＲＢＳに作動可能に連結される開始コドン（例えば、ＡＵＧコドン）を含んでもよい。開始コドンは、内因性（例えば、クローンされた遺伝子において天然に存在する）であってもよいか、または合成されてもよい（例えば、リンカーポリペプチドまたはＰＣＲプライマー）。
【００４９】
単離されたリボヌクレオチド配列は、限定されないが、化学合成、酵素法を用いて生成される（例えば、ＤＮＡ依存性ＲＮＡポリメラーゼもしくはＲＮＡ依存性ＲＮＡポリメラーゼを用いてＤＮＡまたはＲＮＡ鋳型から生成される）、当該分野において公知の任意の方法によって得られ得る。本発明のリボヌクレオチドをコードするＤＮＡ鋳型は、化学合成されてもよく、天然のＤＮＡ分子から単離されてもよく、または必要とされる特徴を有するように修飾される天然のＤＮＡ配列由来であってもよい。
【００５０】
用語「ポリヌクレオチド」または「ヌクレオチド配列」または「核酸分子」は、リン酸ジエステル結合によって一緒に連結される２つ以上のデオキシリボヌクレオチドまたはリボヌクレオチドの配列を意味するように本明細書に広範に使用される。このように、その用語はＲＮＡおよびＤＮＡを含み、それらは遺伝子またはそのタンパク質、ｃＤＮＡ、合成ポリデオキシリボ核酸配列などであってもよく、一本鎖または二本鎖、ならびにＤＮＡ／ＲＮＡハイブリッドであってもよい。さらに、本明細書に使用される用語は、天然の核酸分子を含み、それは細胞、ならびに、例えば、ポリメラーゼ連鎖反応（ＰＣＲ）などによる化学合成法または酵素法によって調製され得る合成ポリヌクレオチドから単離され得る。本明細書で使用する場合、用語「合成ポリヌクレオチド」は、葉緑体コドンの使用を反映するように修飾されているポリヌクレオチドを指すことを除いて、異なる用語が、例えば、組成物の異なる成分を区別するために議論の簡便さのみのために使用されることは理解されるべきである。
【００５１】
一般に、ポリヌクレオチドを含むヌクレオチドは、２’−デオキシリボースに連結されるアデニン、シトシン、グアニンまたはチミンなどの天然のデオキシリボヌクレオチドあるいはリボースに連結されるアデニン、シトシン、グアニンまたはウラシルなどのリボヌクレオチドである。しかしながら、使用に依存して、ポリヌクレオチドはまた、非天然合成ヌクレオチドまたは修飾された天然ヌクレオチドを含むヌクレオチド類似体を含んでもよい。ヌクレオチド類似体は当該分野において周知であり、ヌクレオチド類似体などを含むポリヌクレオチドとして市販されている（Ｌｉｎら，Ｎｕｃｌ．Ａｃｉｄｓ  Ｒｅｓ．２２：５２２０−５２３４，１９９４；Ｊｅｌｌｉｎｅｋら，Ｂｉｏｃｈｅｍｉｓｔｒｙ  ３４：１１３６３−１１３７２，１９９５；Ｐａｇｒａｔｉｓら，Ｎａｔｕｒｅ  Ｂｉｏｔｅｃｈｎｏｌ．１５：６８−７３，１９９７）。一般に、リン酸ジエステル結合は、本発明のポリヌクレオチドのヌクレオチドを連結するが、しかしながら、チオジエステル結合、ホスホロチオエート結合、ペプチド様結合および当該分野において公知の任意の他の結合を含む、他の結合が、合成ポリヌクレオチドを生成するために利用されてもよい（Ｔａｍら，Ｎｕｃｌ．Ａｃｉｄｓ  Ｒｅｓ．２２：９７７−９８６，１９９４；ＥｃｋｅｒおよびＣｒｏｏｋｅ，ＢｉｏＴｅｃｈｎｏｌｏｇｙ  １３：３５１３６０，１９９５）。
【００５２】
天然のヌクレオチドおよびリン酸ジエステル結合を含むポリヌクレオチドは、化学合成されてもよいか、または組み換えＤＮＡ法を用いて、鋳型として適切なポリヌクレオチドを用いて生成されてもよい。それに対し、リン酸ジエステル結合以外のヌクレオチド類似体または共有結合を含むポリヌクレオチドは一般に、化学合成されるが、Ｔ７ポリメラーゼなどの酵素は、ポリヌクレオチド内に特定の型のヌクレオチド類似体を組み込むことができ、従って、適切な鋳型からの組み換えによってこのようなポリヌクレオチドを産生するために使用され得る（Ｊｅｌｌｉｎｅｋら、上記、１９９５）。本発明の方法を実施するのに有用なポリヌクレオチドは、任意に生物から単離されてもよい。典型的に、本発明を実施するのに利用される生分解性酵素は、細菌または真菌由来のヌクレオチド配列によってコードされる。このような酵素およびそれらの供給源の非限定的な例は表１に示される。このようなポリヌクレオチドは、限定されないが、クローニング、サブクローニング、およびＰＣＲを含む、当該分野において公知の任意の手段によって単離および／または合成されてもよい。
【００５３】
ポリヌクレオチドをコードする１つ以上のコドンは、葉緑体コドンの使用を反映するように偏っていてもよい。ほとんどのアミノ酸は、２つ以上の異なる（縮重）コドンによってコードされ、種々の生物が他の生物よりも優先的に特定のコドンを利用することは十分に理解されるだろう。葉緑体においても利用されるそのような優先的コドンの使用は、本明細書において「葉緑体コドンの使用」といわれる。Ｃｈｌａｍｙｄｏｍｏｎａｓ  ｒｅｉｎｈａｒｄｔｉｉのコドンの偏りは報告されている。米国特許出願第２００４／００１４１７４号を参照のこと。
【００５４】
コドンに対する参照において使用される場合、用語「偏っている」とは、ポリヌクレオチドにおけるコドンの配列が、そのコドンが、偏りが例えば、藻細胞、葉緑体などに対する標的において優先的に使用されるものであるように変化されていることを意味する。葉緑体コドンの使用に偏っているポリヌクレオチドは、葉緑体コドンの使用に偏っているように１つ以上のコドンを変化させるために、新たに合成されてもよく、または所定の組み換えＤＮＡ技術を用いて、例えば、部位特異的突然変異誘発法により、遺伝子改変されてもよい。葉緑体コドンの偏りは、タバコと比較した藻葉緑体を含む、異なる植物において様々に変動し得る。一般に、選択された葉緑体コドンの偏りは、本発明の核酸で形質転換される植物の葉緑体コドンの使用を反映する。例えば、Ｃ．ｒｅｉｎｈａｒｄｔｉｉが宿主である場合、葉緑体コドンの使用は、藻葉緑体コドンの使用を反映するように偏っている（第３のコドン位置において約７４．６％のＡＴ偏り）。
【００５５】
本発明の１つの方法は、第１のポリペプチドおよび少なくとも第２のポリペプチドをコードするポリヌクレオチドを用いて実施され得る。このように、ポリヌクレオチドは、例えば、第１のポリペプチドおよび第２のポリペプチド；第１のポリペプチド、第２のポリペプチド、および第３のポリペプチド；などをコードし得る。さらに、コードされたポリペプチドのいずれかまたは全ては、同じであってもまたは異なっていてもよい。微細藻類Ｃ．ｒｅｉｎｈａｒｄｔｉｉの葉緑体において発現されるポリペプチドは、機能性ポリペプチドおよびタンパク質複合体を形成するように構築され得る。このように、本発明の方法は、例えば、二量体、三量体、および四量体を含む、機能性タンパク質複合体を産生するための手段を提供し、その複合体のサブユニットは、同じであってもまたは異なっていてもよい（例えば、それぞれホモ二量体またはヘテロ二量体）。
【００５６】
本明細書に使用される用語「組み換え核酸分子」は、ヒトの介入により操作されるポリヌクレオチドを指す。組み換え核酸分子は、生成物が天然の細胞において見出されない方法で連結される２つ以上のヌクレオチド配列を含んでもよい。特に、２つ以上のヌクレオチド配列は作動可能に連結され得、例えば、融合ポリペプチドをコードし得るか、またはコード化ヌクレオチド配列および調節エレメントを含み得る。組み換え核酸分子はまた、天然のポリヌクレオチドに基づいてもよいが、異なるように操作されてもよい（例えば、葉緑体コドンの使用、制限酵素部位の挿入、プロモーターの挿入、複製起点の挿入に偏っている）。組み換え核酸分子はさらに、ペプチドタグ（例えば、Ｈｉｓ−６タグ）を含んでもよく、これは細胞におけるポリペプチドの発現の同定を促進し得る。さらなるタグは、例えば、ＦＬＡＧエピトープ、ｃ−ｍｙｃエピトープ；ビオチン；およびグルタチオンＳ−トランスフェラーゼを含む。このようなタグは、当該分野において公知の任意の方法（例えば、抗タグ抗体、ストレプトアビジン）によって検出され得る。このようなタグはまた、作動可能に連結されたポリペプチドを、例えば、親和性クロマトグラフィーにより単離するために使用され得る。
【００５７】
（組成物）
（核酸）
本明細書の組成物は、１つ以上の異なるバイオマス分解酵素および／または１つ以上の異なるバイオマス産生調節因子ならびにそのような核酸のベクターをコードする核酸を含む。核酸は、挿入される光合成宿主細胞に対して異種であってもよい。ベクターは、バイオマス分解酵素をコードする核酸の１つもしくは複数のコピーおよび／またはバイオマス産生調節因子をコードする核酸の１つもしくは複数のコピーを含んでもよい。複数のコピーを用いる場合、核酸の少なくとも２、３、４、５、６、７、８、９、または１０のコピー（例えば、単一のバイオマス分解酵素をコードする）が単一のベクターに挿入され得る。これにより、宿主細胞における増加したレベルのそれらの産生が可能になる。
【００５８】
本発明の方法に有用な組み換え核酸分子は、ベクターに含まれてもよい。さらに、この方法が第２（または多く）の組み換え核酸分子を用いて実施される場合、第２の組み換え核酸分子もまた、ベクターに含まれてもよく、このベクターは、必ずしも必要としないが、第１の組み換え核酸分子を含むため、同じベクターであってもよい。ベクターは、葉緑体にポリヌクレオチドを組み込むのに有用な任意のベクターであってもよく、好ましくは、葉緑体ゲノムＤＮＡで相同的組み換えを受けるのに十分な葉緑体ゲノムＤＮＡのヌクレオチド配列、例えば、約４００〜１５００またはそれ以上の実質的に隣接する葉緑体ゲノムＤＮＡのヌクレオチドを含むヌクレオチド配列を含む。葉緑体ベクターおよびベクターとして使用するための葉緑体ゲノムの領域を選択するための方法は、周知である（例えば、Ｂｏｃｋ，Ｊ．Ｍｏｌ．Ｂｉｏｌ．３１２：４２５−４３８，２００１を参照のこと；ＳｔａｕｂおよびＭａｌｉｇａ，Ｐｌａｎｔ  Ｃｅｌｌ  ４：３９−４５，１９９２；Ｋａｖａｎａｇｈら，Ｇｅｎｅｔｉｃｓ  １５２：１１１１−１１２２，１９９９も参照のこと。これらの各々は本明細書に参照により援用される）。
【００５９】
一部の例において、そのようなベクターはプロモーターを含む。本発明に有用なプロモーターは、任意の供給源（例えば、ウイルス、細菌、真菌、原生生物、動物）に由来してもよい。本明細書に企図されるプロモーターは、光合成生物、非維管束光合成生物、および維管束光合成生物（例えば、藻類、顕花植物）に特異的であってもよい。本明細書に使用される場合、用語「非維管束光合成生物」とは、高等植物において見出されるような維管束系を有さない藻類、シアノバクテリアおよび光合成細菌を含む、任意の肉眼で見える生物または微生物を指す。一部の例において、上記の核酸は、光合成生物、例えば、藻類のプロモーターを含むベクターに挿入される。プロモーターは、葉緑体および／または他のプラスチドにおいて発現するためのプロモーターであってもよい。一部の例において、核酸は葉緑体ベースである。本明細書の核酸のいずれかの葉緑体への挿入に企図されるプロモーターの例としては、米国特許出願第２００４／００１４１７４号に開示されるものが挙げられる。プロモーターは、構成的プロモーターまたは誘導プロモーターであってもよい。プロモーターは典型的に、転写の開始部位付近に必要な核酸配列（例えば、ＴＡＴＡエレメント）を含む。
【００６０】
「構成的」プロモーターは、ほとんどの環境および発生条件下で活性化するプロモーターである。「誘導」プロモーターは、環境または発生調節下で活性化するプロモーターである。誘導プロモーター／調節エレメントの例としては、例えば、硝酸塩誘導プロモーター（Ｂａｃｋら，Ｐｌａｎｔ  ＭｏＩ．Ｂｉｏｌ．１７：９（１９９１））、または光誘導プロモーター（Ｆｅｉｎｂａｕｍら，ＭｏＩ  Ｇｅｎ．Ｇｅｎｅｔ．２２６：４４９（１９９１）；ＬａｍおよびＣｈｕａ，Ｓｃｉｅｎｃｅ  ２４８：４７１（１９９０））、または熱応答プロモーター（Ｍｕｌｌｅｒら，Ｇｅｎｅ  １１１：１６５−７３（１９９２））が挙げられる。
【００６１】
Ｃ．ｒｅｉｎｈａｒｄｔｉｉの全葉緑体ゲノムは、各々が本明細書に参照として援用されるＵＲＬ“ｂｉｏｌｏｇｙ．ｄｕｋｅ．ｅｄｕ／ｃｈｌａｍｙ ｇｅｎｏｍｅ／−ｃｈｌｏｒｏ．ｈｔｍｌ”（“ｖｉｅｗ  ｃｏｍｐｌｅｔｅ  ｇｅｎｏｍｅ  ａｓ  ｔｅｘｔ  ｆｉｌｅ”リンクおよび“ｍａｐｓ  ｏｆ  ｔｈｅ  ｃｈｌｏｒｏｐｌａｓｔ  ｇｅｎｏｍｅ”リンクを参照のこと）にてワールドワイドウェブ上で公衆に利用可能である（Ｊ．Ｍａｕｌ，Ｊ．Ｗ．Ｌｉｌｌｙ，およびＤ．Ｂ．Ｓｔｅｒｎ，未発表の結果；２００２年１月２８日に改訂された；ＧｅｎＢａｎｋ  Ａｃｃ．Ｎｏ．ＡＦ３９６９２９として公開されている）。一般に、葉緑体ゲノムＤＮＡのヌクレオチド配列は、調節配列またはコード配列を含む、遺伝子の一部でないように選択され、相同的組み換え事象に起因して破壊される場合、特に遺伝子は、例えば、葉緑体ゲノムの複製のための、または葉緑体を含む植物細胞に対する葉緑体に対する有害な効果を生成する。これに関して、Ｃ．ｒｅｉｎｈａｒｄｔｉｉ葉緑体ゲノム配列を含むウェブサイトはまた、葉緑体ゲノムのコードおよび非コード領域を示すマップを提供し、従って、本発明のベクターを構築するのに有用な配列の選択を促進する。例えば、本明細書に開示される実験に使用される葉緑体ベクター、ｐ３２２は、約１４３．１ｋｂ位におけるＥｃｏ（Ｅｃｏ  ＲＩ）部位から約１４８．５ｋｂにおけるＸｈｏ（Ｘｈｏ  Ｉ）部位まで伸長するクローンである（ＵＲＬ“ｂｉｏｌｏｇｙ．ｄｕｋｅ．ｅｄｕ／ｃｈｌａｍｙ ｇｅｎｏｍｅ／ｃｈｌｏｒｏ．ｈｔｍｌ”におけるワールドワイドウェブを参照し、“ｍａｐｓ  ｏｆ  ｔｈｅ  ｃｈｌｏｒｏｐｌａｓｔ  ｇｅｎｏｍｅ”をクリックすること；また、ＵＲＬ“ｂｉｏｌｏｇｙ．ｄｕｋｅ．ｅｄｕ／ｃｈｌａｍ−ｙ／ｃｈｌｏｒｏ／ｃｈｌｏｒｏｌ４０．ｈｔｍｌ”におけるワールドワイドウェブで直接アクセス可能である；実施例１も参照のこと）。
【００６２】
本発明を実施する際に利用されるベクターはまた、例えば、その中に含まれるベクターの複製またはヌクレオチド配列の転写を方向付けるベクター、調節エレメント、選択可能なマーカーをコードする配列などの操作を促進するクローニング部位などの配列を含む、ベクターに所望の特性を与える１つ以上のさらなるヌクレオチド配列を含んでもよい。このように、ベクターは、例えば、複数のクローニング部位などの１つ以上のクローニング部位を含んでもよく、その部位は、必ずしも必要ではないが、異種ポリヌクレオチドがベクターに挿入されて、所望のエレメントに作動可能に連結され得るように位置され得る。ベクターはまた、原核生物の複製起点（ｏｒｉ）、例えば、Ｅ．ｃｏｌｉ  ｏｒｉまたはｃｏｓｍｉｄ  ｏｒｉを含んでもよく、従って、原核生物の宿主細胞、および所望の場合、植物の葉緑体におけるベクターの経路を可能にする。
【００６３】
本明細書に使用される場合、調節エレメントの用語は、広範に、ポリヌクレオチドの転写または翻訳、あるいは作動可能に連結されるポリペプチドの局在化を調節するヌクレオチド配列を指す。例としては、限定されないが、ＲＢＳ、プロモーター、エンハンサー、転写ターミネーター、開始コドン、イントロン切除および正確なリーディングフレームの維持のためのスプライシングシグナル、終止コドン、ａｍｂｅｒまたはｏｃｈｒｅコドン、ＩＲＥＳが挙げられる。さらに、細胞区画化シグナル（すなわち、サイトゾル、核、葉緑体膜または細胞膜に対してポリペプチドを標的化する配列）。このようなシグナルは当該分野において周知であり、広範に報告されている（例えば、米国特許第５，７７６，６８９号を参照のこと）。
【００６４】
ベクターまたは他の組み換え核酸分子は、レポーターポリペプチドまたは他の選択可能なマーカーをコードするヌクレオチド配列を含んでもよい。用語「レポーター」または「選択可能なマーカー」とは、検出可能な表現型を与えるポリヌクレオチド（またはコードされたポリペプチド）を指す。レポーターは、一般に、検出可能なポリペプチド、例えば、緑色蛍光タンパク質またはルシフェラーゼなどの酵素をコードし、適切な因子（光またはルシフェリンのそれぞれの特定の波長）と接触する場合、眼によって、または適切な機器を用いて検出され得るシグナルを生成する（Ｇｉａｃｏｍｉｎ，Ｐｌａｎｔ  Ｓｃｉ．１１６：５９−７２，１９９６；Ｓｃｉｋａｎｔｈａ，Ｊ．Ｂａｃｔｅｒｉｏｌ．１７８：１２１，１９９６；Ｇｅｒｄｅｓ，ＦＥＢＳ  Ｌｅｔｔ．３８９：４４−４７，１９９６；Ｊｅｆｆｅｒｓｏｎ，ＥＭＢＯ  Ｊ．６：３９０１−３９０７，１９９７，ｆｌ−グルクロニダーゼも参照のこと）。選択可能なマーカーは、一般に、細胞において存在または発現する場合、選択的利点（または不利点）を、マーカーを含む細胞に与える分子である。例えば、他の因子の存在下で増殖する能力は細胞を死滅させる。
【００６５】
選択可能なマーカーは、そのマーカーを発現する原核細胞または植物細胞あるいはその両方を得るための手段を提供でき、従って、本発明のベクターの組成物に有用であり得る（例えば、Ｂｏｃｋ，上記，２００１を参照のこと）。選択可能なマーカーの例としては、限定されないが、代謝拮抗物質耐性を与えるもの、例えば、メトトレキサートに耐性を与えるジヒドロ葉酸還元酵素（Ｒｅｉｓｓ，Ｐｌａｎｔ  Ｐｈｙｓｉｏｌ．（Ｌｉｆｅ  Ｓｃｉ．Ａｄｖ．）１３：１４３−１４９，１９９４）；アミノグリコシドネオマイシン、カナマイシンおよびプロマイシン（ｐａｒｏｍｙｃｉｎ）に耐性を与えるネオマイシンホスホトランスフェラーゼ（Ｈｅｒｒｅｒａ−Ｅｓｔｒｅｌｌａ，ＥＭＢＯ  Ｊ．２：９８７−９９５，１９８３）、ハイグロマイシンに耐性を与えるｈｙｇｒｏ（Ｍａｒｓｈ，Ｇｅｎｅ  ３２：４８１−４８５，１９８４）、細胞がトリプトファンの代わりにインドールを利用できるｔｒｐＢ；細胞がヒスチジンの代わりにヒスチノールを利用できるｈｉｓＤ（Ｈａｒｔｍａｎ，Ｐｒｏｃ．Ｎａｔｌ．Ａｃａｄ．Ｓｃｉ．，ＵＳＡ８５：８０４７，１９８８）；細胞がマンノースを利用できるマンノース−６−リン酸イソメラーゼ（ＷＯ９４／２０６２７）；オルニチンデカルボキシラーゼ阻害因子、２−（ジフルオロメチル）−ＤＬ−オルニチンに耐性を与えるオルニチンデカルボキシラーゼ（ＤＦＭＯ；ＭｃＣｏｎｌｏｇｕｅ，１９８７，：Ｃｕｒｒｅｎｔ  Ｃｏｍｍｕｎｉｃａｔｉｏｎｓ  ｉｎ  Ｍｏｌｅｃｕｌａｒ  Ｂｉｏｌｏｇｙ，Ｃｏｌｄ  Ｓｐｒｉｎｇ  Ｈａｒｂｏｒ  Ｌａｂｏｒａｔｏｒｙ  ｅｄ．）；ならびにＢｌａｓｔｉｃｉｄｉｎ  Ｓに耐性を与えるＡｓｐｅｒｇｉｌｌｕｓ  ｔｅｒｒｅｕｓ由来のデアミナーゼ（Ｔａｍｕｒａ，Ｂｉｏｓｃｉ．Ｂｉｏｔｅｃｈｎｏｌ．Ｂｉｏｃｈｅｍ．５９：２３３６−２３３８，１９９５）が挙げられる。さらなる選択可能なマーカーとしては、除草剤抵抗性を与えるもの、例えば、ホスフィノトリシンに抵抗性を与えるホスフィノトリシンアセチルトランスフェラーゼ遺伝子（Ｗｈｉｔｅら，Ｎｕｃｌ．Ａｃｉｄｓ  Ｒｅｓ．１８：１０６２，１９９０；Ｓｐｅｎｃｅｒら，Ｔｈｅｏｒ．Ａｐｐｌ．Ｇｅｎｅｔ．７９：６２５−６３１，１９９０）、グリホサート耐性を与える変異ＥＰＳＰＶ−シンターゼ（Ｈｉｎｃｈｅｅら，ＢｉｏＴｅｃｈｎｏｌｏｇｙ  ９１：９１５−９２２，１９９８）、イミダゾリノンまたはスルホニル尿素耐性を与える変異アセト乳酸シンターゼ（Ｌｅｅら，ＥＭＢＯ  Ｊ．７：１２４１−１２４８，１９８８）、アトラジンに抵抗性を与える変異ｐｓｂＡ（Ｓｍｅｄａら，Ｐｌａｎｔ  Ｐｈｙｓｉｏｌ．１０３：９１１−９１７，１９９３）、あるいは変異型プロトポルフィリノーゲンオキシダーゼ（米国特許第５，７６７，３７３号を参照のこと）、またはグルホシネートのような除草剤に対する耐性を付与する他のマーカーが挙げられる。選択マーカーには、真核細胞については、ジヒドロ葉酸還元酵素（ＤＨＦＲ）またはネオマイシン耐性、および大腸菌のような原核細胞についてはテトラサイクリン；アンピシリン耐性；および植物については、ブレオマイシン、ゲンタマイシン、グリフォセート、ハイグロマイシン、カナマイシン、メトトレキセート、フレオマイシン、フォスフィノスリシン、スペクチノマイシン、ストレプトマイシン、スルホンアミド、およびスルホニル尿素耐性（例えば、Ｍａｌｉｇａら、Ｍｅｔｈｏｄｓ  ｉｎ  Ｐｌａｎｔ  Ｍｏｌｅｃｕｌａｒ  Ｂｉｏｌｏｇｙ，Ｃｏｌｄ  Ｓｐｒｉｎｇ  Ｈａｒｂｏｒ  Ｌａｂｏｒａｔｏｒｙ  Ｐｒｅｓｓ，１９９５，３９頁を参照のこと）を付与するポリヌクレオチドが挙げられる。
【００６６】
レポーター遺伝子は、高等植物の葉緑体において首尾よく使用されており、高レベルの組み換えタンパク質発現が報告されている。さらに、レポーター遺伝子は、Ｃ．ｒｅｉｎｈａｒｄｔｉｉの葉緑体において使用されているが、ほとんどの場合において、非常に少量のタンパク質が産生された。レポーター遺伝子は、多くの生物有機体における遺伝子発現をモニターする能力を非常に高める。高等植物の葉緑体において、β−グルクロニダーゼ（ｕｉｄＡ，ＳｔａｕｂおよびＭａｌｉｇａ，ＥＭＢＯ  Ｊ．１２：６０１−６０６，１９９３）、ネオマイシンホスホトランスフェラーゼ（ｎｐｔＩＩ，Ｃａｒｒｅｒら，Ｍｏｌ．Ｇｅｎ．Ｇｅｎｅｔ．２４１：４９−５６，１９９３）、アデノシル−３−アデニルトランスフェラーゼ（ａａｄＡ，ＳｖａｂおよびＭａｌｉｇａ，Ｐｒｏｃ．Ｎａｔｌ．Ａｃａｄ．Ｓｃｉ．，ＵＳＡ９０：９１３−９１７，１９９３）、およびＡｅｑｕｏｒｅａ  ｖｉｃｔｏｒｉａ  ＧＦＰ（Ｓｉｄｏｒｏｖら，Ｐｌａｎｔ  Ｊ．１９：２０９−２１６，１９９９）は、レポーター遺伝子として使用されている（Ｈｅｉｆｅｔｚ，Ｂｉｏｃｈｅｍｉｅ  ８２：６５５−６６６，２０００）。これらの遺伝子の各々は、それらを、分析の容易さ、感受性、またはもとの位置で発現を調べる能力などの葉緑体遺伝子発現の有用なレポーターにすることに起因している。これらの研究に基づいて、他の異種タンパク質は、Ｂａｃｉｌｌｕｓ  ｔｈｕｒｉｎｇｉｅｎｓｉｓ  Ｃｒｙトキシンなどの高等植物の葉緑体において発現されており、植食昆虫（Ｋｏｔａら，Ｐｒｏｃ．Ｎａｔｌ．Ａｃａｄ．Ｓｃｉ．，ＵＳＡ  ９６：１８４０−１８４５，１９９９）、またはヒトソマトトロピン（Ｓｔａｕｂら，Ｎａｔ．Ｂｉｏｔｅｃｈｎｏｌ．１８：３３３−３３８，２０００）、潜在的生物医薬品に耐性を与える。いくつかのレポーター遺伝子は、ａａｄＡ（Ｇｏｌｄｓｃｈｍｉｄｔ−Ｃｌｅｒｍｏｎｔ，Ｎｕｃｌ．Ａｃｉｄｓ  Ｒｅｓ．１９：４０８３−４０８９  １９９１；ＺｅｒｇｅｓおよびＲｏｃｈａｉｘ，Ｍｏｌ．Ｃｅｌｌ  Ｂｉｏｌ．１４：５２６８−５２７７，１９９４）、ｕｉｄＡ（Ｓａｋａｍｏｔｏら，Ｐｒｏｃ．Ｎａｔｌ．Ａｃａｄ．Ｓｃｉ．，ＵＳＡ  ９０：４７７−５０１，１９９３３，Ｉｓｈｉｋｕｒａら，Ｊ．  Ｂｉｏｓｃｉ．Ｂｉｏｅｎｇ．８７：３０７−３１４  １９９９）、ウミシイタケルシフェラーゼ（Ｍｉｎｋｏら，Ｍｏｌ．Ｇｅｎ．Ｇｅｎｅｔ．２６２：４２１−４２５，１９９９）およびＡｃｉｎｅｔｏｂａｃｔｅｒ  ｂａｕｍａｎｉｉ、ａｐｈＡ６由来のアミノグリコシドホスホトランスフェラーゼ（ＢａｔｅｍａｎおよびＰｕｒｔｏｎ，Ｍｏｌ．Ｇｅｎ．Ｇｅｎｅｔ２６３：４０４−４１０，２０００）を含む、真核性緑藻、Ｃ．ｒｅｉｎｈａｒｄｔｉｉの葉緑体において発現されている。
【００６７】
一部の例において、本発明のベクターは、Ｅ．ｃｏｌｉまたはＳ．ｃｅｒｅｖｉｓｉａｅ複製起源などのエレメントを含む。適切な選択可能なマーカーと組み合わせたこのような特徴は、ベクターが標的宿主細胞と細菌および／または酵母細胞との間でシャトルされることを可能にする。二次宿主において本発明のシャトルベクターを通過させる能力は、ベクターの特徴のより簡便な操作を可能にする。例えば、ベクターおよび目的の推定的に挿入されるポリヌクレオチドを含む反応混合物は、所定の方法を用いて増幅および回収されたＥ．ｃｏｌｉなどの原核生物宿主細胞に形質転換され得、目的の挿入物または構築物を含むベクターを同定するために試験され得る。所望の場合、ベクターはさらに、例えば、挿入されたポリヌクレオチドの部位特異的変異誘発を実施することにより操作されてもよく、次いで再び、目的の変異されたポリヌクレオチドを有するベクターを増幅および選択する。次いで、シャトルベクターは、植物細胞葉緑体に導入され得、ここで、目的のポリヌクレオチドは発現され得、所望の場合、本発明の方法に従って単離され得る。
【００６８】
本発明のポリヌクレオチドまたは組み換え核酸分子は、当該分野において公知の任意の方法を用いて植物葉緑体に導入されてもよい。ポリヌクレオチドは、当該分野において周知の種々の方法によって細胞に導入され得、特定の宿主細胞に基づいて部分的に選択され得る。例えば、ポリヌクレオチドは、粒子銃を用いるエレクトロポレーションまたはマイクロプロジェクタイル媒介（遺伝子銃）形質転換、あるいは「ガラスビーズ法」、あるいは花粉により媒介された形質転換、リポソームにより媒介された形質転換、創傷したまたは酵素分解された未熟胚、あるいは創傷したまたは酵素分解された胚発生カルスを用いる形質転換などの遺伝子直接導入法を用いて植物細胞に導入されてもよい（Ｐｏｔｒｙｋｕｓ，Ａｎｎ．Ｒｅｖ．Ｐｌａｎｔ．Ｐｈｙｓｉｏｌ．Ｐｌａｎｔ  Ｍｏｌ．Ｂｉｏｌ．４２：２０５−２２５，１９９１）。
【００６９】
用語「外因性」は、比較の意味で本明細書において使用され、言及されるヌクレオチド配列（またはポリペプチド）が、参照源以外の源由来、または通常、会合せずに、あるいは通常参照源と会合されない形態で修飾された第２のヌクレオチド配列（またはポリペプチド）に連結されることを示す。例えば、バイオマス分解酵素をコードするポリヌクレオチドは、例えば、第２のヌクレオチド配列に作動可能に連結される第１のヌクレオチド配列を含む組み換え核酸分子の成分であり、変異ポリヌクレオチドが通常、葉緑体において見出されない場合、葉緑体に導入された変異ポリヌクレオチドであるため、植物葉緑体のヌクレオチド配列に対して異種である。
【００７０】
プラスチド形質転換は、ポリヌクレオチドを植物細胞葉緑体に導入するための慣例かつ、周知の方法である（米国特許第５，４５１，５１３号、同第５，５４５，８１７号および同第５，５４５，８１８号；国際公開ＷＯ９５／１６７８３号；ＭｃＢｒｉｄｅら，Ｐｒｏｃ．Ｎａｔｌ．Ａｃａｄ．Ｓｃｉ．，ＵＳＡ  ９１：７３０１−７３０５，１９９４を参照のこと）。一部の実施形態において、葉緑体の形質転換は、外因性ＤＮＡの標的葉緑体ゲノムへの相同的組み換えを可能にする所望のヌクレオチド配列に隣接する葉緑体ＤＮＡの領域を導入することを含む。一部の例において、１〜１．５ｋｂの葉緑体ゲノムＤＮＡの隣接するヌクレオチド配列が使用されてもよい。この方法を用いて、スペクチノマイシンおよびストレプトマイシンに耐性を与える葉緑体の１６Ｓ  ｒＲＮＡおよびｒｐｓ１２遺伝子における点突然変異が、形質転換のための選択可能なマーカーとして利用されてもよく（Ｓｖａｂら，Ｐｒｏｃ．Ｎａｔｌ．Ａｃａｄ．Ｓｃｉ．，ＵＳＡ  ８７：８５２６−８５３０，１９９０）、標的とする葉の１００の照射につき約１の頻度で安定な同質細胞質形質転換を生じ得る。
【００７１】
マイクロプロジェクタイル媒介形質転換もまた、ポリヌクレオチドを植物細胞葉緑体に導入するために使用され得る（Ｋｌｅｉｎら，Ｎａｔｕｒｅ  ３２７：７０−７３，１９８７）。この方法は、塩化カルシウム、スペルミジンまたはポリエチレングリコールでの沈殿により所望のポリヌクレオチドでコーティングされた金またはタングステンなどのマイクロプロジェクタイルを利用する。マイクロプロジェクタイル粒子は、ＢＩＯＬＩＳＴＩＣ  ＰＤ−１０００パーティクルガン（ＢｉｏＲａｄ；Ｈｅｒｃｕｌｅｓ  Ｃａｌｉｆ）などのデバイスを用いて植物組織内で高速で加速される。微粒子銃法を用いる形質転換のための方法は、当該分野において周知である（例えば、Ｃｈｒｉｓｔｏｕ，Ｔｒｅｎｄｓ  ｉｎ  Ｐｌａｎｔ  Ｓｃｉｅｎｃｅ  １：４２３−４３１，１９９６を参照のこと）。マイクロプロジェクタイル媒介形質転換は、例えば、綿、タバコ、トウモロコシ、雑種ポプラおよびパパイヤを含む、種々のトランスジェニック植物種を生成するために使用されている。コムギ、カラスムギ、オオムギ、モロコシおよびイネなどの重要な穀物も、マイクロプロジェクタイル媒介送達を用いて形質転換されている（Ｄｕａｎら，Ｎａｔｕｒｅ  Ｂｉｏｔｅｃｈ．１４：４９４−４９８，１９９６；Ｓｈｉｍａｍｏｔｏ，Ｃｕｒｒ．Ｏｐｉｎ．Ｂｉｏｔｅｃｈ．５：１５８−１６２，１９９４）。ほとんどの双子葉植物の形質転換は上記の方法で可能である。単子葉植物の形質転換もまた、例えば、上記の微粒子銃法、プロトプラスト形質転換、部分的に透過性細胞のエレクトロポレーション、ガラス繊維を用いるＤＮＡの導入、ガラスビーズ攪拌などを用いて形質転換され得る。
【００７２】
形質転換率は、限定されないが、細菌のａａｄＡ遺伝子を含む、優性選択可能マーカーを含む劣勢ＲＮＡまたはｒ−タンパク質抗生物質抵抗性遺伝子の置換により増加し得る（ＳｖａｂおよびＭａｌｉｇａ，Ｐｒｏｃ．Ｎａｔｌ．Ａｃａｄ．Ｓｃｉ．，ＵＳＡ  ９０：９１３−９１７，１９９３）。形質転換後の約１５〜２０の細胞分裂周期は一般に、同質細胞質状態に到達することを必要とする。葉緑体がその遺伝子の複数のコピーを含み得ることは当業者には明白であり、従って、用語「同質細胞質」または「ホモプラスミー」とは、目的の特定の遺伝子座の全てのコピーが実質的に同一である状態を指す。遺伝子が、各植物細胞に存在する環状プラスチドゲノムの数千コピーの全てに相同的組み換えにより挿入されるプラスチド発現は、全ての可溶性植物タンパク質の１０％を容易に越える発現レベルを可能にするために、核によって発現された遺伝子に対する大量のコピー数の利点を利用する。
【００７３】
本発明の方法は、微細藻類、Ｃ．ｒｅｉｎｈａｒｄｔｉｉを用いて例示されている。本発明の方法に従うポリペプチドまたはタンパク質複合体を発現するための微細藻類の使用は、商用（Ｃｙａｎｏｔｅｃｈ  Ｃｏｒｐ．；Ｋａｉｌｕａ−Ｋｏｎａ  ＨＩ）を含む微細藻類の多数の集団が増殖され得る利点を提供し、従って、大量の所望の生成物の産生、および所望の場合、単離を可能にする。しかしながら、例えば、任意の植物の葉緑体においてタンパク質複合体を含む、機能的な哺乳動物のポリペプチドを発現する能力は、このような植物の作物の産生を可能にし、従って、大量のポリペプチドを簡便に産生する能力を可能にする。従って、本発明の方法は、例えば、微細藻類、例えば、海草および海藻、ならびに土壌で生育する植物、例えば、トウモロコシ（Ｚｅａ  ｍａｙｓ）、アブラナ科（例えば、Ｂ．ｎａｐｕｓ，Ｂ．ｒａｐａ，Ｂ．ｊｕｎｃｅａ）、特に種油の源として有用なそれらのアブラナ科、アルファルファ（Ｍｅｄｉｃａｇｏ  ｓａｔｉｖａ）、イネ（Ｏｒｙｚａ  ｓａｔｉｖａ）、ライムギ（Ｓｅｃａｌｅ  ｃｅｒｅａｌｅ）、モロコシ（Ｓｏｒｇｈｕｍ  ｂｉｃｏｌｏｒ、Ｓｏｒｇｈｕｍ  ｖｕｌｇａｒｅ）、アワ（例えば、トウジンビエ（Ｐｅｎｎｉｓｅｔｕｍ  ｇｌａｕｃｕｍ）、キビ（Ｐａｎｉｃｕｍ  ｍｉｌｉａｃｅｕｍ）、アワ（Ｓｅｔａｒｉａ  ｉｔａｌｉｃａ）、シコクビエ（Ｅｌｅｕｓｉｎｅ  ｃｏｒａｃａｎａ））、ヒマワリ（Ｈｅｌｉａｎｔｈｕｓ  ａｎｎｕｕｓ）、ベニバナ（Ｃａｒｔｈａｍｕｓ  ｔｉｎｃｔｏｒｉｕｓ）、コムギ（Ｔｒｉｔｉｃｕｍ  ａｅｓｔｉｖｕｍ）、ダイズ（Ｇｌｙｃｉｎｅ  ｍａｘ）、タバコ（Ｎｉｃｏｔｉａｎａ  ｔａｂａｃｕｍ）、ポテト（Ｓｏｌａｎｕｍ  ｔｕｂｅｒｏｓｕｍ）、ピーナッツ（Ａｒａｃｈｉｓ  ｈｙｐｏｇａｅａ）、綿（Ｇｏｓｓｙｐｉｕｍ  ｂａｒｂａｄｅｎｓｅ，Ｇｏｓｓｙｐｉｕｍ  ｈｉｒｓｕｔｕｍ）、サツマイモ（Ｉｐｏｍｏｅａ  ｂａｔａｔｕｓ）、キャッサバ（ｃａｓｓａｙａ）（Ｍａｎｉｈｏｔ  ｅｓｃｕｌｅｎｔａ）、コーヒー（Ｃｏｆｅａ  ｓｐｐ．）、ココナッツ（Ｃｏｃｏｓ  ｎｕｃｉｆｅｒａ）、パイナップル（Ａｎａｎａｓ  ｃｏｍｏｓｕｓ）、柑橘類の木（Ｃｉｔｒｕｓ  ｓｐｐ．）、ココア（Ｔｈｅｏｂｒｏｍａ  ｃａｃａｏ）、茶（Ｃａｍｅｌｌｉａ  ｓｉｎｅｎｓｉｓ）、バナナ（Ｍｕｓａ  ｓｐｐ．）、アボカド（Ｐｅｒｓｅａ  ｕｌｔｉｌａｎｅ）、イチジク（Ｆｉｃｕｓ  ｃａｓｉｃａ）、グアバ（Ｐｓｉｄｉｕｍ  ｇｕａｊａｖａ）、マンゴ（Ｍａｎｇｉｆｅｒａ  ｉｎｄｉｃａ）、オリーブ（Ｏｌｅａ  ｅｕｒｏｐａｅａ）、パパイヤ（Ｃａｒｉｃａ  ｐａｐａｙａ）、カシュー（Ａｎａｃａｒｄｉｕｍ  ｏｃｃｉｄｅｎｔａｌｅ）、マカダミア（Ｍａｃａｄａｍｉａ  ｉｎｔｅｇｒｉｆｏｌｉａ）、アーモンド（Ｐｒｕｎｕｓ  ａｍｙｇｄａｌｕｓ）、サトウダイコン（Ｂｅｔａ  ｖｕｌｇａｒｉｓ）、サトウキビ（Ｓａｃｃｈａｒｕｍ  ｓｐｐ．）、カラスムギ、アオウキクサ（Ｌｅｍｎａ）、オオムギ、トマト（Ｌｙｃｏｐｅｒｓｉｃｏｎ  ｅｓｃｕｌｅｎｔｕｍ）、レタス（例えば、Ｌａｃｔｕｃａ  ｓａｔｉｖａ）、サヤマメ（Ｐｈａｓｅｏｌｕｓ  ｖｕｌｇａｒｉｓ）、アオイマメ（Ｐｈａｓｅ��ｌｕｓ  ｌｉｍｅｎｓｉｓ）、エンドウマメ（Ｌａｔｈｙｒｕｓ  ｓｐｐ．）、ならびにキュウリ（Ｃ．  ｓａｔｉｖｕｓ）、カンタロープ（Ｃ．  ｃａｎｔａｌｕｐｅｎｓｉｓ）、およびマスクメロン（Ｃ．  ｍｅｌｏ）などのキュウリ属のメンバーを含む、葉緑体を有するいずれかの植物を用いて実施され得る。ツツジ（Ｒｈｏｄｏｄｅｎｄｒｏｎ  ｓｐｐ．）、アジサイ（Ｍａｃｒｏｐｈｙｌｌａ  ｈｙｄｒａｎｇｅａ）、ハイビスカス（Ｈｉｂｉｓｃｕｓ  ｒｏｓａｓａｎｅｎｓｉｓ）、バラ（Ｒｏｓａ  ｓｐｐ．）、チューリップ（Ｔｕｌｉｐａ  ｓｐｐ．）、ラッパズイセン（Ｎａｒｃｉｓｓｕｓ  ｓｐｐ．）、ペチュニア（Ｐｅｔｕｎｉａ  ｈｙｂｒｉｄａ）、カーネーション（Ｄｉａｎｔｈｕｓ  ｃａｒｙｏｐｈｙｌｌｕｓ）、ポインセチア（Ｅｕｐｈｏｒｂｉａ  ｐｕｌｃｈｅｒｒｉｍａ）、およびキクなどの観葉植物もまた含まれる。本発明の方法を実施するのに有用なさらなる観葉植物は、インパチェンス、ベゴニア、ペラルゴニウム、スミレ、シクラメン、バーベナ、ツルニチニチソウ、マンジュギク、サクラソウ、セントポーリア、アゲラタム、アマランサス、キンギョソウ（Ａｎｔｉｈｉｒｒｈｉｎｕｍ）、オダマキ、フウキギク（Ｃｉｎｅｒａｒｉａ）、クローバー、コスモス、ササゲ、ダリア、チョウセンアサガオ、ヒエンソウ（Ｄｅｌｐｈｉｎｕｍ）、ガーベラ、グラジオラス、グロキシニア、アマリリス、マツバギク（Ｍｅｓｅｍｂｒｙａｎｔｈｅｍｕｍ）、サルメンバナ、およびヒャクニチソウが含まれる。本発明を実施する際に利用され得る針葉樹には、例えば以下が含まれる：マツ（例えば、テーダマツ（Ｐｉｎｕｓ  ｔａｅｄａ）、スラッシュマツ（Ｐｉｎｕｓ  ｅｌｌｉｏｔｉｉ）、ポンデローサマツ（Ｐｉｎｕｓ  ｐｏｎｄｅｒｏｓａ）、ヨレハマツ（Ｐｉｎｕｓ  ｃｏｎｔｏｒｔａ）およびモンテレーマツ（Ｐｉｎｕｓ  ｒａｄｉａｔａ）、ベイマツ（Ｐｓｅｕｄｏｔｓｕｇａ  ｍｅｎｚｉｅｓｉｉ）；アメリカツガ（Ｔｓｕｇａ  ｕｌｔｉｌａｎｅ）；ベイトウヒ（Ｐｉｃｅａ  ｇｌａｕｃａ）；アメリカスギ（Ｓｅｑｕｏｉａ  ｓｅｍｐｅｒｖｉｒｅｎｓ）；（本来の）モミ（例えば、ヨーロッパモミ（Ａｂｉｅｓ  ａｍａｂｉｌｉｓ）およびバルサムモミ（Ａｂｉｅｓ  ｂａｌｓａｍｅａ））；ならびにヒマラヤスギ（例えば、ベイスギ（Ｔｈｕｊａ  ｐｌｉｃａｔａ）およびアラスカヒノキ（Ｃｈａｍａｅｃｙｐａｒｉｓ  ｎｏｏｔｋａｔｅｎｓｉｓ））。
【００７４】
本発明の方法を実施するために有用なマメ科植物には、マメおよびエンドウが含まれる。マメには、グアール、イナゴマメ、コロハ、ダイズ、ガーデンビーン、ササゲ、ヤエナリ、アオイマメ、ソラマメ、ヒラマメ、ヒヨコマメなどが含まれる。マメ科植物には、アラキス（Ａｒａｃｈｉｓ）（例えば、ピーナッツ）、ビシア（Ｖｉｃｉａ）（例えば、オオゴンハギ、ヘアリーベッチ、アズキ、ヤエナリ、およびヒヨコマメ）、ルピナス（Ｌｕｐｉｎｕｓ）（例えば、ルピナス、シャジクソウ）、ファセオラス（Ｐｈａｓｅｏｌｕｓ）（例えば、インゲンマメおよびアオイマメ）、ピサム（Ｐｉｓｕｍ）（例えば、ソラマメ）、メリロタス（Ｍｅｌｉｌｏｔｕｓ）（例えば、クローバー）、メディカゴ（Ｍｅｄｉｃａｇｏ）（例えば、アルファルファ）、ロータス（例えば、ツメクサ）、レンズ（例えば、ヒラマメ）、およびクロバナエンジュが含まれるがこれらに限定されない。本発明の方法における使用のための好ましい飼い葉および芝草には、アルファルファ、オーチャードグラス、ヒロハノウシノケグサ、ホソムギ、コヌカグサ（ｃｒｅｅｐｉｎｇ  ｂｅｎｔ  ｇｒａｓｓ）、およびコヌカグサ（ｒｅｄｔｏｐ）が含まれる。本発明において有用な他の植物には、アカシア、アニス、チョウセンアザミ、キバナスズシロ、クロイチゴ、カノラ、シラントロ、クレメンタイン、キクヂシャ、ユーカリ、ウイキョウ、グレープフルーツ、ハネデュー、クズイモ、キウイフルーツ、レモン、ライム、マッシュルーム、ナッツ、オクラ、オレンジ、パセリ、カキ、プランテーン、ザクロ、ポプラ、ラディアータマツ（ｒａｄｉａｔａ  ｐｉｎｅ）、赤チコリー、サザンパイン（Ｓｏｕｔｈｅｒｎ  ｐｉｎｅ）、モミジバフウ、タンジェリン、トリチカレ、ブドウ（ｖｉｎｅ）、ヤムイモ、リンゴ、セイヨウナシ、マルメロ、チェリー、アンズ、メロン、アサ、ソバ、ブドウ（ｇｒａｐｅ）、キイチゴ、ケノポジ、ブルーベリー、ネクタリン、モモ、プラム、イチゴ、スイカ、ナス、コショウ、カリフラワー、アブラナ属（例えば、ブロッコリー、キャベツ）、アルティラン・スプラウト（ｕｌｔｉｌａｎ  ｓｐｒｏｕｔｓ）、タマネギ、ニンジン、ニラ（ｌｅｅｋ）、ビート、ソラマメ、セロリ、ハツカダイコン、カボチャ（ｐｕｍｐｋｉｎ）、エンダイブ、ヒョウタン、ニンニク、サヤインゲン（ｓｎａｐｂｅａｎ）、ホウレンソウ、カボチャ（ｓｑｕａｓｈ）、カブ、アルティレーン（ｕｌｔｉｌａｎｅ）、チコリ、アメリカホドイモ、およびズッキーニが含まれる。従って、本明細書に企図される組成物は、上記の核酸のいずれかを含む宿主生物を含む。宿主生物は、任意の葉緑体含有生物であってもよい。
【００７５】
用語「植物」は、プラスチド（特に葉緑体）を含む真核生物をいうために本明細書中で広範に使用され、かつ、植物の切り枝、植物細胞、植物細胞培養物、植物器官、植物種子、および小植物（ｐｌａｎｔｌｅｔ）を含む、任意の発達段階の任意のこのような生物体、または植物の一部を含む。植物細胞は、プロトプラストおよび細胞壁を含む、植物の構造的かつ生理学的な単位である。植物細胞は単離された単一の細胞もしくは培養細胞の形態であり得、または、高度に組織化された単位の一部、例えば、植物組織、植物器官、もしくは植物であり得る。従って、植物細胞は、プロトプラスト、配偶子を産生する細胞、または植物全体に再生され得る細胞または細胞の集合体であり得る。このようなものとして、複数の植物細胞を含み、かつ植物全体に再生され得る種子は、本開示の目的のための植物細胞と見なされる。植物組織または植物器官は、種子、プロトプラスト、カルス、または、構造的もしくは機能的単位に組織化される植物細胞の任意の他の群であり得る。植物の特に有用な部分には、収穫可能な部分および子孫植物の増殖のために有用な部分が含まれる。植物の収穫可能な部分は、植物の任意の有用な部分であり得、例えば、花、花粉、芽生え、塊茎、葉、茎、果実、種子、根などである。増殖のために有用な植物の部分には、例えば、種子、果実、切り枝、芽生え、塊茎、根茎などが含まれる。
【００７６】
本発明の方法は、安定に組み込まれたポリヌクレオチドを含むように遺伝子改変された葉緑体を含む植物を生成し得る（ＨａｇｅｒおよびＢｏｃｋ、Ａｐｐｌ．Ｍｉｃｒｏｂｉｏｌ．Ｂｉｏｔｅｃｈｎｏｌ．５４：３０２−３１０，２０００）。従って、本発明はさらに、トランスジェニック（トランスプラストーム）植物、例えば、Ｃ．ｒｅｉｎｈａｒｄｔｉｉを提供し、これは、特異的に会合して機能的タンパク質複合体を形成し得るポリペプチドを含む、１つまたは複数の異種ポリペプチドをコードするポリヌクレオチドを含む、１つまたは複数の葉緑体を含む。
【００７７】
一部の例において、特定の生分解経路（例えば、セルロース経路）の単一の酵素をコードする組み換えポリヌクレオチドを含む形質転換体および／またはトランスプラストーム植物は、生分解経路の他の酵素をコードする組み換えポリヌクレオチドを含む形質転換体と組み合わされ得る。例えば、生化学経路が基質から生成物を産生するために４つの酵素を利用する場合、４つの形質転換体系統が、その経路の酵素を提供するために組み合わされ得る。そのような組み合わせは、全酵素経路またはその一部を産生する細胞の混合物を含むのに必要であるものと同じ数の形質転換体系統を含んでもよい。従って、そのような組み合わせは、異なる形質転換体の細胞の異なる割合を含んでもよい。例えば、分解経路の１つの酵素は、その経路において律速段階であり、細胞の組み合わせは、律速酵素を産生する細胞の２、３、４、５、６、７、８、９、１０倍またはそれ以上の細胞を含んでもよい。当業者は、形質転換体の複数の組み合わせの割合が、単純な方法（例えば、乾燥した形質転換体を計量することおよび合成）によって達成され得ることを理解するだろう。あるいは、個々の酵素は、形質転換体から単離され（例えば、隔離した酵素を単離するための藻類形質転換体の「クラッキング」）、次いで単離後、組み合わされてもよい。このようなアプローチは、基質または他の成分の相対比率を含み得る異なるバイオマスまたは他の基質物質に対する酵素濃度の仕立てを可能にし得る。
【００７８】
一部の例において、本発明のトランスジェニック生物によって産生されるタンパク質は、それが産生された後、単離される。従って、本発明はまた、葉緑体またはトランスジェニック植物において異種ポリペプチドまたはタンパク質複合体を産生する方法を企図し、この方法は、植物細胞葉緑体から発現されたポリペプチドまたはタンパク質複合体を単離する工程を含み得る。本明細書に使用される場合、用語「単離された」または「実質的に精製された」とは、言及されるポリペプチドまたはポリヌクレオチドが、天然に付随しているタンパク質、核酸、脂質、炭水化物、または他の物質を比較的含まない形態にあることを意味する。単離されたポリペプチド（またはポリヌクレオチド）は、試料の少なくとも１、２、３、４、５、６、７、８、９、１０、１１、１２、１３、１４、１５、１６、１７、１８、１９、２０、２１、２２、２３、２４、２５、２６、２７、２８、２９、３０、３１、３２、３３、３４、３５、３６、３７、３８、３９、４０、４１、４２、４３、４４、４５、４６、４７、４８、４９、５０、５１、５２、５３、５４、５５、５６、５７、５８、５９、６０６１、６２、６３、６４、６５、６６、６７、６８、６９、７０、７１、７２、７３、７４、７５、７６、７７、７８、７９、８０、８１、８２、８３、８４、８５、８６、８７、８８、８９、９０、９１、９２、９３、９４、９５、９６、９７、９８、９９、または１００％を占める。
【００７９】
ポリペプチドまたはタンパク質の複合体は、特定のポリペプチドまたはタンパク質の複合体に適切な任意の方法を使用して葉緑体から単離され得、この方法には、例えば、塩による分画方法およびクロマトグラフィー方法（例えば、ポリペプチドまたはタンパク質の複合体を特異的に結合するリガンドまたはレセプターを使用するアフィニティークロマトグラフィー方法）が含まれる。本発明の方法に従って産生されるポリペプチドまたはタンパク質の複合体が単離された形態にあるということの決定は、周知の方法を使用して、例えば、電気泳動を実行し、特定の分子を相対的に分離したバンドとして、または特定の複合体を一連のバンドの１つとして同定することによってなされ得る。従って、本発明はまた、本発明の方法によって産生された、単離されたポリペプチドまたはタンパク質の複合体を提供する。一部の例において、本発明の酵素は、葉緑体において産生されるが、隔離されてもよい。このような実施形態において、活性酵素を利用する方法は、酵素を含有する細胞の「クラッキング」（例えば、細胞壁を破壊するために機械的、化学的、および／または生物学的手段を用いること）に依存し得る。そのようなクラッキングの時間は、細胞によって産生される酵素がそれらの酵素の能力を機能するために利用される時間で生じるように計画されてもよい。他の例において、酵素は、宿主細胞によって分泌されてもよい。そのような場合において、酵素は、生物の培養培地から直接回収されてもよい。そのような培地に存在する酵素は、精製せずに直接使用されてもよく、乾燥されてもよく（例えば、空気乾燥、凍結乾燥）、および／または当該分野において公知の任意の手段により精製に供されてもよい（例えば、親和性クロマトグラフィー、高速液体クロマトグラフィー）。
【００８０】
バイオマス分解酵素およびそれらの酵素をコードする核酸の例を表１に示す。バイオマス分解酵素の非限定的な例としては、セルロース分解酵素、ヘミセルロース分解酵素、ペクチン分解酵素、キシラナーゼ、リグニン分解酵素、セルラーゼ、セロビアーゼ、軟化酵素（例えば、エンドポリガラクツロナーゼ）、アミラーゼ、リパーゼ、プロテアーゼ、リボヌクレアーゼ、デオキシリボヌクレアーゼ、イヌリナーゼ、溶解酵素、ホスホリパーゼ、ペクチナーゼ、プルラナーゼ、グルコースイソメラーゼ、エンドキシラナーゼ、β−キシロシダーゼ、α−Ｌ−アラビノフラノシダーゼ、α−グルクロニダーゼ、α−ガラクトシダーゼ、アセチルキシランエステラーゼ、およびフェルロイルエステラーゼが挙げられる。このような酵素をコードする遺伝子の例としては、限定されないが、アミラーゼ、セルラーゼ、ヘミセルラーゼ（例えば、β−グルコシダーゼ、エンドセルラーゼ、エキソセルラーゼ）、エキソ−β−グルカナーゼ、エンド−β−グルカナーゼおよびキシラナーゼ（エンドキシラナーゼおよびエキソキシラナーゼ）が挙げられる。リグニン分解酵素の例としては、限定されないが、Ｐｈａｎｅｒｏｃｈａｅｔｅ  ｃｈｒｙｏｓｏｓｐｏｒｉｕｍ由来のリグニンペルオキシダーゼおよびマンガンペルオキシダーゼが挙げられる。当業者は、これらの酵素が、本発明で使用され得る酵素の一部の記載のみであることを理解するだろう。
【００８１】
【表１】
2015037424.tif 000002
【００８２】
バイオマス産生調節因子は、生物、例えば、光合成生物においてバイオマス産生を増大させる因子を含む。
【００８３】
（宿主細胞／生物）
本発明はまた、本明細書における１つ以上の核酸で形質転換された宿主細胞を企図する。好ましい実施形態において、宿主細胞は光合成生物である。一部の例において、宿主細胞は光合成および非維管束生物である。他の場合において、宿主細胞は光合成および維管束生物である。宿主細胞は真核生物または原核生物である。
【００８４】
宿主細胞は、本明細書に記載されるベクター（例えば、１つ以上のバイオマス分解酵素および／または１つ以上のバイオマス産生調節因子を含むベクター）で形質転換される。ベクターは、宿主細胞の葉緑体または他のプラスチドをトランスフェクトするためのプラスチドプロモーターまたは核プロモーターを含んでもよい。ベクターはまた、融合タンパク質または葉緑体もしくは他のプラスチドに対してベクター産物を選択的に標的化する因子をコードしてもよい。宿主細胞のトランスフェクションは、当該分野において公知の任意の方法を用いて生じ得る。
【００８５】
宿主生物は宿主細胞を含む生物である。好ましい実施形態において、宿主生物は光合成生物である。光合成生物は、天然の光合成をするもの（プラスチドを有する）または光合成するように遺伝子操作されるか、もしくは遺伝子改変されたものである。一部の例において、光合成生物は、光合成器官の全てまたは一部を操作不能にする本発明の構築物で形質転換され得る。一部の例において、それは非維管束および光合成生物である。宿主細胞は原核生物であってもよい。本発明の一部の原核生物の例としては、限定されないが、シアノバクテリア（例えば、Ｓｙｎｅｃｈｏｃｏｃｃｕｓ，Ｓｙｎｅｃｈｏｃｙｓｔｉｓ，Ａｔｈｒｏｓｐｉｒａ）が挙げられる。宿主生物は単細胞であっても、多細胞であってもよい。ほとんどの実施形態において、宿主生物は真核生物（例えば、緑藻類）である。本明細書に企図される生物の例としては、限定されないが、紅色植物門、緑色植物、不等毛植物門、黄緑藻植物、灰色植物、クロララクニオン植物、ユーグレナ類、ハプト植物門、クリプト藻類、渦鞭毛藻類が挙げられる。
【００８６】
宿主細胞は光合成を可能にする条件下で増殖されてもよいが、しかしながら、これは必ずしも必要とされない（例えば、宿主生物は光の非存在下で増殖されてもよい）。一部の例において、宿主生物は、光合成能力が減少および／または破壊されるように遺伝子改変されてもよい（以下の実施例を参照のこと）。宿主生物が光合成できない（光の非存在下および／または遺伝子改変のため）増殖条件において、典型的に、生物は、光合成の非存在下で増殖を支持するのに必要な栄養素を与えられる。例えば、生物が、培養培地の中（または上）で増殖する生物は、有機炭素源、窒素源、リン源、ビタミン、金属、脂質、核酸、微量栄養素、または生物に特異的に必要とされるものを含む、いずれかの必要な栄養素を補われ得る。有機炭素源は、限定されないが、酢酸塩、単純な炭水化物（例えば、グルコース、スクロース、ラクトース）、複雑な炭水化物（例えば、デンプン、グリコーゲン）、タンパク質および脂質を含む、宿主細胞が代謝できる任意の炭素源を含む。当業者は、全ての生物が必ずしも特定の栄養素を十分に代謝できるわけではなく、適切な栄養素の混合物を与えるために、ある生物から別の生物へと変更される栄養素の混合物を必要とし得ることを理解するだろう。
【００８７】
宿主生物は、陸、例えば、池、導水管、埋立地、または閉じられたもしくは部分的に閉じられたバイオリアクター系で増殖されてもよい。本明細書における宿主生物はまた、水、例えば、海洋、海岸、湖、川、貯水池などで直接増殖されてもよい。藻類が大量培養される実施形態において、藻類は、大量の藻類の培養方法として公知である高密度の光バイオリアクターで増殖されてもよい。例えば、藻類は、高密度の光バイオリアクター（例えば、Ｌｅｅら，Ｂｉｏｔｅｃｈ．Ｂｉｏｅｎｇｉｎｅｅｒｉｎｇ  ４４：１１６１−１１６７，１９９４を参照のこと）および他のバイオリアクター（汚水処理および廃水処理のためのものなど）（例えば、Ｓａｗａｙａｍａら，Ａｐｐｌ．Ｍｉｃｒｏ．Ｂｉｏｔｅｃｈ．，４１：７２９−７３１，１９９４を参照のこと）で増殖されてもよい。さらに、藻類は、重金属（例えば、Ｗｉｌｋｉｎｓｏｎ，Ｂｉｏｔｅｃｈ．Ｌｅｔｔｅｒｓ，１１：８６１−８６４，１９８９）、水素（例えば、米国特許出願第２００３０１６２２７３号）および医薬組成物を除去するために大量培養されてもよい。
【００８８】
一部の場合において、宿主細胞は、エタノール生産プラントまたは他の施設あるいはＣＯ2を発生する領域（例えば、発電プラント、コンクリートプラント、石油精製所、他の工業施設、都市、道路など）の近辺で増殖される。このように、本明細書に開示される方法は、エタノール生産プラント近辺で本明細書に記載される１つ以上の修飾された生物を増殖させることによって、燃料の生産を行うか、または触媒しながら、エタノールプラントもしくは他の施設またはＣＯ2を発生する領域に対して、炭素クレジットを販売するためのビジネス方法を企図する。
【００８９】
（バイオマス）
本明細書に使用される場合、「バイオマス」は、任意の有機物質である。一部の例において、バイオマスは、デンプンおよび単純な糖を実質的に含まないか、または含まない。バイオマスは、燃料の産生に実質的に利用され得るデンプンまたは単純な糖に分解され得る。任意のセルロースまたはリグノセルロース物質ならびにセルロース、ヘミセルロース、リグニン、デンプン、オリゴ糖および／または単糖を含む物質もまた、バイオマスであるとみなされる。バイオマスはまた、タンパク質および／または脂質などのさらなる成分を含んでもよい。バイオマスは単一の供給源由来であってもよいか、またはバイオマスは、１つより多い供給源由来の混合物を含んでもよい；例えば、バイオマスは、軸付きトウモロコシおよびトウモロコシ茎葉の混合物、または草および葉の混合物を含んでもよい。バイオマスは、限定されないが、バイオエネルギー作物、農業残渣、都市固形廃棄物、産業固形廃棄物、紙製造からのスラッジ、庭ゴミ、木くずおよび林業廃棄物を含む。バイオマスの例としては、限定されないが、トウモロコシ穀粒、軸付きトウモロコシ、トウモロコシの皮、トウモロコシ茎葉、草、コムギ、ムギわら、オオムギ、オオムギわら、干し草、イネわら、スイッチグラス、紙くず、サトウキビの絞りかす、ソルガム、ダイズなどの作物残渣、穀物、木、枝、根、葉、ウッドチップ、おがくず、紙、低木および茂み、野菜、果物、花および家畜糞尿から得られた成分が挙げられる。
【００９０】
農業廃棄物は、燃料の生産に使用されるバイオマスの１つの形態である。農業廃棄物の非限定的な例としては、トウモロコシ茎葉、コムギ茎葉、ダイズ茎葉が挙げられる。本発明におけるバイオマスの別の供給源は、高セルロース含有生物である。高セルロース含有生物は、デンプンまたは単純な糖を実質的に含まないバイオマスに起因してその重量が少なくとも３０％以上である生物である。高セルロース含有生物は、バイオマスを産生するために大量に選択的に増殖され得、このバイオマスは、デンプンおよび単純な糖を作製するために本発明のバイオマス分解酵素で分解され得る。高セルロース含有生物の例としては、限定されないが、柳、ウキクサ、サトウダイコン、およびスイッチグラスが挙げられる。
【００９１】
バイオマスの第３の例は、増加したセルロースまたはバイオマスを有するように遺伝子改変された生物を含む。そのような生物は必要に応じて光合成生物であってもよく、バイオマス産生調節因子をコードするベクターを導入している宿主細胞を含んでいてもよい。一部の例において、同じベクターは、バイオマス調節因子およびバイオマス分解酵素の両方をコードし得る。一部の例において、バイオマス産生調節因子をコードするベクターおよびバイオマス分解酵素をコードするベクターは別である。
【００９２】
（燃料生産）
本発明は、バイオ燃料を生産する方法に関する。そのような方法は、光合成生物（例えば、非維管束）においてバイオマス分解酵素をコードする遺伝子を発現することを含む。この方法はさらに、バイオマス分解酵素を利用すること、バイオマスを酵素に分解することを含む。バイオ燃料を生産するために、この方法はさらに、分解したバイオマスを精製することを含んでもよい。次いで、その最終産物（例えば、エタノール）は１つ以上の他のバイオ燃料と混合されてもよい。
【００９３】
本発明はバイオ燃料を生産する方法に関し、光合成生物（非維管束）において、バイオマス分解酵素、バイオマス分解酵素の経路、および／またはバイオマス産生調節因子をコードするベクター（複数も含む）を発現することを含む。この実施形態において、ベクターを含む宿主細胞は、次いで、その独自のバイオマスを作製して分解することができる。この方法は、バイオマス分解産物のみを抽出することを含む。この方法において、酵素は、バイオ燃料の作製に使用するために抽出されることを必要としない。バイオ燃料の生産はさらに、バイオマスの分解産物を精製することを含んでもよい。バイオ燃料の産生はまた、糖化タンクの利用を含んでもよい。このようなデバイスは当該分野において周知である。例えば、米国特許第５，１１４，４９１号；同第５，５３４，０７５号；および５，５５９，０３１号（これらの各々は本明細書に参照として援用される）を参照のこと。
【００９４】
一部の実施形態において、バイオ燃料はエタノールまたは他の生物学的に産生されたアルコールである。精製は、デンプンおよび単純な糖を含むバイオマス分解産物からエタノールを産生するために発酵工程を含んでもよい。従って、精製は、デンプン、単純な糖、ならびに／または限定されないが、Ｓａｃｃｈａｒｏｍｙｃｅｓ  ｃｅｒｅｖｉｓｉａｅおよびＺｙｍｏｍｏｎａｓ  ｍｏｂｉｌｉｓを含むバイオマス原料を発酵できる微生物を用いることを含んでもよい。
【００９５】
以下の実施例は、本明細書に開示される本発明を単に例示するだけであり、本発明を限定するものではない。
【実施例】
【００９６】
（実施例１．Ｃ．  ｒｅｉｎｈａｒｄｔｉｉにおけるエンド−β−グルカナーゼの産生）
この実施例において、Ｔ．ｒｅｅｓｅｉ由来のエンド−β−グルカナーゼをコードする核酸を、Ｃ．ｒｅｉｎｈａｒｄｔｉｉに導入した。形質転換ＤＮＡ（配列番号２０、表４）を図２Ａに図示する。この例において、「トランス遺伝子」と標識したセグメントは、遺伝子（配列番号１６、表３）をコードするエンド−β−グルカナーゼであり、「ｐｓｂＡ  ５’ＵＴＲ」と標識したセグメントは、Ｃ．ｒｅｉｎｈａｒｄｔｉｉ由来のｐｓｂＡ遺伝子についての５’ＵＴＲおよびプロモーター配列であり、「ｐｓｂＡ  ３’ＵＴＲ」と標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来のａｔｐＡ遺伝子についての５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上のｐｓｂＡ遺伝子座に隣接するＤＮＡの配列と同一である「５’相同」および「３’相同」と標識されたセグメントを介してＣ．ｒｅｉｎｈａｒｄｔｉｉのｐｓｂＡ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に記載されるように必須であった。
【００９７】
これらの実験に関して、全ての形質転換をＣ．ｒｅｉｎｈａｒｄｔｉｉ株１３７ｃ（ｍｔ＋）で実施した。細胞を、２３℃にて、１００ｒｐｍに設定したロータリーシェーカーで４５０ルクスの一定の照射下で、ＴＡＰ培地（ＧｏｒｍａｎおよびＬｅｖｉｎｅ，Ｐｒｏｃ．Ｎａｔｌ．Ａｃａｄ．Ｓｃｉ．，ＵＳＡ  ５４：１６６５−１６６９，１９６５、これは本明細書に参照として援用される）中の０．５ｍＭの５−フルオロデオキシウリジンの存在下において後期対数期（約７日）まで増殖させた。上清をデカントし、細胞を、微粒子銃（Ｃｏｈｅｎら，上記，１９９８）によるその後の葉緑体の形質転換のために４ｍｌのＴＡＰ培地に再懸濁した。全ての形質転換を、耐性が、「選択マーカー」と標識された図２におけるセグメントによってコードされた遺伝子によって与えられるカナマイシン選択（１５０μｇ／ｍｌ）下で実施した（クラミドモナスストックセンター（Ｃｈｌａｍｙｄｏｍｏｎａｓ  Ｓｔｏｃｋ  Ｃｅｎｔｅｒ）、デューク大学）。
【００９８】
ＰＣＲを形質転換した株を同定するために使用した。ＰＣＲ解析に関して、１０6の藻細胞（寒天プレートまたは液体培地由来）を１０ｍＭのＥＤＴＡに懸濁し、１０分間、９５℃まで加熱し、次いで２３℃付近まで冷やした。反応バッファー、ＭｇＣｌ２、ｄＮＴＰ、ＰＣＲプライマー対（表２および図３Ａに図示）、ＤＮＡポリメラーゼ、および水からなるＰＣＲカクテルを調製した。ＥＤＴＡ中の藻類溶解物を、反応のための鋳型を提供するために加えた。マグネシウム濃度を、加えたＥＤＴＡ中の藻類溶解物の量および濃度を補うために変化させた。アニーリング温度勾配を、特異的プライマー対についての最適アニーリング温度を決定するために使用した。
【００９９】
エンド−β−グルカナーゼ遺伝子を含む株を同定するために、一方のプライマーがｐｓｂＡ  ５’ＵＴＲ（配列番号１）内の部位にアニールし、もう一方のプライマーがエンド−β−グルカナーゼコードセグメント（配列番号３）内でアニールするプライマー対を使用した。所望のクローンは、予期したサイズのＰＣＲ産物を生じるものである。内因性遺伝子座が置換される程度（同質細胞質対異質細胞質）を決定するために、２つのセットのプライマー対からなるＰＣＲ反応を利用した（同じ反応において）。第１のプライマー対は、発現ベクターによって標識化された内因性遺伝子座を増幅させ、ｐｓｂＡ  ５’ＵＴＲ（配列番号８）内でアニールするプライマー、およびｐｓｂＡコード領域（配列番号９）内でアニールするプライマーからなる。第２のプライマー対（配列番号６および７）は、発現ベクターによって標識化されない一定または制御領域を増幅させるので、全ての場合において予期されるサイズの産物を産生するはずである。この反応により、内因性遺伝子座からのＰＣＲ産物の非存在下によりＰＣＲ反応を阻害する細胞および／または他の汚染を生じなかったことを確認した。プライマー対の濃度は、同じチューブで両方の反応が進むように変更されるが；しかしながら、内因性遺伝子座についての対は一定の対の５倍の濃度である。使用したサイクル数は、感度を高めるために３０より多かった。ほとんどの所望のクローンは、内因性遺伝子座ではなく一定領域についての産物を生じるものである。所望のクローンはまた、コントロール反応と比べて弱い強度の内因性遺伝子座産物を与えるものである。
【０１００】
９６のクローンでのこのＰＣＲからの結果を測定し、その結果を図４に示す。図４Ａはトランス遺伝子特異的プライマー対を用いたＰＣＲ結果を示す。見られ得るように、複数の形質転換したクローンは、エキソ−β−グルカナーゼ遺伝子の挿入に関して陽性である（例えば、番号１〜１４）。図４Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである（例えば、番号１〜１４）。番号をつけていないクローンは、野生型ｐｓｂＡの存在を示し、従って、さらなる解析のために選択しなかった。
【０１０１】
【表２】
2015037424.tif 000003
【０１０２】
エンド−β−グルカナーゼタンパク質の発現を生じるエンド−β−グルカナーゼコード配列の存在を確実にするために、ウェスタンブロットを実施した。約１×１０8の藻細胞をＴＡＰ寒天培地から回収し、０．５ｍｌの溶解バッファー（７５０ｍＭのＴｒｉｓ、ｐＨ＝８．０、１５％のスクロース、１００ｍＭのβ−メルカプトエタノール）に懸濁した。細胞を超音波処理（１５％の電力で５×３０秒）により溶解した。溶解物を、ローディングバッファー（５％のＳＤＳ、５％のβ−メルカプトエタノール、３０％のスクロース、ブロモフェノールブルー）を用いて１：１で混合し、タンパク質をＳＤＳ−ＰＡＧＥにより分離し、続いて、ＰＶＤＦ膜に移した。膜を、２３℃で３０分間、ＴＢＳＴ＋５％の脱脂粉乳でブロックし、４℃で１０時間、抗ＦＬＡＧ抗体（ＴＢＳＴ＋５％の脱脂粉乳中で１：１，０００に希釈した）とインキュベートし、ＴＢＳＴで３回洗浄し、２３℃で１時間、セイヨウワサビに結合した抗マウス抗体（ＴＢＳＴ＋５％の脱脂粉乳中で１：１０，０００に希釈した）とインキュベートし、ＴＢＳＴで３回洗浄した。タンパク質を、化学発光による検出を用いて視覚化した。複数のクローンからの結果（図４）により、タンパク質の産生を生じるＣ．ｒｅｉｎｈａｒｄｔｉｉ細胞におけるエンド−β−グルカナーゼ遺伝子の発現が示される。
【０１０３】
他に示さない限り、エンド−β−グルカナーゼの発現のためのＣ．ｒｅｉｎｈａｒｄｔｉｉ形質転換体の培養を、２３℃にて、１００ｒｐｍに設定したロータリーシェーカーで５，０００ルクスの一定の照射下で、液体ＴＡＰ培地中で行った。培養物を、収集前に少なくとも４８時間、１ｍｌあたり１×１０7細胞の密度で維持した。
【０１０４】
形質転換した藻細胞により産生されたエンド−β−グルカナーゼが機能的であるかどうかを決定するために、エンド−β−グルカナーゼ活性を、濾紙アッセイ（Ｘｉａｏら，Ｂｉｏｔｅｃｈ．Ｂｉｏｅｎｇｉｎｅｅｒ．８８，８３２−３７，２００４）を用いて試験した。つまり、５００ｍｌの藻細胞培養物を、４℃で１５分間、４０００×ｇでの遠心分離により収集した。上清をデカントし、細胞を１０ｍｌの溶解バッファー（１００ｍＭのＴｒｉｓ−ＨＣｌ、ｐＨ＝８．０、３００ｍＭのＮａＣｌ、２％のＴｗｅｅｎ−２０）に再懸濁した。細胞を超音波処理（３５％の電力で１０×３０秒）により溶解した。溶解物を、４℃で１時間、１４，０００×ｇでの遠心分離により浄化した。上清を除去し、４℃で１０時間、抗ＦＬＡＧ抗体に結合したアガロース樹脂とインキュベートした。樹脂を重力濾過により溶解物から分離し、洗浄バッファー（１００ｍＭのＴｒｉｓ−ＨＣｌ、ｐＨ＝８．０、３００ｍＭのＮａＣｌ、２％のＴｗｅｅｎ−２０）で３回洗浄した。エンド−β−グルカナーゼを、溶出バッファー（ＴＢＳ、２５０μｇ／ｍｌのＦＬＡＧペプチド）と樹脂のインキュベーションにより溶出した。各々の工程後に回収した試料のウェスタンブロット解析からの結果（図４Ｄ）により、エンド−β−グルカナーゼタンパク質が単離されたことが示される。希釈した酵素の２０μｌのアリコートを、４０μｌの５０ｍＭのＮａＡｃバッファーおよび濾紙ディスクを含むウェルに加えた。５０℃で６０分のインキュベーション後、１２０μｌのＤＮＳを各反応に加え、９５℃で５分間、インキュベートした。最終的に、各試料の３６μｌのアリコートを、１６０μｌの水を含む平底プレートのウェルに移した。５４０ｎｍでの吸光度を測定した。２つの形質転換した株についての結果より、単離された酵素が機能的であることが示された（０．３３および０．２８の吸光度）。
【０１０５】
（実施例２．Ｃ．ｒｅｉｎｈａｒｄｔｉｉにおけるエキソ−β−グルカナーゼの産生）
この実施例において、Ｔ．ｖｉｒｉｄｅ由来のエキソ−β−グルカナーゼをコードする核酸を、Ｃ．ｒｅｉｎｈａｒｄｔｉｉに導入した。形質転換ＤＮＡ（配列番号１９、表４）を図２Ａに図示する。この例において、「トランス遺伝子」と標識されたセグメントは、エキソ−β−グルカナーゼをコードする遺伝子（配列番号１５、表３）であり、「ｐｓｂＡ  ５’ＵＴＲ」と標識されたセグメントは、Ｃ．ｒｅｉｎｈａｒｄｔｉｉ由来のｐｓｂＡ遺伝子についての５’ＵＴＲおよびプロモーター配列であり、「ｐｓｂＡ  ３’ＵＴＲ」と標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来の５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上のｐｓｂＡ遺伝子座に隣接するＤＮＡの配列と同一である「５’相同」および「３’相同」と標識されたセグメントを介してＣ．ｒｅｉｎｈａｒｄｔｉｉのｐｓｂＡ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に実質的に記載される。
【０１０６】
これらの実験に関して、全ての形質転換をＣ．ｒｅｉｎｈａｒｄｔｉｉ株１３７ｃ（ｍｔ＋）で実施した。細胞を、２３℃にて、１００ｒｐｍに設定したロータリーシェーカーで４５０ルクスの一定の照射下で、ＴＡＰ培地（ＧｏｒｍａｎおよびＬｅｖｉｎｅ，Ｐｒｏｃ．Ｎａｔｌ．Ａｃａｄ．Ｓｃｉ．，ＵＳＡ  ５４：１６６５−１６６９，１９６５、これは本明細書に参照として援用される）中の０．５ｍＭの５−フルオロデオキシウリジンの存在下において後期対数期（約７日）まで増殖させた。５０ｍｌの細胞を、２３℃で５分間、４，０００×ｇでの遠心分離により収集した。上清をデカントし、細胞を、微粒子銃（Ｃｏｈｅｎら，上記，１９９８）によるその後の葉緑体の形質転換のために４ｍｌのＴＡＰ培地に再懸濁した。全ての形質転換を、耐性が、「選択マーカー」と標識された図２におけるセグメントによってコードされた遺伝子によって与えられるカナマイシン選択（１５０μｇ／ｍｌ）下で実施した（クラミドモナスストックセンター（Ｃｈｌａｍｙｄｏｍｏｎａｓ  Ｓｔｏｃｋ  Ｃｅｎｔｅｒ）、デューク大学）。
【０１０７】
ＰＣＲを形質転換した株を同定するために使用した。ＰＣＲ解析に関して、１０6の藻細胞（寒天プレートまたは液体培地由来）を１０ｍＭのＥＤＴＡに懸濁し、１０分間、９５℃まで加熱し、次いで２３℃付近まで冷やした。反応バッファー、ＭｇＣｌ２、ｄＮＴＰ、ＰＣＲプライマー対（表２および図３Ａに図示）、ＤＮＡポリメラーゼ、および水からなるＰＣＲカクテルを調製した。ＥＤＴＡ中の藻類溶解物を、反応のための鋳型を提供するために加えた。マグネシウム濃度を、加えたＥＤＴＡ中の藻類溶解物の量および濃度を補うために変化させた。アニーリング温度勾配を、特異的プライマー対についての最適アニーリング温度を決定するために使用した。
【０１０８】
エキソ−β−グルカナーゼ遺伝子を含む株を同定するために、一方のプライマーがｐｓｂＡ  ５’ＵＴＲ（配列番号１）内の部位にアニールし、もう一方のプライマーがエキソ−β−グルカナーゼコードセグメント（配列番号２）内でアニールするプライマー対を使用した。所望のクローンは、予期したサイズのＰＣＲ産物を生じるものである。内因性遺伝子座が置換される程度（同質細胞質対異質細胞質）を決定するために、２つのセットのプライマー対からなるＰＣＲ反応を利用した（同じ反応において）。第１のプライマー対は、発現ベクターによって標識化された内因性遺伝子座を増幅させ、ｐｓｂＡ  ５’ＵＴＲ（配列番号８）内でアニールするプライマー、およびｐｓｂＡコード領域（配列番号９）内でアニールするプライマーからなる。第２のプライマー対（配列番号６および７）は、発現ベクターによって標識化されない一定または制御領域を増幅させるので、全ての場合において予期されるサイズの産物を産生するはずである。この反応により、内因性遺伝子座からのＰＣＲ産物の非存在下によりＰＣＲ反応を阻害する細胞および／または他の汚染を生じなかったことを確認した。プライマー対の濃度は、同じチューブで両方の反応が進むように変更されるが；しかしながら、内因性遺伝子座についての対は一定の対の５倍の濃度である。使用したサイクル数は、感度を高めるために３０より多かった。ほとんどの所望のクローンは、内因性遺伝子座ではなく一定領域についての産物を生じるものである。所望のクローンはまた、コントロール反応と比べて弱い強度の内因性遺伝子座産物を与えるものである。
【０１０９】
９６のクローンでのこのＰＣＲからの結果を測定し、その結果を図５に示す。図５Ａはトランス遺伝子特異的プライマー対を用いたＰＣＲ結果を示す。見られ得るように、複数の形質転換したクローンは、エンド−β−グルカナーゼ遺伝子の挿入に関して陽性である（例えば、番号１〜１４）。図４Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである（例えば、番号１〜１４）。番号をつけていないクローンは、野生型ｐｓｂＡの存在を示し、従って、さらなる解析のために選択しなかった。
【０１１０】
エキソ−β−グルカナーゼタンパク質の発現を生じるエキソ−β−グルカナーゼコード遺伝子の存在を確実にするために、ウェスタンブロットを実施した。約１×１０8の藻細胞をＴＡＰ寒天培地から回収し、０．５ｍｌの溶解バッファー（７５０ｍＭのＴｒｉｓ、ｐＨ＝８．０、１５％のスクロース、１００ｍＭのβ−メルカプトエタノール）に懸濁した。細胞を超音波処理（１５％の電力で５×３０秒）により溶解した。溶解物を、ローディングバッファー（５％のＳＤＳ、５％のβ−メルカプトエタノール、３０％のスクロース、ブロモフェノールブルー）を用いて１：１で混合し、タンパク質をＳＤＳ−ＰＡＧＥにより分離し、続いて、ＰＶＤＦ膜に移した。膜を、２３℃で３０分間、ＴＢＳＴ＋５％の脱脂粉乳でブロックし、４℃で１０時間、抗ＦＬＡＧ抗体（ＴＢＳＴ＋５％の脱脂粉乳中で１：１，０００に希釈した）とインキュベートし、ＴＢＳＴで３回洗浄し、２３℃で１時間、セイヨウワサビに結合した抗マウス抗体（ＴＢＳＴ＋５％の脱脂粉乳中で１：１０，０００に希釈した）とインキュベートし、ＴＢＳＴで３回洗浄した。タンパク質を、化学発光による検出を用いて視覚化した。複数のクローンからの結果（図５Ｃ）により、タンパク質の産生を生じるＣ．ｒｅｉｎｈａｒｄｔｉｉ細胞におけるエキソ−β−グルカナーゼ遺伝子の発現が示される。
【０１１１】
他に示さない限り、エンド−β−グルカナーゼの発現のためのＣ．ｒｅｉｎｈａｒｄｔｉｉ形質転換体の培養を、２３℃にて、１００ｒｐｍに設定したロータリーシェーカーで５，０００ルクスの一定の照射下で、液体ＴＡＰ培地中で行った。培養物を、収集前に少なくとも４８時間、１ｍｌあたり１×１０7細胞の密度で維持した。
【０１１２】
形質転換した藻細胞により産生されたエキソ−β−グルカナーゼが機能的であるかどうかを決定するために、エキソ−β−グルカナーゼ活性を、濾紙アッセイ（Ｘｉａｏら，Ｂｉｏｔｅｃｈ．Ｂｉｏｅｎｇｉｎｅｅｒ．８８，８３２−３７，２００４）を用いて試験した。つまり、５００ｍｌの藻細胞培養物を、４℃で１５分間、４０００×ｇでの遠心分離により収集した。上清をデカントし、細胞を１０ｍｌの溶解バッファー（１００ｍＭのＴｒｉｓ−ＨＣｌ、ｐＨ＝８．０、３００ｍＭのＮａＣｌ、２％のＴｗｅｅｎ−２０）に懸濁した。細胞を超音波処理（３５％の電力で１０×３０秒）により溶解した。溶解物を、４℃で１時間、１４，０００×ｇでの遠心分離により浄化した。上清を除去し、４℃で１０時間、抗ＦＬＡＧ抗体に結合したアガロース樹脂とインキュベートした。樹脂を重力濾過により溶解物から分離し、洗浄バッファー（１００ｍＭのＴｒｉｓ−ＨＣｌ、ｐＨ＝８．０、３００ｍＭのＮａＣｌ、２％のＴｗｅｅｎ−２０）で３回洗浄した。エキソ−β−グルカナーゼを、溶出バッファー（ＴＢＳ、２５０μｇ／ｍｌのＦＬＡＧペプチド）と樹脂のインキュベーションにより溶出した。各々の工程後に回収した試料のウェスタンブロット解析からの結果（図５Ｄ）により、エキソ−β−グルカナーゼタンパク質が単離されたことが示される。希釈した酵素の２０μｌのアリコートを、４０μｌの５０ｍＭのＮａＡｃバッファーおよび濾紙ディスクを含むウェルに加えた。５０℃で６０分のインキュベーション後、１２０μｌのＤＮＳを各反応に加え、９５℃で５分間、インキュベートした。最終的に、各試料の３６μｌのアリコートを、１６０μｌの水を含む平底プレートのウェルに移した。５４０ｎｍでの吸光度を測定した。２つの形質転換した株についての結果より、単離された酵素が機能的であることが示された（０．２０および０．４５の吸光度）。
【０１１３】
（実施例３．Ｃ．ｒｅｉｎｈａｒｄｔｉｉにおけるβ−グルコシダーゼの産生）
この実施例において、Ｔ．ｒｅｅｓｅｉ由来のβ−グルコシダーゼをコードする核酸を、Ｃ．ｒｅｉｎｈａｒｄｔｉｉに導入した。形質転換ＤＮＡ（配列番号２１、表４）を図２Ａに図示する。この遺伝子によってコードされたアミノ酸配列を表３に示す。この例において、「トランス遺伝子」と標識されたセグメントは、β−グルコシダーゼをコードする遺伝子（配列番号１７、表３）であり、「ｐｓｂＡ  ５’ＵＴＲ」と標識されたセグメントは、Ｃ．ｒｅｉｎｈａｒｄｔｉｉ由来のｐｓｂＡ遺伝子についての５’ＵＴＲおよびプロモーター配列であり、「ｐｓｂＡ  ３’ＵＴＲ」と標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来のａｔｐＡ遺伝子についての５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上のｐｓｂＡ遺伝子座に隣接するＤＮＡの配列と同一である「５’相同」および「３’相同」と標識されたセグメントを介してＣ．ｒｅｉｎｈａｒｄｔｉｉのｐｓｂＡ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に実質的に記載される。
【０１１４】
これらの実験に関して、全ての形質転換をＣ．ｒｅｉｎｈａｒｄｔｉｉ株１３７ｃ（ｍｔ＋）で実施した。細胞を、２３℃にて、１００ｒｐｍに設定したロータリーシェーカーで４５０ルクスの一定の照射下で、ＴＡＰ培地（ＧｏｒｍａｎおよびＬｅｖｉｎｅ，Ｐｒｏｃ．Ｎａｔｌ．Ａｃａｄ．Ｓｃｉ．，ＵＳＡ  ５４：１６６５−１６６９，１９６５、これは本明細書に参照として援用される）中の０．５ｍＭの５−フルオロデオキシウリジンの存在下において後期対数期（約７日）まで増殖させた。５０ｍｌの細胞を、２３℃で５分間、４，０００×ｇでの遠心分離により収集した。上清をデカントし、細胞を、微粒子銃（Ｃｏｈｅｎら，上記，１９９８）によるその後の葉緑体の形質転換のために４ｍｌのＴＡＰ培地に再懸濁した。全ての形質転換を、耐性が、「選択マーカー」と標識された図２におけるセグメントによってコードされた遺伝子によって与えられるカナマイシン選択（１５０μｇ／ｍｌ）下で実施した（クラミドモナスストックセンター（Ｃｈｌａｍｙｄｏｍｏｎａｓ  Ｓｔｏｃｋ  Ｃｅｎｔｅｒ）、デューク大学）。
【０１１５】
ＰＣＲを形質転換した株を同定するために使用した。ＰＣＲ解析に関して、１０6の藻細胞（寒天プレートまたは液体培地由来）を１０ｍＭのＥＤＴＡに懸濁し、１０分間、９５℃まで加熱し、次いで２３℃付近まで冷やした。反応バッファー、ＭｇＣｌ２、ｄＮＴＰ、ＰＣＲプライマー対（表２および図３Ａに図示）、ＤＮＡポリメラーゼ、および水からなるＰＣＲカクテルを調製した。ＥＤＴＡ中の藻類溶解物を、反応のための鋳型を提供するために加えた。マグネシウム濃度を、加えたＥＤＴＡ中の藻類溶解物の量および濃度を補うために変化させた。アニーリング温度勾配を、特異的プライマー対についての最適アニーリング温度を決定するために使用した。
【０１１６】
β−グルコシダーゼ遺伝子を含む株を同定するために、一方のプライマーがｐｓｂＡ  ５’ＵＴＲ（配列番号１）内の部位にアニールし、もう一方のプライマーがβ−グルコシダーゼコードセグメント（配列番号４）内でアニールするプライマー対を使用した。所望のクローンは、予期したサイズのＰＣＲ産物を生じるものである。内因性遺伝子座が置換される程度（同質細胞質対異質細胞質）を決定するために、２つのセットのプライマー対からなるＰＣＲ反応を利用した（同じ反応において）。第１のプライマー対は、発現ベクターによって標識化された内因性遺伝子座を増幅させ、ｐｓｂＡ  ５’ＵＴＲ（配列番号８）内でアニールするプライマー、およびｐｓｂＡコード領域（配列番号９）内でアニールするプライマーからなる。第２のプライマー対（配列番号６および７）は、発現ベクターによって標識化されない一定または制御領域を増幅させるので、全ての場合において予期されるサイズの産物を産生するはずである。この反応により、内因性遺伝子座からのＰＣＲ産物の非存在下によりＰＣＲ反応を阻害する細胞および／または他の汚染を生じなかったことを確認した。プライマー対の濃度は、同じチューブで両方の反応が進むように変更されるが；しかしながら、内因性遺伝子座についての対は一定の対の５倍の濃度である。使用したサイクル数は、感度を高めるために３０より多かった。ほとんどの所望のクローンは、内因性遺伝子座ではなく一定領域についての産物を生じるものである。所望のクローンはまた、コントロール反応と比べて弱い強度の内因性遺伝子座産物を与えるものである。
【０１１７】
９６のクローンでのこのＰＣＲからの結果を測定し、その結果を図６に示す。図６Ａはトランス遺伝子特異的プライマー対を用いたＰＣＲ結果を示す。見られ得るように、複数の形質転換したクローンは、エンド−β−グルカナーゼ遺伝子の挿入に関して陽性である（例えば、番号１〜９）。図６Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである（例えば、番号１〜９）。番号をつけていないクローンは、野生型ｐｓｂＡの存在を示し、従って、さらなる解析のために選択しなかった。
【０１１８】
β−グルコシダーゼタンパク質の発現を生じるβ−グルコシダーゼコード遺伝子の存在を確実にするために、ウェスタンブロットを実施した。約１×１０8の藻細胞をＴＡＰ寒天培地から回収し、０．５ｍｌの溶解バッファー（７５０ｍＭのＴｒｉｓ、ｐＨ＝８．０、１５％のスクロース、１００ｍＭのβ−メルカプトエタノール）に懸濁した。細胞を超音波処理（１５％の電力で５×３０秒）により溶解した。溶解物を、ローディングバッファー（５％のＳＤＳ、５％のβ−メルカプトエタノール、３０％のスクロース、ブロモフェノールブルー）を用いて１：１で混合し、タンパク質をＳＤＳ−ＰＡＧＥにより分離し、続いて、ＰＶＤＦ膜に移した。膜を、２３℃で３０分間、ＴＢＳＴ＋５％の脱脂粉乳でブロックし、４℃で１０時間、抗ＦＬＡＧ抗体（ＴＢＳＴ＋５％の脱脂粉乳中で１：１，０００に希釈した）とインキュベートし、ＴＢＳＴで３回洗浄し、２３℃で１時間、セイヨウワサビに結合した抗マウス抗体（ＴＢＳＴ＋５％の脱脂粉乳中で１：１０，０００に希釈した）とインキュベートし、ＴＢＳＴで３回洗浄した。タンパク質を、化学発光による検出を用いて視覚化した。複数のクローンからの結果（図６Ｃ）により、タンパク質の産生を生じるＣ．ｒｅｉｎｈａｒｄｔｉｉ細胞におけるβ−グルコシダーゼ遺伝子の発現が示される。
【０１１９】
形質転換した藻細胞により産生されたβ−グルコシダーゼが機能的であるかどうかを決定するために、β−グルコシダーゼ活性を、酵素機能アッセイを用いて試験した。つまり、５００ｍｌの藻細胞培養物を、４℃で１５分間、４０００×ｇでの遠心分離により収集した。上清をデカントし、細胞を１０ｍｌの溶解バッファー（１００ｍＭのＴｒｉｓ−ＨＣｌ、ｐＨ＝８．０、３００ｍＭのＮａＣｌ、２％のＴｗｅｅｎ−２０）に再懸濁した。細胞を超音波処理（３５％の電力で１０×３０秒）により溶解した。溶解物を、４℃で１時間、１４，０００×ｇでの遠心分離により浄化した。上清を除去し、４℃で１０時間、抗ＦＬＡＧ抗体に結合したアガロース樹脂とインキュベートした。樹脂を重力濾過により溶解物から分離し、洗浄バッファー（１００ｍＭのＴｒｉｓ−ＨＣｌ、ｐＨ＝８．０、３００ｍＭのＮａＣｌ、２％のＴｗｅｅｎ−２０）で３回洗浄した。β−グルコシダーゼを、溶出バッファー（ＴＢＳ、２５０μｇ／ｍｌのＦＬＡＧペプチド）と樹脂のインキュベーションにより溶出した。各々の工程後に回収した試料のウェスタンブロット解析（図６Ｄ）により、β−グルコシダーゼタンパク質が単離されたことが示される。各々の試験した試料に関して、５０μｌのｐ−ニトロフェニル−／３−Ｄ−グルコシダーゼ（基質）、９０μｌの０．１Ｍの酢酸ナトリウムバッファー（ｐＨ４．８）、および１０μｌの酵素をマイクロプレートウェルに加えた。反応物を５０℃で１時間、インキュベートし、次いで、その反応物をグリシンバッファーで停止した。遊離したｐ−ニトロフェノールの吸光度を４３０ｎｍで測定した。２つの形質転換した株についての結果より、単離された酵素が機能的であることが示された（０．１５７および０．２８４の吸光度）。
【０１２０】
（実施例４．Ｃ．ｒｅｉｎｈａｒｄｔｉｉにおけるエンドキシラナーゼの産生）
この実施例において、Ｔ．ｒｅｅｓｅｉ由来のエンドキシラナーゼをコードする核酸を、Ｃ．ｒｅｉｎｈａｒｄｔｉｉに導入した。形質転換ＤＮＡ（配列番号２２、表４）を図２Ａに図示する。この遺伝子によってコードされたアミノ酸配列を表３に示す。この例において、「トランス遺伝子」と標識されたセグメントは、エンドキシラナーゼをコードする遺伝子（配列番号１８、表３）であり、「ｐｓｂＡ  ５’ＵＴＲ」と標識されたセグメントは、Ｃ．ｒｅｉｎｈａｒｄｔｉｉ由来のｐｓｂＡ遺伝子についての５’ＵＴＲおよびプロモーター配列であり、「ｐｓｂＡ  ３’ＵＴＲ」と標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来のａｔｐＡ遺伝子についての５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上のｐｓｂＡ遺伝子座に隣接するＤＮＡの配列と同一である「５’相同」および「３’相同」と標識されたセグメントを介してＣ．ｒｅｉｎｈａｒｄｔｉｉのｐｓｂＡ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に記載されるように必須であった。
【０１２１】
これらの実験に関して、全ての形質転換をＣ．ｒｅｉｎｈａｒｄｔｉｉ株１３７ｃ（ｍｔ＋）で実施した。細胞を、２３℃にて、１００ｒｐｍに設定したロータリーシェーカーで４５０ルクスの一定の照射下で、ＴＡＰ培地（ＧｏｒｍａｎおよびＬｅｖｉｎｅ，Ｐｒｏｃ．Ｎａｔｌ．Ａｃａｄ．Ｓｃｉ．，ＵＳＡ  ５４：１６６５−１６６９，１９６５、これは本明細書に参照として援用される）中の０．５ｍＭの５−フルオロデオキシウリジンの存在下において後期対数期（約７日）まで増殖させた。５０ｍｌの細胞を、２３℃で５分間、４，０００×ｇでの遠心分離により収集した。上清をデカントし、細胞を、微粒子銃（Ｃｏｈｅｎら，上記，１９９８）によるその後の葉緑体の形質転換のために４ｍｌのＴＡＰ培地に再懸濁した。全ての形質転換を、耐性が、「選択マーカー」と標識された図２におけるセグメントによってコードされた遺伝子によって与えられるカナマイシン選択（１５０μｇ／ｍｌ）下で実施した（クラミドモナスストックセンター（Ｃｈｌａｍｙｄｏｍｏｎａｓ  Ｓｔｏｃｋ  Ｃｅｎｔｅｒ）、デューク大学）。
【０１２２】
ＰＣＲを形質転換した株を同定するために使用した。ＰＣＲ解析に関して、１０6の藻細胞（寒天プレートまたは液体培地由来）を１０ｍＭのＥＤＴＡに懸濁し、１０分間、９５℃まで加熱し、次いで２３℃付近まで冷やした。反応バッファー、ＭｇＣｌ２、ｄＮＴＰ、ＰＣＲプライマー対（表２および図３Ａに図示）、ＤＮＡポリメラーゼ、および水からなるＰＣＲカクテルを調製した。ＥＤＴＡ中の藻類溶解物を、反応のための鋳型を提供するために加えた。マグネシウム濃度を、加えたＥＤＴＡ中の藻類溶解物の量および濃度を補うために変化させた。アニーリング温度勾配を、特異的プライマー対についての最適アニーリング温度を決定するために使用した。
【０１２３】
エンドキシラナーゼ遺伝子を含む株を同定するために、一方のプライマーがｐｓｂＡ  ５’ＵＴＲ（配列番号１）内の部位にアニールし、もう一方のプライマーがエンドキシラナーゼコードセグメント（配列番号５）内でアニールするプライマー対を使用した。所望のクローンは、予期したサイズのＰＣＲ産物を生じるものである。内因性遺伝子座が置換される程度（同質細胞質対異質細胞質）を決定するために、２つのセットのプライマー対からなるＰＣＲ反応を利用した（同じ反応において）。第１のプライマー対は、発現ベクターによって標識化された内因性遺伝子座を増幅させ、ｐｓｂＡ  ５’ＵＴＲ（配列番号８）内でアニールするプライマー、およびｐｓｂＡコード領域（配列番号９）内でアニールするプライマーからなる。第２のプライマー対（配列番号６および７）は、発現ベクターによって標識化されない一定または制御領域を増幅させるので、全ての場合において予期されるサイズの産物を産生するはずである。この反応により、内因性遺伝子座からのＰＣＲ産物の非存在下によりＰＣＲ反応を阻害する細胞および／または他の汚染を生じなかったことを確認した。プライマー対の濃度は、同じチューブで両方の反応が進むように変更されるが；しかしながら、内因性遺伝子座についての対は一定の対の５倍の濃度である。使用したサイクル数は、感度を高めるために３０より多かった。ほとんどの所望のクローンは、内因性遺伝子座ではなく一定領域についての産物を生じるものである。所望のクローンはまた、コントロール反応と比べて弱い強度の内因性遺伝子座産物を与えるものである。
【０１２４】
９６のクローンでのこのＰＣＲからの結果を測定し、その結果を図７に示す。図７Ａはトランス遺伝子特異的プライマー対を用いたＰＣＲ結果を示す。見られ得るように、複数の形質転換したクローンは、エンド−β−グルカナーゼ遺伝子の挿入に関して陽性である（例えば、番号１〜９）。図７Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである（例えば、番号１〜９）。番号をつけていないクローンは、野生型ｐｓｂＡの存在を示し、従って、さらなる解析のために選択しなかった。
【０１２５】
エンドキシラナーゼタンパク質の発現を生じるエンドキシラナーゼコード遺伝子の存在を確実にするために、ウェスタンブロットを実施した。約１×１０8の藻細胞をＴＡＰ寒天培地から回収し、０．５ｍｌの溶解バッファー（７５０ｍＭのＴｒｉｓ、ｐＨ＝８．０、１５％のスクロース、１００ｍＭのβ−メルカプトエタノール）に懸濁した。細胞を超音波処理（１５％の電力で５×３０秒）により溶解した。溶解物を、ローディングバッファー（５％のＳＤＳ、５％のβ−メルカプトエタノール、３０％のスクロース、ブロモフェノールブルー）を用いて１：１で混合し、タンパク質をＳＤＳ−ＰＡＧＥにより分離し、続いて、ＰＶＤＦ膜に移した。膜を、２３℃で３０分間、ＴＢＳＴ＋５％の脱脂粉乳でブロックし、４℃で１０時間、抗ＦＬＡＧ抗体（ＴＢＳＴ＋５％の脱脂粉乳中で１：１，０００に希釈した）とインキュベートし、ＴＢＳＴで３回洗浄し、２３℃で１時間、セイヨウワサビに結合した抗マウス抗体（ＴＢＳＴ＋５％の脱脂粉乳中で１：１０，０００に希釈した）とインキュベートし、ＴＢＳＴで３回洗浄した。タンパク質を、化学発光による検出を用いて視覚化した。複数のクローンからの結果（図７Ｃ）により、タンパク質の産生を生じるＣ．ｒｅｉｎｈａｒｄｔｉｉ細胞におけるエンドキシラナーゼ遺伝子の発現が示される。
【０１２６】
形質転換した藻細胞により産生されたエンドキシラナーゼが機能的であるかどうかを決定するために、エンドキシラナーゼ活性を、酵素機能アッセイを用いて試験した。つまり、５００ｍｌの藻細胞培養物を、４℃で１５分間、４０００×ｇでの遠心分離により収集した。上清をデカントし、細胞を１０ｍｌの溶解バッファー（１００ｍＭのＴｒｉｓ−ＨＣｌ、ｐＨ＝８．０、３００ｍＭのＮａＣｌ、２％のＴｗｅｅｎ−２０）に再懸濁した。細胞を超音波処理（３５％の電力で１０×３０秒）により溶解した。溶解物を、４℃で１時間、１４，０００×ｇでの遠心分離により浄化した。上清を除去し、４℃で１０時間、抗ＦＬＡＧ抗体に結合したアガロース樹脂とインキュベートした。樹脂を重力濾過により溶解物から分離し、洗浄バッファー（１００ｍＭのＴｒｉｓ−ＨＣｌ、ｐＨ＝８．０、３００ｍＭのＮａＣｌ、２％のＴｗｅｅｎ−２０）で３回洗浄した。エンドキシラナーゼを、溶出バッファー（ＴＢＳ、２５０μｇ／ｍｌのＦＬＡＧペプチド）と樹脂のインキュベーションにより溶出した。各々の工程後に回収した試料のウェスタンブロット解析からの結果（図７Ｄ）により、エンドキシラナーゼタンパク質が単離されたことが示される。酵素機能を試験するために、希釈した酵素調製物の０．５ｍｌのアリコートを、ガラス試験管に加え、４０℃で５分間、平衡にした。Ｘｙｌａｚｙｍｅ  ＡＸ試験タブレット（Ｍｅｇａｚｙｍｅ）を、反応を開始するために加えた。３０分後、１０ｍｌのＴｒｉｚｍａベースの溶液を激しく攪拌しながら加えることによって、反応を終了させた。その管を５分間室温でインキュベートし、反応物を再び攪拌した。次いで、反応物をＷｈａｔｍａｎ  Ｎｏ．１（９ｃｍ）フィルターサークルにより濾過した。次いで、濾液を微量遠心分離によって浄化した。濾液の吸光度を５９０ｎｍで測定した。この結果により、２つの異なるクローン由来の粗酵素抽出物に関して、エンドキシラナーゼ活性が存在することが示された（０．９７４および０．４８８の吸光度）。
【０１２７】
（実施例５．外在性エンド−β−グルカナーゼを産生するＣ．ｒｅｉｎｈａｒｄｔｉｉ株におけるタンパク質発現のレベルの決定）
タンパク質のウェスタンブロット解析を以下のように行った。約１×１０8の藻細胞を、１００ｒｐｍに設定したロータリーシェーカーで、５，０００ルクスの一定の照射下、２３℃で、ＴＡＰ培地中で成長させた液体培養物から回収した。細胞を、０．５ｍｌの溶解バッファー（７５０ｍＭのトリス、ｐＨ＝８．０、１５％のスクロース、１００ｍＭのβメルカプトエタノール）に懸濁し、超音波処理によって溶解させた（１５％の電力で５×３０秒）。溶解物を、４℃にて、１５分間、１４，０００ＲＰＭで遠心分離し、上清を回収した。可溶性の全タンパク質濃度を、ＢｉｏＲａｄのタンパク質アッセイ試薬を用いて測定した。試料濃度を次いで互いに標準化した。ＦＬＡＧコントロールタンパク質はＦＬＡＧ標識された細菌アルカリ性のホスファターゼタンパク質標準（Ｓｉｇｍａ−Ａｌｄｒｉｃｈ、セントルイス、ミズーリ州）であった。溶解物を、ローディングバッファー（５％のＳＤＳ、５％のβ−メルカプトエタノール、３０％のスクロース、ブロモフェノールブルー）で１：１に混合し、タンパク質を、ＳＤＳ−ＰＡＧＥによって分離し、その後、ＰＶＤＦ膜へと移動させた。この膜を、ＴＢＳＴ＋５％の脱脂粉乳で、３０分間、２３℃でブロックし、１０時間、４℃で、抗ＦＬＡＧ抗体（ＴＢＳＴ＋５％の脱脂粉乳で１：１，０００に希釈した）とインキュベートし、ＴＢＳＴで３回洗浄し、１時間、２３℃で、セイヨウワサビに結合した抗マウス抗体（ＴＢＳＴ＋５％脱脂粉乳に１：１０，０００に希釈した）とインキュベートし、ＴＢＳＴで３回洗浄した。タンパク質を、化学発光による検出を用いて視覚化した。
【０１２８】
異なる増殖条件下で形質転換体に蓄積したセルラーゼのレベルを解明するために、本発明者らは、図８に示す滴定を行った。エンド−β−グルカナーゼ（ＢＤ５−２６）を発現する形質転換体からの５μｇ、１０μｇ、および２０μｇの全タンパク質を、１０μｇ、５０μｇ、１００μｇ、および２００μｇのコントロールタンパク質と共に分離させた。両方のタンパク質はそれらのカルボキシ末端でＦＬＡＧエピトープタグを含み、したがって、２つのタンパク質間での直接比較ができ、発現レベルを決定できる。２４または４８時間の増殖のいずれかからの５μｇの試料間のシグナル強度の比較は、５０ｎｇのコントロールペプチドより大きく、１００ｎｇの試料に対して、強度が近いシグナルを示す。１％の全タンパク質発現レベルは、５μｇの試料の１／１００、または５０ｎｇに等しい。ここでの強度は、その２倍のレベルに等しいシグナル、または２％の全タンパク質に等しい５μｇの試料中の１００ｎｇに等しいシグナルを示す。
【０１２９】
【表３】
2015037424.tif 000004
【０１３０】
（実施例６．複数の生分解性酵素をコードする遺伝子で形質転換したＣ．ｒｅｉｎｈａｒｄｔｉｉ株の構築）
この実施例において、２つの別個の構築物を用いて、複数のバイオマス分解（ＢＤ）酵素をコードする遺伝子を含む株を記載する。当業者は、このような手法が例として単に提供されていることを理解するだろう。目的の遺伝子全てを含む単一の構築物を用いた株の形質転換を、前述の実施例に記載したように通常、実施する。このような株を形質転換するために利用可能な構築物の例を図９に示す。図に見られ得るように、２つのポリヌクレオチドを、複数の遺伝子を宿主の藻細胞に送達するために構築した。上側の構築物は３つの酵素をコードする配列（図９  ＢＤ−５、ＢＤ−１、およびＢＤ−９）を含む。下側の構築物は、３つの酵素をコードする配列（図９  ＢＤ−２、ＢＤ−４、およびＢＤ−１１）を含む。この図において用いられる番号は、異なる酵素が各々の遺伝子によってコードされることを示すことのみを意図する。一部の例において、遺伝子は１つ以上のバイオマス分解経路中の異なる酵素をコードする。他の例において、１つ以上の遺伝子は同一の酵素をコードするが、１つは変異型であってもよく、または一部は複数の生物由来であってもよい。両方の構築物は、葉緑体ゲノムへの組み込みを容易にするために、Ｃ．ｒｅｉｎｈａｒｄｔｉｉゲノムに対して相同性を有する末端領域を含む。適切な形質転換、組み込み、タンパク質産生、およびタンパク質の機能は上述のように解析される。
【０１３１】
各々の構築物は、選択可能なマーカー（図９  マーカーＩおよびマーカーＩＩ）を含む。Ｃ．ｒｅｉｎｈａｒｄｔｉｉ細胞は上述のように形質転換される。この２つの構築物の導入は、両方の構築物での同時形質転換によってなされ得る。このような例において、潜在的な形質転換体は、両方のマーカー（例えば、ストレプトマイシンおよびカナマイシン耐性）の存在を選択する物質が追加されるＴＡＰ培地での増殖によって選択される。
【０１３２】
両方の構築物の遺伝子は、単一の転写調節の制御下に置かれていてもよく、本質的には、合成オペロン（「Ｃｈｌｏｒｏｐｅｒｏｎ」）を藻細胞の葉緑体に導入する。このような手法は、全経路が葉緑体内で操作されることを可能にする。あるいは、別の構築物は、異なる転写制御因子の制御下に置かれてもよい。さらに、このようにして導入された各々の遺伝子は、異なる転写制御因子の制御下に置かれてもよい。
【０１３３】
（実施例７．光合成能力を破壊しない構築物で形質転換したＣ．ｒｅｉｎｈａｒｄｔｉｉ株の構築）
この実施例において、Ｔ．ｒｅｅｓｅｉ由来のエンド−β−グルカナーゼをコードする核酸を、Ｃ．ｒｅｉｎｈａｒｄｔｉｉに導入した。形質転換ＤＮＡ（配列番号３０、表４）を図２Ｂに図示する。この例において、「トランス遺伝子」と標識されたセグメントは、エンド−β−グルカナーゼをコードする遺伝子（配列番号１６、表３）であり、５’ＵＴＲと標識されたセグメントは、Ｃ．ｒｅｉｎｈａｒｄｔｉｉ由来のｐｓｂＤ遺伝子についての５’ＵＴＲおよびプロモーター配列であり、３’ＵＴＲと標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来のａｔｐＡ遺伝子についての５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上の３ＨＢ遺伝子座に隣接するＤＮＡの配列と同一である「５’相同」および「３’相同」と標識されたセグメントを介してＣ．ｒｅｉｎｈａｒｄｔｉｉの３ＨＢ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に実質的に記載される。
【０１３４】
これらの実験に関して、全ての形質転換をＣ．ｒｅｉｎｈａｒｄｔｉｉ株１３７ｃ（ｍｔ＋）で実施した。細胞を、２３℃にて、１００ｒｐｍに設定したロータリーシェーカーで４５０ルクスの一定の照射下で、ＴＡＰ培地（ＧｏｒｍａｎおよびＬｅｖｉｎｅ，Ｐｒｏｃ．Ｎａｔｌ．Ａｃａｄ．Ｓｃｉ．，ＵＳＡ  ５４：１６６５−１６６９，１９６５、これは本明細書に参照として援用される）中の０．５ｍＭの５−フルオロデオキシウリジンの存在下において後期対数期（約７日）まで増殖させた。５０ｍｌの細胞を、２３℃で５分間、４，０００×ｇでの遠心分離により収集した。上清をデカントし、細胞を、微粒子銃（Ｃｏｈｅｎら，上記，１９９８）によるその後の葉緑体の形質転換のために４ｍｌのＴＡＰ培地に再懸濁した。全ての形質転換を、耐性が、「選択マーカー」と標識された図２Ｂにおけるセグメントによってコードされた遺伝子によって与えられるカナマイシン選択（１００μｇ／ｍｌ）下で実施した（クラミドモナスストックセンター（Ｃｈｌａｍｙｄｏｍｏｎａｓ  Ｓｔｏｃｋ  Ｃｅｎｔｅｒ）、デューク大学）。
【０１３５】
ＰＣＲを形質転換した株を同定するために使用した。ＰＣＲ解析に関して、１０6の藻細胞（寒天プレートまたは液体培地由来）を１０ｍＭのＥＤＴＡに懸濁し、１０分間、９５℃まで加熱し、次いで２３℃付近まで冷やした。反応バッファー、ＭｇＣｌ２、ｄＮＴＰ、ＰＣＲプライマー対（表２および図３Ａに図示）、ＤＮＡポリメラーゼ、および水からなるＰＣＲカクテルを調製した。ＥＤＴＡ中の藻類溶解物を、反応のための鋳型を提供するために加えた。マグネシウム濃度を、加えたＥＤＴＡ中の藻類溶解物の量および濃度を補うために変化させた。アニーリング温度勾配を、特異的プライマー対についての最適アニーリング温度を決定するために使用した。
【０１３６】
エンド−β−グルカナーゼ遺伝子を含む株を同定するために、一方のプライマーがｐｓｂＤ  ５’ＵＴＲ（配列番号１１）内の部位にアニールし、もう一方のプライマーがエンド−β−グルカナーゼコードセグメント（配列番号３）内でアニールするプライマー対を使用した。所望のクローンは、予期したサイズのＰＣＲ産物を生じるものである。内因性遺伝子座が置換される程度（同質細胞質対異質細胞質）を決定するために、２つのセットのプライマー対からなるＰＣＲ反応を利用した（同じ反応において）。第１のプライマー対は、発現ベクター（配列番号１３および１４）によって標識化された内因性遺伝子座を増幅させる。第２のプライマー対（配列番号６および７）は、発現ベクターによって標識化されない一定または制御領域を増幅させるので、全ての場合において予期されるサイズの産物を産生するはずである。この反応により、内因性遺伝子座からのＰＣＲ産物の非存在下によりＰＣＲ反応を阻害する細胞および／または他の汚染を生じなかったことを確認した。プライマー対の濃度は、同じチューブで両方の反応が進むように変更されるが；しかしながら、内因性遺伝子座についての対は一定の対の５倍の濃度である。使用したサイクル数は、感度を高めるために３０より多かった。ほとんどの所望のクローンは、内因性遺伝子座ではなく一定領域についての産物を生じるものである。所望のクローンはまた、コントロール反応と比べて弱い強度の内因性遺伝子座産物を与えるものである。
【０１３７】
９６のクローンでのこのＰＣＲからの結果を測定し、その結果を図１４に示す。図１４Ａはトランス遺伝子特異的プライマー対を用いたＰＣＲ結果を示す。見られ得るように、複数の形質転換したクローンは、エンド−β−グルカナーゼ遺伝子の挿入に関して陽性である（例えば、番号１、４および１４）。図１４Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである（例えば、番号１、４および１４）。番号をつけていないクローンは、野生型ｐｓｂＡの存在を示し、従って、さらなる解析のために選択しなかった。
【０１３８】
エンド−β−グルカナーゼタンパク質の発現を生じるエンド−β−グルカナーゼコード遺伝子の存在を確実にするために、ウェスタンブロットを実施した。約１×１０8の藻細胞をＴＡＰ寒天培地から回収し、０．５ｍｌの溶解バッファー（７５０ｍＭのＴｒｉｓ、ｐＨ＝８．０、１５％のスクロース、１００ｍＭのβ−メルカプトエタノール）に懸濁した。細胞を超音波処理（１５％の電力で５×３０秒）により溶解した。溶解物を、ローディングバッファー（５％のＳＤＳ、５％のβ−メルカプトエタノール、３０％のスクロース、ブロモフェノールブルー）を用いて１：１で混合し、タンパク質をＳＤＳ−ＰＡＧＥにより分離し、続いて、ＰＶＤＦ膜に移した。膜を、２３℃で３０分間、ＴＢＳＴ＋５％の脱脂粉乳でブロックし、４℃で１０時間、抗ＦＬＡＧ抗体（ＴＢＳＴ＋５％の脱脂粉乳中で１：１，０００に希釈した）とインキュベートし、ＴＢＳＴで３回洗浄し、２３℃で１時間、セイヨウワサビに結合した抗マウス抗体（ＴＢＳＴ＋５％の脱脂粉乳中で１：１０，０００に希釈した）とインキュベートし、ＴＢＳＴで３回洗浄した。タンパク質を、化学発光による検出を用いて視覚化した。複数のクローンからの結果（図１４Ｃ）により、タンパク質の産生を生じるＣ．ｒｅｉｎｈａｒｄｔｉｉ細胞におけるエンド−β−グルカナーゼ遺伝子の発現が示される。
【０１３９】
同様の結果が、Ｔ．ｒｅｅｓｅｉ（配列番号３１、表４）由来のエンドキシラナーゼ遺伝子を含む類似の構築物で見られる（図１５）。エンドキシラナーゼ遺伝子を含む構築物を図２Ｂに示す。この例において、「トランス遺伝子」と標識されたセグメントは、エンドキシラナーゼをコードする遺伝子（配列番号１８、表３）であり、５’ＵＴＲと標識されたセグメントは、Ｃ．ｒｅｉｎｈａｒｄｔｉｉ由来のｐｓｂＤ遺伝子についての５’ＵＴＲおよびプロモーター配列であり、３’ＵＴＲと標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来のａｔｐＡ遺伝子についての５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上の３ＨＢ遺伝子座に隣接するＤＮＡの配列と同一である「５’相同」および「３’相同」と標識されたセグメントを介してＣ．ｒｅｉｎｈａｒｄｔｉｉの３ＨＢ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に実質的に記載される。
【０１４０】
図１５Ａは、遺伝子特異的プライマー対を用いたＰＣＲを示す。見られ得るように、複数の形質転換したクローンは、エンドキシラナーゼ遺伝子の挿入に関して陽性である。図１５Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである。番号をつけていないクローンは、野生型ｐｓｂＡの存在を示し、従って、さらなる解析のために選択しなかった。タンパク質の発現を示すウェスタンブロット解析は図１５Ｃにおいて示される。
【０１４１】
同様の結果が、Ｔ．ｖｉｒｉｄｅ（配列番号２９、表４）由来のエキソ−β−グルカナーゼ遺伝子を含む類似の構築物で見られた（図１６）。エキソ−β−グルカナーゼ遺伝子を含む構築物を図２Ｂに示す。この例において、「トランス遺伝子」と標識されたセグメントは、エキソ−β−グルカナーゼをコードする遺伝子（配列番号１５、表３）であり、５’ＵＴＲと標識されたセグメントは、Ｃ．ｒｅｉｎｈａｒｄｔｉｉ由来のｐｓｂＤ遺伝子についての５’ＵＴＲおよびプロモーター配列であり、３’ＵＴＲと標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来のａｔｐＡ遺伝子についての５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上の３ＨＢ遺伝子座に隣接するＤＮＡの配列と同一である「５’相同」および「３’相同」と標識されたセグメントを介してＣ．ｒｅｉｎｈａｒｄｔｉｉの３ＨＢ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に実質的に記載される。
【０１４２】
図１６Ａは、遺伝子特異的プライマー対を用いたＰＣＲを示す。見られ得るように、複数の形質転換したクローンは、エンドキシラナーゼ遺伝子の挿入に関して陽性である。図１５Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである。番号をつけていないクローンは、野生型ｐｓｂＡの存在を示し、従って、さらなる解析のために選択しなかった。タンパク質の発現を示すウェスタンブロット解析は図１６Ｃにおいて示される。
【０１４３】
【表４】
2015037424.tif 000005
【０１４４】
【表５】
2015037424.tif 000006
【０１４５】
【表６】
2015037424.tif 000007
【０１４６】
【表７】
2015037424.tif 000008
【０１４７】
【表８】
2015037424.tif 000009
【０１４８】
【表９】
2015037424.tif 000010
【０１４９】
【表１０】
2015037424.tif 000011
【０１５０】
【表１１】
2015037424.tif 000012
【０１５１】
【表１２】
2015037424.tif 000013
【０１５２】
【表１３】
2015037424.tif 000014
【０１５３】
【表１４】
2015037424.tif 000015
【０１５４】
【表１５】
2015037424.tif 000016
【０１５５】
【表１６】
2015037424.tif 000017
【０１５６】
【表１７】
2015037424.tif 000018
【０１５７】
【表１８】
2015037424.tif 000019
【０１５８】
【表１９】
2015037424.tif 000020
【０１５９】
【表２０】
2015037424.tif 000021
【０１６０】
【表２１】
2015037424.tif 000022
【０１６１】
【表２２】
2015037424.tif 000023
【０１６２】
【表２３】
2015037424.tif 000024
【０１６３】
【表２４】
2015037424.tif 000025
【０１６４】
【表２５】
2015037424.tif 000026
【０１６５】
【表２６】
2015037424.tif 000027
【０１６６】
【表２７】
2015037424.tif 000028
【０１６７】
【表２８】
2015037424.tif 000029
【０１６８】
【表２９】
2015037424.tif 000030
【０１６９】
【表３０】
2015037424.tif 000031
【０１７０】
【表３１】
2015037424.tif 000032
【０１７１】
【表３２】
2015037424.tif 000033
【０１７２】
【表３３】
2015037424.tif 000034
【０１７３】
【表３４】
2015037424.tif 000035
【０１７４】
【表３５】
2015037424.tif 000036
【０１７５】
【表３６】
2015037424.tif 000037
【０１７６】
【表３７】
2015037424.tif 000038
【０１７７】
【表３８】
2015037424.tif 000039
【０１７８】
【表３９】
2015037424.tif 000040
【０１７９】
【表４０】
2015037424.tif 000041
【０１８０】
【表４１】
2015037424.tif 000042
【０１８１】
【表４２】
2015037424.tif 000043
【０１８２】
【表４３】
2015037424.tif 000044
【０１８３】
【表４４】
2015037424.tif 000045
【０１８４】
（実施例８．光合成能力を破壊しない構築物で形質転換したＣ．ｒｅｉｎｈａｒｄｔｉｉ株の構築）
この実施例において、Ｔ．ｒｅｅｓｅｉ由来のエンド−β−グルカナーゼをコードする核酸を、Ｃ．ｒｅｉｎｈａｒｄｔｉｉに導入した。形質転換ＤＮＡ（配列番号２８、表４）を図２Ｂに図示する。この例において、「トランス遺伝子」と標識されたセグメントは、エンド−β−グルカナーゼをコードする遺伝子（配列番号１６、表３）であり、トランス遺伝子の発現を駆動するセグメント（５’ＵＴＲと標識された）は、Ｃ．ｒｅｉｎｈａｒｄｔｉｉ由来のｐｓｂＣ遺伝子についての５’ＵＴＲおよびプロモーター配列であり、３’ＵＴＲと標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来のａｔｐＡ遺伝子についての５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上の３ＨＢ遺伝子座に隣接するＤＮＡの配列と同一である「５’相同」および「３’相同」と標識されたセグメントを介してＣ．ｒｅｉｎｈａｒｄｔｉｉの３ＨＢ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に実質的に記載される。
【０１８５】
これらの実験に関して、全ての形質転換をＣ．ｒｅｉｎｈａｒｄｔｉｉ株１３７ｃ（ｍｔ＋）で実施した。細胞を、２３℃にて、１００ｒｐｍに設定したロータリーシェーカーで４５０ルクスの一定の照射下で、ＴＡＰ培地（ＧｏｒｍａｎおよびＬｅｖｉｎｅ，Ｐｒｏｃ．Ｎａｔｌ．Ａｃａｄ．Ｓｃｉ．，ＵＳＡ  ５４：１６６５−１６６９，１９６５、これは本明細書に参照として援用される）中の０．５ｍＭの５−フルオロデオキシウリジンの存在下において後期対数期（約７日）まで増殖させた。５０ｍｌの細胞を、２３℃で５分間、４，０００×ｇでの遠心分離により収集した。上清をデカントし、細胞を、微粒子銃（Ｃｏｈｅｎら，上記，１９９８）によるその後の葉緑体の形質転換のために４ｍｌのＴＡＰ培地に再懸濁した。全ての形質転換を、耐性が、「選択マーカー」と標識された図２Ｂにおけるセグメントによってコードされた遺伝子によって与えられるカナマイシン選択（１００μｇ／ｍｌ）下で実施した（クラミドモナスストックセンター（Ｃｈｌａｍｙｄｏｍｏｎａｓ  Ｓｔｏｃｋ  Ｃｅｎｔｅｒ）、デューク大学）。
【０１８６】
ＰＣＲを形質転換した株を同定するために使用した。ＰＣＲ解析に関して、１０6の藻細胞（寒天プレートまたは液体培地由来）を１０ｍＭのＥＤＴＡに懸濁し、１０分間、９５℃まで加熱し、次いで２３℃付近まで冷やした。反応バッファー、ＭｇＣｌ２、ｄＮＴＰ、ＰＣＲプライマー対（表２および図３Ａに図示）、ＤＮＡポリメラーゼ、および水からなるＰＣＲカクテルを調製した。ＥＤＴＡ中の藻類溶解物を、反応のための鋳型を提供するために加えた。マグネシウム濃度を、加えたＥＤＴＡ中の藻類溶解物の量および濃度を補うために変化させた。アニーリング温度勾配を、特異的プライマー対についての最適アニーリング温度を決定するために使用した。
【０１８７】
エンド−β−グルカナーゼ遺伝子を含む株を同定するために、一方のプライマーがｐｓｂＣ  ５’ＵＴＲ（配列番号１０）内の部位にアニールし、もう一方のプライマーがエンド−β−グルカナーゼコードセグメント（配列番号３）内でアニールするプライマー対を使用した。所望のクローンは、予期したサイズのＰＣＲ産物を生じるものである。内因性遺伝子座が置換される程度（同質細胞質対異質細胞質）を決定するために、２つのセットのプライマー対からなるＰＣＲ反応を利用した（同じ反応において）。第１のプライマー対は、発現ベクター（配列番号１３および１４）によって標識化された内因性遺伝子座を増幅させる。第２のプライマー対（配列番号６および７）は、発現ベクターによって標識化されない一定または制御領域を増幅させるので、全ての場合において予期されるサイズの産物を産生するはずである。この反応により、内因性遺伝子座からのＰＣＲ産物の非存在下によりＰＣＲ反応を阻害する細胞および／または他の汚染を生じなかったことを確認した。プライマー対の濃度は、同じチューブで両方の反応が進むように変更されるが；しかしながら、内因性遺伝子座についての対は一定の対の５倍の濃度である。使用したサイクル数は、感度を高めるために３０より多かった。ほとんどの所望のクローンは、内因性遺伝子座ではなく一定領域についての産物を生じるものである。所望のクローンはまた、コントロール反応と比べて弱い強度の内因性遺伝子座産物を与えるものである。
【０１８８】
９６のクローンでのこのＰＣＲからの結果を測定し、その結果を図１０に示す。図１０Ａはトランス遺伝子特異的プライマー対を用いたＰＣＲ結果を示す。見られ得るように、複数の形質転換したクローンは、エンド−β−グルカナーゼ遺伝子の挿入に関して陽性である。図１０Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである（例えば、番号６７、９２）。番号をつけていないクローンは、野生型ｐｓｂＡの存在を示し、従って、さらなる解析のために選択しなかった。
【０１８９】
エンド−β−グルカナーゼタンパク質の発現を生じるエンド−β−グルカナーゼコード遺伝子の存在を確実にするために、ウェスタンブロットを実施した。約１×１０8の藻細胞をＴＡＰ寒天培地から回収し、０．５ｍｌの溶解バッファー（７５０ｍＭのＴｒｉｓ、ｐＨ＝８．０、１５％のスクロース、１００ｍＭのβ−メルカプトエタノール）に懸濁した。細胞を超音波処理（１５％の電力で５×３０秒）により溶解した。溶解物を、ローディングバッファー（５％のＳＤＳ、５％のβ−メルカプトエタノール、３０％のスクロース、ブロモフェノールブルー）を用いて１：１で混合し、タンパク質をＳＤＳ−ＰＡＧＥにより分離し、続いて、ＰＶＤＦ膜に移した。膜を、２３℃で３０分間、ＴＢＳＴ＋５％の脱脂粉乳でブロックし、４℃で１０時間、抗ＦＬＡＧ抗体（ＴＢＳＴ＋５％の脱脂粉乳中で１：１，０００に希釈した）とインキュベートし、ＴＢＳＴで３回洗浄し、２３℃で１時間、セイヨウワサビに結合した抗マウス抗体（ＴＢＳＴ＋５％の脱脂粉乳中で１：１０，０００に希釈した）とインキュベートし、ＴＢＳＴで３回洗浄した。タンパク質を、化学発光による検出を用いて視覚化した。複数のクローンからの結果（図１０Ｃ）により、タンパク質の産生を生じるＣ．ｒｅｉｎｈａｒｄｔｉｉ細胞におけるエンド−β−グルカナーゼ遺伝子の発現が示される。
【０１９０】
同様の結果が、Ｔ．ｒｅｅｓｅｉ（配列番号２３、表４）由来のβ−グルコシダーゼ遺伝子を含む類似の構築物で見られる（図１１）。エンドキシラナーゼ遺伝子を含む構築物を図２Ｂに示す。この例において、この例において、「トランス遺伝子」と標識されたセグメントは、β−グルコシダーゼをコードする遺伝子（配列番号１７、表３）であり、トランス遺伝子の発現を駆動するセグメント（５’ＵＴＲと標識された）は、Ｃ．ｒｅｉｎｈａｒｄｔｉｉ由来のｐｓｂＣ遺伝子についての５’ＵＴＲおよびプロモーター配列であり、３’ＵＴＲと標識されたセグメントは、Ｃ．ｒｅｉｎｈａｒｄｔｉｉ由来のｐｓｂＡ遺伝子についての３’ＵＴＲを含み、「選択マーカー」と標識されたセグメントは、細菌由来のカナマイシン耐性をコードする遺伝子であり、これは、Ｃ．ｒｅｉｎｈａｒｄｔｉｉ由来のａｔｐＡ遺伝子についての５’ＵＴＲおよびプロモーター配列、ならびにＣ．ｒｅｉｎｈａｒｄｔｉｉ由来のｒｂｃＬ遺伝子についての３’ＵＴＲ配列により調節される。トランス遺伝子カセットは、それぞれ５’および３’側上の３ＨＢ遺伝子座に隣接するＤＮＡの配列と同一である「５’相同」および「３’相同」と標識されたセグメントを介してＣ．ｒｅｉｎｈａｒｄｔｉｉの３ＨＢ遺伝子座に標的化される。この形質転換ＤＮＡの構築において実施した全てのＤＮＡ操作は、Ｓａｍｂｒｏｏｋら，Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら，Ｍｅｔｈ．Ｅｎｚｙｍｏｌ．２９７，１９２−２０８，１９９８に実質的に記載される。
【０１９１】
図１１Ａは、遺伝子特異的プライマー対を用いたＰＣＲを示す。見られ得るように、複数の形質転換したクローンは、β−グルコシダーゼ遺伝子の挿入に関して陽性である。図１１Ｂは、同質細胞質と異質細胞質のクローンを見分けるためのプライマー対を用いたＰＣＲ結果を示す。見られ得るように、複数の形質転換したクローンは、トランス遺伝子の組み込みを支持する程度で同質細胞質または異質細胞質のいずれかである（番号１６、６４）。番号をつけていないクローンは、野生型ｐｓｂＡの存在を示し、従って、さらなる解析のために選択しなかった。タンパク質の発現を示すウェスタンブロット解析は図１１Ｃにおいて示される。
【０１９２】
（実施例９．光合成能力を破壊しない酵素構築物を分解するバイオマスを発現するシアノバクテリア株の構築）
この実施例において、選択されたシアノバクテリア種に挿入可能な構築物が作製される（例えば、Ｓｙｎｅｃｈｏｃｙｓｔｉｓ  ｓｐ．ＰＣＣ６８０３株、Ｓｙｎｅｃｈｏｃｏｃｃｕｓ  ｓｐ．ＰＣＣ７９４２株、Ｔｈｅｒｍｏｓｙｎｅｃｈｏｃｏｃｃｕｓ  ｅｌｏｎｇａｔｅｓ  ＢＰ−１、およびＰｒｏｃｈｌｏｒｏｃｃｕｓ  ｍａｒｉｎａ）。そのような構築物の例は、図１３において図示される。そのトランス遺伝子および調節配列（例えば、プロモーターおよびターミネーター）に加えて、典型的には、そのような構築物は、適切な選択可能なマーカー（例えば、抗生物質耐性遺伝子）を含む。そのトランス遺伝子は、目的のいずれかの遺伝子であってもよいが、好ましくは、バイオマス分解酵素（例えば、セルロース分解酵素、ヘミセルロース分解酵素、リグニン分解酵素）である。カセットまたはベクターの一部は、挿入される外因性ＤＮＡが、シアノバクテリアゲノムの一部に対して相同性を共有する領域に隣接する場合、相同的組み換えを介して宿主細胞ゲノムに組み込まれてもよい。あるいは、その構築物は、宿主細胞ゲノムへと組み込まれるのではなく、その宿主細胞を安定にまたは一時的に形質転換させる自己複製するベクターであってもよい。一部の例において、調節要素、トランス遺伝子、および／または選択可能なマーカーは、宿主生物の好ましいコドン使用に偏らせる必要があってもよい。全てのＤＮＡ操作は、Ｓａｍｂｒｏｏｋら、Ｍｏｌｅｃｕｌａｒ  Ｃｌｏｎｉｎｇ：Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ  １９８９）およびＣｏｈｅｎら、Ｍｅｔｈ．Ｅｎｚｙｍｏｌ．２９７、１９２−２０８、１９８９年）に、実質的に記載されるように実施される。
【０１９３】
本発明の構築物でのＳｙｎｅｃｈｏｃｙｓｔｉｓの形質転換は、当該分野において公知の任意の方法によって実施され得る（例えば、ＤｚｅｌｚｋａｌｎｓおよびＢｏｇｏｒａｄ、Ｊ．Ｂａｃｔｅｒｉｏｌ．１６５：９６４−７１（１９８６）を参照）。この実施例に関して、Ｓｙｎｅｃｈｏｃｙｓｔｉｓ  ｓｐ．６８０３株を、１ｍｌあたり約２×１０8の細胞密度にまで増殖させ、遠心分離によって収集した。細胞ペレットを、１ｍｌあたり１×１０9の細胞密度で、新しいＢＧ−１１培地（ＡＴＣＣ培地６１６）に再懸濁し、形質転換のために即座に用いた。これらの細胞のうちの１００マイクロリットルを、構築物を含む５μｌの少ない準備溶液と混合し、その細胞を、４時間、３０℃で光とともにインキュベートした。この混合物を、次いで、ＴＥＳ  ｐＨ８．０を補ったＢＧ−１１寒天上のナイロンフィルタに置き、１２〜１８時間、増殖させた。このフィルタを、次いで、ＢＧ−１１寒天＋ＴＥＳ＋５μｇ／ｍｌのアンピシリンに移動させ、典型的には７日から１０日以内に、コロニーが現れるまで増殖させた。
【０１９４】
コロニーを、次いで、５μｇ／ｍｌのアンピシリンを含むＢＧ−１１液体培地へ取り、５日間増殖させた。形質転換した細胞を、１〜２日間、低光強度下でインキュベートし、その後、通常の増殖条件へと移動させた。これらの細胞を、次いで、１０μｇ／ｍｌのアンピシリンを含むＢＧ−１１培地に移動させて、５日間、増殖させた。細胞を、次いで、ＰＣＲ分析のために収集し、外因性の挿入物が存在することを決定した。挿入された構築物によってコードされるタンパク質の発現レベルを決定するために、ウェスタンブロットを実施してもよい（実質的に上述のように）。
【０１９５】
（実施例１０．Ｅｓｃｈｅｒｉｃｈｉａ  ｃｏｌｉにおける酵素を分解するバイオマスの発現）
この実施例において、Ｔ．ｒｅｅｓｅｉ由来のエンド−β−グルカナーゼをコードする核酸を、遺伝子およびｐＥＴ−２１ａの両方に存在するＮｄｅＩおよびＸｈｏＩ制限酵素認識部位を用いて、ｐＥＴ−２１ａにクローンした。得られたベクター（配列番号２５、表４）を、Ｅ．ｃｏｌｉ  ＢＬ−２１細胞に形質転換した。細胞密度がＯＤ＝０．６に達した場合に、発現が誘発された。細胞を、５時間、３０℃で増殖させ、次いで収集した。上述のように実質的に精製した。細菌において発現した酵素の活性を、上述の実施例に実質的に記載されるアッセイを用いて決定した。これらの分析の結果を図１７（レーン２）に示した。
【０１９６】
エキソ−βグルカナーゼ、β−グルコシダーゼ、およびエンドキシラナーゼをコードする核酸もまた、ｐＥＴ−２１にクローンした。得られたベクター（各々、配列番号２４、２６、および２７、表４）をＥ．ｃｏｌｉＢＬ−２１細胞に形質転換した。細胞密度がＯＤ＝０．６に達した場合に、発現が誘発された。細胞を、５時間、３０℃で増殖させ、次いで収集した。上述のように実質的に精製した。細菌において発現した酵素の活性を、上述の実施例に実質的に記載されるアッセイを用いて測定した。これらの分析の結果を図１７（レーン１：エキソ−β−グルカナーゼ、レーン３：β−グルコシダーゼ、およびレーン４：エンドキシラナーゼ）に示した。酵素の活性化もまた、実質的に上述のように測定した。バックグランドを差し引いた（ｂａｃｋｇｒｏｕｎｄ−ｓｕｂｓｔｒａｃｔ）値で提示する結果を表５に提供する。
【０１９７】
【表４５】
2015037424.tif 000046
【０１９８】
前述の実施例に示したデータと共に、このデータは、本明細書において記載されたベクターによってコードされた酵素が、配列中に構築されたコドンの偏りにもかかわらず、藻類および細菌の両方によって機能的に発現可能であることを実証する。
【０１９９】
本明細書において応用可能であり得る様々な修正、加工、および多数の構造は明らかである。様々な態様、特徴、または実施形態は、理解、信条、理論、元となる想定、および／または作業、あるいは今後現れ得る例に関連して説明または記載される場合もあり得るが、任意の特定の理解、信条、理論、元となる想定、および／または作業、あるいは今後現れ得る例は限定的ではないことは理解される。様々な態様および特徴は、本明細書における様々な実施形態および特定の例に関連して記載されてもよいが、それらのいずれもが、本出願に関連し得る添付の特許請求の範囲または他の特許請求の範囲の十全たる範囲に対して制限的ではないことは理解される。
【図１】
2015037424.tif 000047
【図２】
2015037424.tif 000048
【図３Ａ】
2015037424.tif 000049
【図３Ｂ】
2015037424.tif 000050
【図３Ｃ】
2015037424.tif 000051
【図４Ａ】
2015037424.tif 000052
【図４Ｂ】
2015037424.tif 000053
【図４Ｃ】
2015037424.tif 000054
【図４Ｄ】
2015037424.tif 000055
【図５Ａ】
2015037424.tif 000056
【図５Ｂ】
2015037424.tif 000057
【図５Ｃ】
2015037424.tif 000058
【図５Ｄ】
2015037424.tif 000059
【図６Ａ】
2015037424.tif 000060
【図６Ｂ】
2015037424.tif 000061
【図６Ｃ】
2015037424.tif 000062
【図６Ｄ】
2015037424.tif 000063
【図７Ａ】
2015037424.tif 000064
【図７Ｂ】
2015037424.tif 000065
【図７Ｃ】
2015037424.tif 000066
【図７Ｄ】
2015037424.tif 000067
【図８】
2015037424.tif 000068
【図９】
2015037424.tif 000069
【図１０Ａ】
2015037424.tif 000070
【図１０Ｂ】
2015037424.tif 000071
【図１０Ｃ】
2015037424.tif 000072
【図１１Ａ】
2015037424.tif 000073
【図１１Ｂ】
2015037424.tif 000074
【図１１Ｃ】
2015037424.tif 000075
【図１２Ａ】
2015037424.tif 000076
【図１２Ｂ】
2015037424.tif 000077
【図１３Ａ】
2015037424.tif 000078
【図１３Ｂ】
2015037424.tif 000079
【図１４Ａ】
2015037424.tif 000080
【図１４Ｂ】
2015037424.tif 000081
【図１４Ｃ】
2015037424.tif 000082
【図１５Ａ】
2015037424.tif 000083
【図１５Ｂ】
2015037424.tif 000084
【図１５Ｃ】
2015037424.tif 000085
【図１６Ａ】
2015037424.tif 000086
【図１６Ｂ】
2015037424.tif 000087
【図１６Ｃ】
2015037424.tif 000088
【図１７】
2015037424.tif 000089
【配列表】
2015037424000001.app
【手続補正書】
【提出日】平成26年11月20日(2014.11.20)
【手続補正１】
【補正対象書類名】特許請求の範囲
【補正対象項目名】全文
【補正方法】変更
【補正の内容】
【特許請求の範囲】
【請求項１】
エキソ−β−グルカナーゼ、エンド−β−グルカナーゼ、β−グルコシダーゼ、エンドキシラナーゼ、及びリグナーゼからなる群より選ばれる１又は複数の外因性バイオマス分解酵素を有する、１又は複数の非維管束光合成真核生物を含む、組成物。
【請求項２】
前記１又は複数の非維管束光合成真核生物の１又は複数の粉砕した細胞を含む、請求項１記載の組成物。
【請求項３】
前記１又は複数のバイオマス分解酵素が、組成物中に総タンパク質の１０％以上を含む、請求項１又は２記載の組成物。
【請求項４】
前記１又は複数の非維管束光合成生物が、光合成藻類を含む、請求項１〜３のいずれか１項記載の組成物。
【請求項５】
前記１又は複数のバイオマス分解酵素が、トリコデルマ・ビルデ（Ｔｒｉｃｈｏｄｅｒｍａ  ｖｉｒｉｄｅ）由来のエキソ−β−グルカナーゼ、トリコデルマ・リーセイ（Ｔｒｉｃｈｏｄｅｒｍａ  ｒｅｅｓｅｉ）由来のβ−グルコシダーゼ、アスペルギルス・アクリータス（Ａｓｐｅｒｇｉｌｌｕｓ  ａｃｕｌｅａｔｕｓ）由来のエキソ−β−グルカナーゼ、トリコデルマ・リーセイ（Ｔｒｉｃｈｏｄｅｒｍａ  ｒｅｅｓｅｉ）由来のエンド−β−グルカナーゼ、アスぺルギルス・ニガー（Ａｓｐｅｒｇｉｌｌｕｓ  ｎｉｇｅｒ）由来のエンド−β−グルカナーゼ、トリコデルマ・リーセイ（Ｔｒｉｃｈｏｄｅｒｍａ  ｒｅｅｓｅｉ）由来のβ−グルコシダーゼ、アスぺルギルス・ニガー（Ａｓｐｅｒｇｉｌｌｕｓ  ｎｉｇｅｒ）由来のβ−グルコシダーゼ、トリコデルマ・リーセイ（Ｔｒｉｃｈｏｄｅｒｍａ  ｒｅｅｓｅｉ）由来のエンドキシラナーゼ、及びアスぺルギルス・ニガー（Ａｓｐｅｒｇｉｌｌｕｓ  ｎｉｇｅｒ）由来のエンドキシラナーゼからなる群より選ばれる、請求項１〜４のいずれか１項記載の組成物。
【請求項６】
前記非維管束光合成生物が、クラミドモナス・レインハルディ（Ｃ．ｒｅｉｎｈａｒｄｔｉｉ）、デュナリエラ・サリナ（Ｄ．ｓａｌｉｎａ）、ヘマトコッカス・プルビアリス（Ｈ．ｐｌｕｖｉａｌｉｓ）、緑色植物（ｃｈｌｏｒｏｐｈｙｔａ）、不等毛植物門（ｈｅｔｅｒｏｋｏｎｔｏｐｈｙｔａ）、黄緑藻植物（ｔｒｉｂｏｐｈｙｔａ）、灰色植物（ｇｌａｕｃｏｐｈｙｔａ）、クロララクニオン植物（ｃｈｌｏｒａｒａｃｈｎｉｏｐｈｙｔｅｓ）、ユーグレナ植物門（ｅｕｇｌｅｎｏｐｈｙｔａ）、ユーグレナ類（ｅｕｇｌｅｎｏｉｄｓ）、ハプト植物門（ｈａｐｔｏｐｈｙｔａ）、黄金色植物門（ｃｈｒｙｓｏｐｈｙｔａ）、クリプト植物門（ｃｒｙｐｔｏｐｈｙｔａ）、クリプト藻網（ｃｒｙｐｔｏｍｏｎａｄｓ）、渦鞭毛植物門（ｄｉｎｏｐｈｙｔａ）、渦鞭毛藻類（ｄｉｎｏｆｌａｇｅｌｌａｔａ）、プリネシウム藻類（ｐｙｒｍｎｅｓｉｏｐｈｙｔａ）、珪藻類（ｂａｃｉｌｌａｒｉｏｐｈｙｔａ）、黄緑色植物門（ｘａｎｔｈｏｐｈｙｔａ）、ユーステグマト植物門（ｅｕｓｔｉｇｍａｔｏｐｈｙｔａ）、ラフィド藻門（ｒａｐｈｉｄｏｐｈｙｔａ）、及び褐藻網（ｐｈａｅｏｐｈｙｔａ）からなる群より選ばれる、請求項１〜５のいずれか１項記載の組成物。
【請求項７】
前記トリコデルマ・リーセイ（Ｔｒｉｃｈｏｄｅｒｍａ  ｒｅｅｓｅｉ）由来のエンドキシラナーゼが、アミノ酸配列：
MVSFTSLLAASPPSRASCRPAAEVESVAVEKRQTIQPGTGYNNGYFYSYWNDGHGGVTYTNGPGGQFSVNWSNSGNFVGGKGWQPGTKNKVINFSGSYNPNGNSYLSVYGWSRNPLIEYYIVENFGTYNPSTGATKLGEVTSDGSVYDIYRTQRVNQPSIIGTATFYQYWSVRRNHRSSGSVNTANHFNAWAQQGLTLGTMDYQIVAVEGYFSSGSASITVS (NCBIアクセション番号CAA49293);又は
MVAFSSLICALTSIASTLAMPTGLEPESSVNVTERGMYDFVLGAHNDHRRRASINYDQNYQTGGQVSYSPSNTGFSVNWNTQDDFVVGVGWTTGSSAPINFGGSFSVNSGTGLLSVYGWSTNPLVEYYIMEDNHNYPAQGTVKGTVTSDGATYTIWENTRVNEPSIQGTATFNQYISVRNSPRTSGTVTVQNHFNAWASLGLHLGQMNYQVVAVEGWGGSGSASQSVSN (NCBIアクセション番CAA49294)
を含む、請求項５記載の組成物。
【請求項８】
前記光合成藻類が、緑色植物（ｃｈｌｏｒｏｐｈｙｔａ）のメンバである、請求項４記載の組成物。
【請求項９】
前記緑色植物（ｃｈｌｏｒｏｐｈｙｔａ）のメンバが、クラミドモナス・レインハルディ（Ｃ．ｒｅｉｎｈａｒｄｔｉｉ）、デュナリエラ・サリナ（Ｄ．ｓａｌｉｎａ）、及びヘマトコッカス・プルビアリス（Ｈ．ｐｌｕｖｉａｌｉｓ）からなる群より選ばれる、請求項８記載の組成物。
【請求項１０】
エキソ−β−グルカナーゼ、エンド−β−グルカナーゼ、β−グルコシダーゼ、エンドキシラナーゼ、及びリグナーゼからなる群より選ばれる１又は複数の外因性バイオマス分解酵素を有する、１又は複数の非維管束光合成プラスチド含有生物を含む、組成物。
【請求項１１】
前記１又は複数の非維管束光合成真核生物の１又は複数のの粉砕した細胞を含む、請求項１０記載の組成物。
【請求項１２】
前記１又は複数のバイオマス分解酵素が、組成物中に総タンパク質の１０％以上を含む、請求項１０又は１１記載の組成物。
【請求項１３】
前記１又は複数の非維管束光合成プラスチド含有生物が、光合成藻類を含む、請求項１０〜１２のいずれか１項記載の組成物。
【請求項１４】
前記１又は複数のバイオマス分解酵素が、トリコデルマ・ビルデ（Ｔｒｉｃｈｏｄｅｒｍａ  ｖｉｒｉｄｅ）由来のエキソ−β−グルカナーゼ、トリコデルマ・リーセイ（Ｔｒｉｃｈｏｄｅｒｍａ  ｒｅｅｓｅｉ）由来のβ−グルコシダーゼ、アスペルギルス・アクリータス（Ａｓｐｅｒｇｉｌｌｕｓ  ａｃｕｌｅａｔｕｓ）由来のエキソ−β−グルカナーゼ、トリコデルマ・リーセイ（Ｔｒｉｃｈｏｄｅｒｍａ  ｒｅｅｓｅｉ）由来のエンド−β−グルカナーゼ、アスぺルギルス・ニガー（Ａｓｐｅｒｇｉｌｌｕｓ  ｎｉｇｅｒ）由来のエンド−β−グルカナーゼ、トリコデルマ・リーセイ（Ｔｒｉｃｈｏｄｅｒｍａ  ｒｅｅｓｅｉ）由来のβ−グルコシダーゼ、アスぺルギルス・ニガー（Ａｓｐｅｒｇｉｌｌｕｓ  ｎｉｇｅｒ）由来のβ−グルコシダーゼ、トリコデルマ・リーセイ（Ｔｒｉｃｈｏｄｅｒｍａ  ｒｅｅｓｅｉ）由来のエンドキシラナーゼ、及びアスぺルギルス・ニガー（Ａｓｐｅｒｇｉｌｌｕｓ  ｎｉｇｅｒ）由来のエンドキシラナーゼからなる群より選ばれる、請求項１０〜１３のいずれか１項記載の組成物。
【請求項１５】
前記非維管束光合成生物が、クラミドモナス・レインハルディ（Ｃ．ｒｅｉｎｈａｒｄｔｉｉ）、デュナリエラ・サリナ（Ｄ．ｓａｌｉｎａ）、ヘマトコッカス・プルビアリス（Ｈ．ｐｌｕｖｉａｌｉｓ）、緑色植物（ｃｈｌｏｒｏｐｈｙｔａ）、不等毛植物門（ｈｅｔｅｒｏｋｏｎｔｏｐｈｙｔａ）、黄緑藻植物（ｔｒｉｂｏｐｈｙｔａ）、灰色植物（ｇｌａｕｃｏｐｈｙｔａ）、クロララクニオン植物（ｃｈｌｏｒａｒａｃｈｎｉｏｐｈｙｔｅｓ）、ユーグレナ植物門（ｅｕｇｌｅｎｏｐｈｙｔａ）、ユーグレナ類（ｅｕｇｌｅｎｏｉｄｓ）、ハプト植物門（ｈａｐｔｏｐｈｙｔａ）、黄金色植物門（ｃｈｒｙｓｏｐｈｙｔａ）、クリプト植物門（ｃｒｙｐｔｏｐｈｙｔａ）、クリプト藻網（ｃｒｙｐｔｏｍｏｎａｄｓ）、渦鞭毛植物門（ｄｉｎｏｐｈｙｔａ）、渦鞭毛藻類（ｄｉｎｏｆｌａｇｅｌｌａｔａ）、プリネシウム藻類（ｐｙｒｍｎｅｓｉｏｐｈｙｔａ）、珪藻類（ｂａｃｉｌｌａｒｉｏｐｈｙｔａ）、黄緑色植物門（ｘａｎｔｈｏｐｈｙｔａ）、ユーステグマト植物門（ｅｕｓｔｉｇｍａｔｏｐｈｙｔａ）、ラフィド藻門（ｒａｐｈｉｄｏｐｈｙｔａ）、及び褐藻網（ｐｈａｅｏｐｈｙｔａ）からなる群より選ばれる、請求項１０〜１４のいずれか１項記載の組成物。
【請求項１６】
前記プラスチドが、緑色植物（ｃｈｌｏｒｏｐｈｙｔａ）である、請求項１０〜１５のいずれか１項記載の組成物。
【請求項１７】
前記非維管束光合成プラスチド含有生物が、緑色植物（ｃｈｌｏｒｏｐｈｙｔａ）のメンバである、請求項１５記載の組成物。
【請求項１８】
前記緑色植物（ｃｈｌｏｒｏｐｈｙｔａ）のメンバが、クラミドモナス・レインハルディ（Ｃ．ｒｅｉｎｈａｒｄｔｉｉ）、デュナリエラ・サリナ（Ｄ．ｓａｌｉｎａ）、及びヘマトコッカス・プルビアリス（Ｈ．ｐｌｕｖｉａｌｉｓ）からなる群より選ばれる、請求項１７記載の組成物。
【請求項１９】
アルコールバイオ燃料の製造方法であって、
バイオマスを、前記バイオマスの少なくとも一部分を分解するために十分な時間、エキソ−β−グルカナーゼ、エンド−β−グルカナーゼ、β−グルコシダーゼ、エンドキシラナーゼ、及びリグナーゼからなる群より選ばれる１又は複数の外因性バイオマス分解酵素を有する非維管束光合成プラスチド含有生物で処理すること
を含む、方法。
【請求項２０】
前記プラスチド含有生物が、糖化タンクに加えられる、請求項１９記載の方法。
【請求項２１】
前記バイオ燃料が、エタノールである、請求項１９又は２０記載の方法。
【請求項２２】
前記非維管束光合成プラスチド含有生物が光合成藻類を含む、請求項１９〜２１のいずれか１項記載の方法。
【請求項２３】
前記光合成藻類が、緑色植物（ｃｈｌｏｒｏｐｈｙｔａ）のメンバである、請求項２２記載の方法。
【請求項２４】
前記緑色植物（ｃｈｌｏｒｏｐｈｙｔａ）のメンバが、クラミドモナス・レインハルディ（Ｃ．ｒｅｉｎｈａｒｄｔｉｉ）、デュナリエラ・サリナ（Ｄ．ｓａｌｉｎａ）、及びヘマトコッカス・プルビアリス（Ｈ．ｐｌｕｖｉａｌｉｓ）からなる群より選ばれる、請求項２３記載の方法。
【請求項２５】
前記１又は複数の外因性バイオマス分解酵素が、トリコデルマ・ビルデ（Ｔｒｉｃｈｏｄｅｒｍａ  ｖｉｒｉｄｅ）由来のエキソ−β−グルカナーゼ、トリコデルマ・リーセイ（Ｔｒｉｃｈｏｄｅｒｍａ  ｒｅｅｓｅｉ）由来のβ−グルコシダーゼ、アスペルギルス・アクリータス（Ａｓｐｅｒｇｉｌｌｕｓ  ａｃｕｌｅａｔｕｓ）由来のエキソ−β−グルカナーゼ、トリコデルマ・リーセイ（Ｔｒｉｃｈｏｄｅｒｍａ  ｒｅｅｓｅｉ）由来のエンド−β−グルカナーゼ、アスぺルギルス・ニガー（Ａｓｐｅｒｇｉｌｌｕｓ  ｎｉｇｅｒ）由来のエンド−β−グルカナーゼ、トリコデルマ・リーセイ（Ｔｒｉｃｈｏｄｅｒｍａ  ｒｅｅｓｅｉ）由来のβ−グルコシダーゼ、アスぺルギルス・ニガー（Ａｓｐｅｒｇｉｌｌｕｓ  ｎｉｇｅｒ）由来のβ−グルコシダーゼ、トリコデルマ・リーセイ（Ｔｒｉｃｈｏｄｅｒｍａ  ｒｅｅｓｅｉ）由来のエンドキシラナーゼ、及びアスぺルギルス・ニガー（Ａｓｐｅｒｇｉｌｌｕｓ  ｎｉｇｅｒ）由来のエンドキシラナーゼからなる群より選ばれる、請求項１９〜２４のいずれか１項記載の方法。
【請求項２６】
前記非維管束光合成プラスチド含有生物が、クラミドモナス・レインハルディ（Ｃ．ｒｅｉｎｈａｒｄｔｉｉ）、デュナリエラ・サリナ（Ｄ．ｓａｌｉｎａ）、ヘマトコッカス・プルビアリス（Ｈ．ｐｌｕｖｉａｌｉｓ）、緑色植物（ｃｈｌｏｒｏｐｈｙｔａ）、不等毛植物門（ｈｅｔｅｒｏｋｏｎｔｏｐｈｙｔａ）、黄緑藻植物（ｔｒｉｂｏｐｈｙｔａ）、灰色植物（ｇｌａｕｃｏｐｈｙｔａ）、クロララクニオン植物（ｃｈｌｏｒａｒａｃｈｎｉｏｐｈｙｔｅｓ）、ユーグレナ植物門（ｅｕｇｌｅｎｏｐｈｙｔａ）、ユーグレナ類（ｅｕｇｌｅｎｏｉｄｓ）、ハプト植物門（ｈａｐｔｏｐｈｙｔａ）、黄金色植物門（ｃｈｒｙｓｏｐｈｙｔａ）、クリプト植物門（ｃｒｙｐｔｏｐｈｙｔａ）、クリプト藻網（ｃｒｙｐｔｏｍｏｎａｄｓ）、渦鞭毛植物門（ｄｉｎｏｐｈｙｔａ）、渦鞭毛藻類（ｄｉｎｏｆｌａｇｅｌｌａｔａ）、プリネシウム藻類（ｐｙｒｍｎｅｓｉｏｐｈｙｔａ）、珪藻類（ｂａｃｉｌｌａｒｉｏｐｈｙｔａ）、黄緑色植物門（ｘａｎｔｈｏｐｈｙｔａ）、ユーステグマト植物門（ｅｕｓｔｉｇｍａｔｏｐｈｙｔａ）、ラフィド藻門（ｒａｐｈｉｄｏｐｈｙｔａ）、及び褐藻網（ｐｈａｅｏｐｈｙｔａ）からなる群より選ばれる、請求項１９〜２５のいずれか１項記載の方法。
【請求項２７】
前記トリコデルマ・リーセイ（Ｔｒｉｃｈｏｄｅｒｍａ  ｒｅｅｓｅｉ）由来のエンドキシラナーゼが、アミノ酸配列：
MVSFTSLLAASPPSRASCRPAAEVESVAVEKRQTIQPGTGYNNGYFYSYWNDGHGGVTYTNGPGGQFSVNWSNSGNFVGGKGWQPGTKNKVINFSGSYNPNGNSYLSVYGWSRNPLIEYYIVENFGTYNPSTGATKLGEVTSDGSVYDIYRTQRVNQPSIIGTATFYQYWSVRRNHRSSGSVNTANHFNAWAQQGLTLGTMDYQIVAVEGYFSSGSASITVS (NCBIアクセション番号CAA49293);又は
MVAFSSLICALTSIASTLAMPTGLEPESSVNVTERGMYDFVLGAHNDHRRRASINYDQNYQTGGQVSYSPSNTGFSVNWNTQDDFVVGVGWTTGSSAPINFGGSFSVNSGTGLLSVYGWSTNPLVEYYIMEDNHNYPAQGTVKGTVTSDGATYTIWENTRVNEPSIQGTATFNQYISVRNSPRTSGTVTVQNHFNAWASLGLHLGQMNYQVVAVEGWGGSGSASQSVSN (NCBIアクセション番CAA49294)
を含む、請求項２５記載の方法。
【請求項２８】
非維管束光合成真核生物におけるエンドキシラナーゼ活性を決定するための方法であって、
エンドキシラナーゼをコードする外因性核酸配列を有する非維管束光合成真核生物を取得し；
該生物を溶解して、溶解物を取得し；
エンドキシラーゼ基質を該溶解物に添加し；そして、
エンドキシラーゼ活性を決定すること、
を含む、方法。
【請求項２９】
非維管束光合成真核生物におけるエンドキシラナーゼ活性を決定するための方法であって、
エンドキシラナーゼをコードする外因性核酸配列及びエピトープタグを有する非維管束光合成真核生物を取得し；
該生物を溶解して、溶解物を取得し；
該溶解物を浄化して、浄化された溶解物を製造し；
エピトープタグを用いてエンドキシラナーゼを単離し；
エンドキシラーゼ基質を該単離エンドキシラナーゼに添加し；そして、
エンドキシラーゼ活性を決定すること、
を含む、方法。
【外国語明細書】
2015037424000001.pdf